(57)【要約】  本発明は、インターネット網を利用して事業者と顧客とがインターネット電話できるように提供されたシステムであって、特に事業者がウェブページや電子メールまたはシステム運営者のウェブページに自分に無料電話できるクリックプログラムをアイコンが表示されたウェブサーバーに備えて、顧客がアイコンをクリックするとこれと連携されたクリックプログラムが実行されて該当する事業者と無料でインターネット及び公衆電話網を利用して電話でき、また事業者は受信された顧客の情報を認識して密着された顧客管理ができるインターネット通話制御システム及びその方法に関する。【特許請求の範囲】
【請求項１】
インターネットを利用したインターネット通話制御システムにおいて、
加入会員の情報を保存するＤＢサーバーと、
暗号化された事業者のＩＤを含んだ固有情報とアイコンがクリックされると暗号化を解除して発信機能を有するユーザーエージェントにこれを伝達するクリックプログラムを備えて前記アイコンが表示された前記事業者のウェブサーバーと、
前記アイコンがクリックされると前記クリックプログラムにより暗号解除された前記事業者の固有情報を顧客ＩＤとともに呼び処理サーバーに呼び出し信号として送り出す発信機能を有するユーザーエージェントを備えた顧客ＰＣと、
前記呼び出し信号を受信して前記ＤＢサーバーに保存された前記事業者ＰＣのＩＰ位置を照会して前記事業者ＰＣに前記呼び出し信号を中継する呼び処理サーバーと、
前記中継された呼び出し信号を受信して顧客のＩＤを保存し、前記顧客ＰＣと通話できる受信機能を有するユーザーエージェントを備えた事業者ＰＣで構成されたことを特徴とするインターネット通話制御システム。 
【請求項２】
事業者の会員加入が認証されるとその事業者の固有情報を前記ＤＢサーバーで抽出して前記クリックプログラムを生成するアイコン生成部を備えた会員管理サーバーをさらに構成したことを特徴とする請求項１に記載のインターネット通話制御システム。
【請求項３】
前記事業者のウェブサーバーは、前記アイコン及びこれと連携された前記クリックプログラムがそれぞれ別途に多数備えられていることを特徴とする請求項１または２に記載のインターネット通話制御システム。
【請求項４】
前記発信機能を有するユーザーエージェントを会員管理サーバーに備え、前記クリックプログラムに前記ユーザーエージェント自動設置機能を追加して前記発信機能を有するユーザーエージェントを前記会員管理サーバーからダウンロードされて自動に設置するようにしたことを特徴とする請求項１または２に記載のインターネット通話制御システム。
【請求項５】
前記受信機能を有するユーザーエージェントを会員管理サーバーに備え、システム運営者のウェブサーバーに備えられたシステム運営者のクリックプログラムに自動設置機能を追加して前記会員管理サーバーからダウンロードされて自動に設置するようにしたことを特徴とする請求項１または２に記載のインターネット通話制御システム。
【請求項６】
前記顧客ＰＣ及び事業者ＰＣのユーザーエージェントはそれぞれ受、発信機能が全て含んで構成されたことを特徴とする請求項１または２に記載のインターネット通話制御システム。
【請求項７】
前記ＤＢサーバーは保存された事業者情報に前記呼び処理サーバーが受信機能が付与されたことを認識できる別途表示が付与されたことを特徴とする請求項１または２に記載のインターネット通話制御システム。
【請求項８】
前記発信機能を有するユーザーエージェントは前記クリックプログラムにより暗号解除された前記事業者情報を対話相手ＤＢに自動に登録させるようになったことを特徴とする請求項１または２に記載のインターネット通話制御システム。
【請求項９】
前記発信機能を有するユーザーエージェントは、前記事業者暗号化情報に事業者が登録したアイコンウェブページアドレスを追加し、前記発信機能を有するユーザーエージェントは、クリックされたアイコンＵＲＬを検出、比較して一致していない場合には発信機能が中止されるようにしたことを特徴とする請求項１または２に記載のインターネット通話制御システム。
【請求項１０】
前記事業者暗号化情報に前記事業者の有效期間を追加し、前記発信機能を有するユーザーエージェントが当日日付と比べて有效期間が過ぎた場合には発信が中止されるようにしたことを特徴とする請求項１または２に記載のインターネット通話制御システム。
【請求項１１】
前記クリックプログラムは、事業者情報を暗号化して解除する機能なく元の情報形態を伝達する機能のみを有することを特徴とする請求項１または２に記載のインターネット通話制御システム。
【請求項１２】
前記受信機能を有するユーザーエージェントは、受信された顧客情報を自動に累積、記録する機能を備えたことを特徴とする請求項１または２に記載のインターネット通話制御システム。
【請求項１３】
前記事業者ＰＣの累積された通話記録をアップロード（ｕｐ-ｌｏａｄ）して通話記録を抽出及び統計処理する通話統計処理部を備えた会員管理サーバーをさらに構成することを特徴とする請求項１または２に記載のインターネット通話制御システム。
【請求項１４】
前記発信機能を有するユーザーエージェントは、前記呼び出し信号の送り出し前に電話かけボタンがクリックされる過程を有することを特徴とする請求項１または２に記載のインターネット通話制御システム。
【請求項１５】
前記顧客ＩＤまたは事業者ＩＤは前記顧客または事業者の電子メールアドレスであることを特徴とする請求項１または２に記載のインターネット通話制御システム。
【請求項１６】
ＰＳＴＮ網に接続された前記顧客ＰＣまたは事業者ＰＣ専用ラインアダプターと、前記ラインアダプターの通話を制御する機能を備えたユーザーエージェントをさらに構成したことを特徴とする請求項１または２に記載のインターネット通話制御システム。
【請求項１７】
受信ＰＣが通話中の場合、通話中信号を前記呼び処理サーバーに送り出す機能をさらに備えて通話中メッセージ送り出し、メッセージ録音及び録音されたメッセージの電子メール送り出し機能をさらに有する前記呼び処理サーバーで構成されたことを特徴とする請求項１６に記載のインターネット通話制御システム。
【請求項１８】
ユーザーエージェントは、前記ラインアダプターを通じてＰＳＴＮ網に接続された一般電話機のインターネット電話発信信号及び電話番号を検出して短縮ダイヤルまたは電話番号で発信する機能をさらに有することを特徴とする請求項１６に記載のインターネット通話制御システム。
【請求項１９】
インターネットを利用したインターネット通話制御システムにおいて、加入会員の情報を保存するＤＢサーバーと、暗号化された事業者の固有情報とアイコンがクリックされると、これを感知して暗号化を解除して発信機能を有するユーザーエージェントにこれを伝達するクリックプログラムを備えて前記アイコンが表示された前記事業者の電子メールを保存する電子メールサーバーと、前記アイコンがクリックされると前記クリックプログラムにより暗号解除された前記事業者の固有情報を顧客ＩＤと共に呼び処理サーバーに呼び出し信号として送り出すユーザーエージェントを有する顧客ＰＣと、前記呼び出し信号を受信して前記ＤＢサーバーに保存された前記事業者ＰＣのＩＰ位置を照会して前記事業者ＰＣに前記呼び出し信号を中継する呼び処理サーバーと、前記中継された呼び出し信号を受信して顧客のＩＤを保存して前記顧客ＰＣと電話できる受信機能を有するユーザーエージェントを備えた事業者ＰＣとで構成されたことを特徴とするインターネット通話制御システム。
【請求項２０】
事業者の会員加入が認証されるとその事業者の固有情報を前記ＤＢサーバーで抽出して前記クリックプログラムを生成するアイコン生成部を備えた会員管理サーバーをさらに構成したことを特徴とする請求項１９に記載のインターネット通話制御システム。
【請求項２１】
前記受信機能を有するユーザーエージェントを会員管理サーバーに備えてシステム運営者のウェブサーバーに備えられたシステム運営者のクリックプログラムに自動設置機能を追加して前記会員管理サーバーからダウンロードされて自動に設置するようにしたことを特徴とする請求項１９または２０に記載のインターネット通話制御システム。
【請求項２２】
前記顧客ＰＣ及び事業者ＰＣのユーザーエージェントは、それぞれ受、発信機能が全て含んで構成されたことを特徴とする請求項１９または２０に記載のインターネット通話制御システム。
【請求項２３】
前記ＤＢサーバーは、保存された事業者情報に前記呼び処理サーバーが受信機能が与えられたことを認識することができる別途表示が与えられたことを特徴とする請求項１９または２０に記載のインターネット通話制御システム。
【請求項２４】
前記発信機能を有するユーザーエージェントは、前記クリックプログラムにより暗号解除された前記事業者情報を対話相手ＤＢに自動に登録させるようになったことを特徴とする請求項１９または２０に記載のインターネット通話制御システム。
【請求項２５】
前記発信機能を有するユーザーエージェントは、前記事業者暗号化情報に事業者が登録したアイコンウェブページアドレスを追加し、前記発信機能を有するユーザーエージェントは、クリックされたアイコンＵＲＬを検出、比較して一致していない場合には発信機能が中止されるようにしたことを特徴とする請求項１９または２０に記載のインターネット通話制御システム。
【請求項２６】
前記事業者暗号化情報に前記事業者の有效期間を追加して、前記発信機能を有するユーザーエージェントが当日日付と比べて有效期間が過ぎた場合には発信が中止されるようにしたことを特徴とする請求項１９または２０に記載のインターネット通話制御システム。
【請求項２７】
前記クリックプログラムは、事業者情報を暗号化して解除する機能なしに元の情報形態を伝達する機能のみを有することを特徴とする請求項１９または２０に記載のインターネット通話制御システム。
【請求項２８】
前記受信機能を有するユーザーエージェントは、受信された顧客情報を自動に累積、記録する機能を備えたことを特徴とする請求項１９または２０に記載のインターネット通話制御システム。
【請求項２９】
前記事業者ＰＣの累積した通話記録をアップロード（ｕｐ-ｌｏａｄ）して通話記録を抽出及び統計処理する通話統計処理部を備えた会員管理サーバーをさらに構成することを特徴とする請求項１９または２０に記載のインターネット通話制御システム。
【請求項３０】
前記発信機能を有するユーザーエージェントは、前記呼び出し信号送り出し前に電話かけボタンがクリックされる過程を有することを特徴とする請求項１９または２０に記載のインターネット通話制御システム。
【請求項３１】
前記顧客ＩＤまたは事業者ＩＤは前記顧客または事業者の電子メールアドレスであることを特徴とする請求項１９または２０に記載のインターネット通話制御システム。
【請求項３２】
ＰＳＴＮ網に接続された前記顧客ＰＣまたは事業者ＰＣ専用ラインアダプターと、前記ラインアダプターの通話を制御する機能を備えたユーザーエージェントをさらに構成したことを特徴とする請求項１９または２０に記載のインターネット通話制御システム。
【請求項３３】
受信ＰＣが通話中の場合、通話中信号を前記呼び処理サーバーに送り出す機能をさらに備えて通話中メッセージ送り出し、メッセージ録音及び録音されたメッセージの電子メール送り出し機能をさらに有する前記呼び処理サーバーで構成されたことを特徴とする請求項３２に記載のインターネット通話制御システム。
【請求項３４】
ユーザーエージェントは、前記ラインアダプターを介してＰＳＴＮ網に接続された一般電話機のインターネット電話発信信号及び電話番号を検出して短縮ダイヤルまたは電話番号で発信する機能をさらに有することを特徴とする請求項３２に記載のインターネット通話制御システム。
【請求項３５】
前記ＤＢサーバーは、保存された顧客情報に前記呼び処理サーバーが受信機能が与えられたことを認識することができる別途表示が与えられたことを特徴とする請求項２２に記載のインターネット通話制御システム。
【請求項３６】
インターネットを利用したインターネット通話制御システムにおいて、
呼び処理サーバーが受信機能が与えられたことを認識できる別途表示が付与された事業者情報を保存するＤＢサーバーと、
顧客ＰＣで入力された索引語に該当する前記事業者の情報を前記ＤＢサーバーで検索して前記各事業者のＩＤを含んだ固有情報を暗号化してアイコンがクリックされると暗号化を解除して発信機能を有するユーザーエージェントにこれを伝達するクリックプログラムを生成させる会員管理サーバーのシステム運営者ウェブサーバーに伝達する事業者情報処理部と、
前記事業者情報処理部で事業者情報及びクリックプログラムを伝達されて表示されたアイコンとそれぞれ連携されるように所定の位置に備えたシステム運営者のウェブサーバーを有する会員管理サーバーと、
前記アイコンがクリックされると前記連携されたクリックプログラムにより暗号解除された前記事業者の固有情報を顧客ＩＤと共に呼び処理サーバーに呼び出し信号として送り出す発信機能を有するユーザーエージェントを備えた顧客ＰＣと、
前記呼び出し信号を受信して前記ＤＢサーバーに保存された前記事業者ＰＣのＩＰ位置を照会して前記事業者ＰＣに前記呼び出し信号を中継する呼び処理サーバーと、
前記中継された呼び出し信号を受信して顧客のＩＤを保存して、前記顧客ＰＣと電話できる受信機能を有するユーザーエージェントを備えた事業者ＰＣとで構成されることを特徴とするインターネット通話制御システム。
【請求項３７】
前記ＤＢサーバーは呼び処理サーバーが受信機能が与えられたことを認識できる別途表示が与えられた事業者情報を追加で保存することを特徴とする請求項３６に記載のインターネット通話制御システム。
【請求項３８】
前記システム運営者のウェブサーバーは、前記相手のアイコンをウェブページに表示しないようになったことを特徴とする請求項３７に記載のインターネット通話制御システム。
【請求項３９】
前記発信機能を有するユーザーエージェントを会員管理サーバーに備えて前記クリックプログラムに前記ユーザーエージェント自動設置機能を追加して前記発信機能を有するユーザーエージェントを前記会員管理サーバーからダウンロードされて自動に設置するようにしたことを特徴とする請求項３６に記載のインターネット通話制御システム。
【請求項４０】
前記受信機能を有するユーザーエージェントを会員管理サーバーに備えてシステム運営者のウェブサーバーに備えられたシステム運営者のクリックプログラムに自動設置機能を追加して前記会員管理サーバーからダウンロードされて自動に設置するようにしたことを特徴とする請求項３６に記載のインターネット通話制御システム。
【請求項４１】
前記顧客ＰＣ及び事業者ＰＣのユーザーエージェントはそれぞれ受、発信機能が全て含んで構成されたことを特徴とする請求項３６に記載のインターネット通話制御システム。
【請求項４２】
前記発信機能を有するユーザーエージェントは前記クリックプログラムにより暗号解除された前記事業者情報を対話相手ＤＢに自動に登録させるようになったことを特徴とする請求項３６に記載のインターネット通話制御システム。
【請求項４３】
前記事業者暗号化情報に前記事業者の有效期間を追加して前記発信機能を有するユーザーエージェントが当日日付と比べて有效期間が過ぎた場合には発信が中止されるようにしたことを特徴とする請求項３６に記載のインターネット通話制御システム。
【請求項４４】
前記クリックプログラムは、事業者情報を暗号化して解除する機能なく元の情報形態を伝達する機能のみを有することを特徴とする請求項３６に記載のインターネット通話制御システム。
【請求項４５】
前記受信機能を有するユーザーエージェントは受信された顧客情報を自動に累積、記録する機能を備えたことを特徴とする請求項３６に記載のインターネット通話制御システム。
【請求項４６】
前記事業者ＰＣの累積された通話記録をアップロード（ｕｐ-ｌｏａｄ）して通話記録を抽出及び統計処理する通話統計処理部を備えた会員管理サーバーをさらに構想することを特徴とする請求項３６に記載のインターネット通話制御システム。
【請求項４７】
前記発信機能を有するユーザーエージェントは、前記呼び出し信号の送り出し前に電話かけボタンがクリックされる過程を有することを特徴とする請求項３６に記載のインターネット通話制御システム。
【請求項４８】
前記顧客ＩＤまたは事業者ＩＤは、前記顧客または事業者の電子メールアドレスであることを特徴とする請求項３６に記載のインターネット通話制御システム。
【請求項４９】
ＰＳＴＮ網に接続された前記顧客ＰＣまたは事業者ＰＣ専用ラインアダプターと、前記ラインアダプターの通話を制御する機能を備えたユーザーエージェントをさらに構成したことを特徴とする請求項３６に記載のインターネット通話制御システム。
【請求項５０】
受信ＰＣが通話中の場合、通話中信号を前記呼び処理サーバーに送り出す機能をさらに備えて通話中メッセージ送り出し、メッセージ録音及び録音されたメッセージの電子メール送り出し機能をさらに有する前記呼び処理サーバーで構成されたことを特徴とする請求項３６に記載のインターネット通話制御システム。
【請求項５１】
ユーザーエージェントは、前記ラインアダプターを介してＰＳＴＮ網に接続された一般電話機のインターネット電話発信信号及び電話番号を検出して短縮ダイヤルまたは電話番号で発信する機能をさらに有することを特徴とする請求項３６に記載のインターネット通話制御システム。
【請求項５２】
インターネットを利用したインターネット通話制御システムにおいて、
会員の電子メールを保存する電子メールサーバーと、
会員の情報を保存するＤＢサーバーと、
会員の情報を入力されて前記ＤＢサーバーに保存して会員管理に必要な機能を遂行する会員管理サーバーと、
入力された電話番号を発信ボタンにより呼び処理サーバーに呼び出し信号として送り出す発信機能を有するユーザーエージェントを備えた発信ＰＣと、
前記呼び出し信号を受信して前記ＤＢサーバーに保存された受信ＰＣのＩＰ位置を照会して前記受信ＰＣに中継する呼び処理サーバーと、
前記呼び処理サーバーの中継信号を受信して応答信号を送り出して電話をする受信機能を有するユーザーエージェントを備えた受信ＰＣとで構成されて、 
前記受信ＰＣまたは発信ＰＣにはＰＳＴＮ網と接続された個別ラインアダプターが連結され、前記ＰＳＴＮ網に連結された一般電話機が前記ラインアダプターを介して前記受、発信ＰＣを介してインターネット電話ができるように制御する機能をさらに有する前記受、発信ユーザーエージェントと、
前記受、発信ユーザーエージェントにより前記ＰＳＴＮ網に接続された一般電話機と前記ＰＣの信号またはデータをそれぞれ認識して中継して前記一般電話機で前記ＰＣを介したインターネット電話受信及び発信ができるように構成されることを特徴とするインターネット通話制御システム 
【請求項５３】
前記受、発信ユーザーエージェントは、前記ＰＣが通話中である時、前記呼び処理サーバーで呼び出し信号が受信されると前記呼び処理サーバーに通話中メッセージを発信する機能を有することを特徴とする請求項５２に記載のインターネット通話制御システム。
【請求項５４】
前記呼び処理サーバーは、前記通話中メッセージを受信すると通話中案内メッセージを送り出して発信ＰＣのメッセージを録音して電子メール形態で前記電子メールサーバーに送り出す機能を有することを特徴とする請求項５３に記載のインターネット通話制御システム。
【請求項５５】
前記電子メールサーバーは、前記録音されたメッセージを保存して前記受信ＰＣに伝達する機能を有することを特徴とする請求項５３に記載のインターネット通話制御システム。
【請求項５６】
前記受、発信ユーザーエージェントは、前記ＰＳＴＮ網に接続された電話機が発信したインターネット電話発信番号を前記個別ラインアダプターを介して抽出して、抽出された番号状態に応じて短縮ダイヤルまたはインターネット電話番号を判断して前記ＰＣへ発信する機能を有することを特徴とする請求項５２に記載のインターネット通話制御システム。
【請求項５７】
インターネットを利用したインターネット通話制御方法において、
顧客が事業者ウェブサーバーに表示されたアイコンをクリックすると、前記事業者ウェブサーバーに備えられてクリックされたアイコンと連携されたクリックプログラムにより前記事業者のＩＤを含んだ暗号化された情報を暗号解除する過程と、
前記顧客ＰＣに設置された発信機能を有するユーザーエージェントにより暗号解除された前記事業者の情報を抽出して顧客ＩＤと共に呼び処理サーバーに呼び出し信号として送り出す過程と、
前記呼び出し信号が受信されると前記呼び処理サーバーが前記事業者の情報が保存されたＤＢサーバーで前記呼び出し信号に含まれた事業者のＩＤに対応する事業者ＰＣのＩＰ位置を照会して前記呼び出し信号を前記事業者ＰＣに中継する過程と、
前記事業者ＰＣが前記呼び処理サーバーにより中継された前記呼び出し信号を受信すると受信機能を有するユーザーエージェントにより前記顧客ＰＣに応答メッセージを送り出す過程を有することを特徴とするインターネット通話制御方法。
【請求項５８】
前記事業者が会員管理サーバーで会員加入手続きによって決済を完了すると前記会員管理サーバーで前記決済された事業者の固有情報に前記呼び処理サーバーが受信機能を付与者として認識することができる別途の表示をして前記ＤＢサーバーに保存する過程をさらに有することを特徴とする請求項５７に記載のインターネット通話制御方法。
【請求項５９】
前記事業者が会員管理サーバーで会員加入手続きによって決済を完了すると、アイコン生成部で前記ＤＢサーバーに保存された前記事業者のＩＤを含んだ固有情報を抽出して暗号化してこれと連携されたアイコンがクリックされると前記暗号を解除する前記クリックプログラムを生成して画面に表示して、前記事業者がこれをコピーできるように提供する過程をさらに有することを特徴とする請求項５８に記載のインターネット通話制御方法。
【請求項６０】
前記事業者が前記クリックプログラムをコピーして前記事業者のウェブサーバーの所定の位置に備える過程をさらに有することを特徴とする請求項５９に記載のインターネット通話制御方法。
【請求項６１】
前記事業者が多数である場合前記クリックプログラムを各事業別でそれぞれ生成させて特定事業者のウェブサーバーにそれぞれ別途に備える過程を有することを特徴とする請求項６０に記載のインターネット通話制御方法。
【請求項６２】
前記発信機能を有するユーザーエージェントを会員管理サーバーに備えて、前記クリックプログラムに前記ユーザーエージェント自動設置機能を追加して前記アイコンがクリックされて前記クリックプログラムが実行される時、前記発信機能を有するユーザーエージェントを前記会員管理サーバーからダウンロードされて前記顧客ＰＣに自動設置する過程をさらに有することを特徴とする請求項５７に記載のインターネット通話制御方法。
【請求項６３】
前記受信機能を有するユーザーエージェントを会員管理サーバーに備えて、前記クリックプログラムに前記ユーザーエージェント自動設置機能を追加して前記アイコンがクリックされて前記クリックプログラムが実行される時、前記受信機能を有するユーザーエージェントを前記会員管理サーバーからダウンロードされて前記事業者ＰＣに自動設置する過程をさらに有することを特徴とする請求項５７に記載のインターネット通話制御方法。
【請求項６４】
前記受、発信機能を有する顧客ＰＣ及び事業者ＰＣのユーザーエージェントはそれぞれ受、発信機能を全て含んだことを特徴とする請求項５７に記載のインターネット通話制御方法。
【請求項６５】
前記発信機能を有するユーザーエージェントは、前記クリックプログラムにより暗号解除された前記事業者情報をチャットボックスＤＢに自動に登録させる過程を有することを特徴とする請求項５７、５８または５９に記載のインターネット通話制御方法。
【請求項６６】
前記事業者暗号化情報に事業者が登録したアイコンのウェブページアドレスを追加して、前記発信機能を有するユーザーエージェントがクリックされたアイコンのＵＲＬを検出、比較して一致していない場合には発信機能を行わないようにする過程を有することを特徴とする請求項５７、５８または５９に記載のインターネット通話制御方法。
【請求項６７】
前記事業者暗号化情報に前記事業者の有效期間を追加して、前記発信機能を有するユーザーエージェントが当日日付と比べて有效期間が過ぎた場合には発信機能を行わないようにする過程を有することを特徴とする請求項５７、５８または５９に記載のインターネット通話制御方法。
【請求項６８】
前記クリックプログラムは、事業者情報暗号化、解除機能を削除して元の情報形態で伝達する機能のみを有するようにしたことを特徴とする請求項５７、５８または５９に記載のインターネット通話制御方法。
【請求項６９】
前記受信機能を有するユーザーエージェントは、受信された顧客情報を自動に累積、記録する過程を有することを特徴とする請求項５７、５８または５９に記載のインターネット通話制御方法。
【請求項７０】
通話統計処理部により前記事業者ＰＣの累積された通話記録をアップロードして通話記録を抽出及び統計処理する過程をさらに有することを特徴とする請求項５７、５８または５９に記載のインターネット通話制御方法。
【請求項７１】
前記顧客ＩＤまたは事業者ＩＤは前記顧客または事業者の電子メールアドレスであることを特徴とする請求項５７、５８または５９に記載のインターネット通話制御方法。
【請求項７２】
前記受、発信ユーザーエージェントが、個別的に連結されたラインアダプターを制御して前記ＰＣとＰＳＴＮ網に接続された一般電話機の相互信号またはデータをそれぞれ認識して中継して前記電話機で前記ＰＣを介したインターネット電話受、発信機能を行う過程を有することを特徴とする請求項５７、５８または５９に記載のインターネット通話制御方法。
【請求項７３】
通話中のＰＣにさらに呼び出し信号が受信されると前記受、発信ユーザーエージェントが通話中メッセージを送り出し、これを受信した前記呼び処理サーバーは通話中案内メッセージを送り出して発信ＰＣ側のメッセージを録音して電子メール形態で発信者の電子メールサーバーに送る過程を有することを特徴とする請求項７２に記載のインターネット通話制御方法。
【請求項７４】
前記受、発信ユーザーエージェントは、前記ＰＳＴＮ網に接続された電話機の発信番号を個別ラインアダプターを通じて抽出して抽出された番号を読み取って短縮ダイヤルであれば保存された元の番号を照会し、または元の番号であればそのままＳＩＰ処理部を介してインターネット電話発信をする過程を有することを特徴とする請求項７２に記載のインターネット通話制御方法。
【請求項７５】
インターネットを利用したインターネット通話制御方法において、
事業者がログインして会員管理サーバーで電子メール本文と相手ＩＤを入力して送りボタンをクリックするとアイコン生成部で前記事業者のＩＤを含んだ固有情報をＤＢサーバーで抽出して暗号化してアイコンがクリックされると前記暗号を解除するクリックプログラムを生成して前記電子メールに挿入して前記顧客の電子メールサーバーに送り出す過程と、
前記顧客ＰＣで前記電子メールサーバーから電子メールを伝達されて表示されたアイコンをクリックすると前記暗号化を解除して受信機能を有するユーザーエージェントにより前記暗号解除された事業者情報を顧客ＰＣのＩＤとともに呼び出し信号として呼び処理サーバーに送り出す過程と、
前記呼び出し信号が受信されると前記呼び処理サーバーが前記ＤＢサーバーで前記呼び出し信号に含まれた前記事業者のＩＤに対応される事業者ＰＣのＩＰ位置を照会して前記呼び出し信号を前記事業者ＰＣに中継する過程と、
前記事業者ＰＣが前記呼び処理サーバーにより中継された前記呼び出し信号を受信すると受信機能を有するユーザーエージェントにより前記顧客ＰＣに応答メッセージを送り出す過程を有することを特徴とするインターネット通話制御方法。
【請求項７６】
前記会員管理サーバーは前記事業者が指定した顧客のＩＤに前記呼び処理サーバーが受信機能付与者として認識できる別途の表示をして前記ＤＢサーバーに保存する過程をさらに有することを特徴とする請求項７５に記載のインターネット通話制御方法。
【請求項７７】
前記発信機能を有するユーザーエージェントを会員管理サーバーに備えて前記クリックプログラムに前記ユーザーエージェント自動設置機能を追加して、前記アイコンがクリックされて前記クリックプログラムが実行される時前記発信機能を有するユーザーエージェントを前記会員管理サーバーからダウンロードされて前記顧客ＰＣに自動設置する過程をさらに有することを特徴とする請求項７５または７６に記載のインターネット通話制御方法。
【請求項７８】
前記受信機能を有するユーザーエージェントを会員管理サーバーに備えて前記クリックプログラムに前記ユーザーエージェント自動設置機能を追加して前記アイコンがクリックされて前記クリックプログラムが実行される時前記受信機能を有するユーザーエージェントを前記会員管理サーバーからダウンロードされて前記事業者ＰＣに自動設置する過程をさらに有することを特徴とする請求項７５または７６に記載のインターネット通話制御方法。
【請求項７９】
前記受、発信機能を有する顧客ＰＣ及び事業者ＰＣのユーザーエージェントはそれぞれ受、発信機能を全て含んだことを特徴とする請求項７５または７６に記載のインターネット通話制御方法。
【請求項８０】
前記発信機能を有するユーザーエージェントは、前記クリックプログラムにより暗号解除された前記事業者情報をチャットボックスＤＢに自動に登録させる過程を有することを特徴とする請求項７５または７６に記載のインターネット通話制御方法。
【請求項８１】
前記事業者暗号化情報に前記事業者の有效期間を追加して前記発信機能を有するユーザーエージェントが当日日付と比べて有效期間が過ぎた場合には発信機能を行わないようにする過程を有することを特徴とする請求項７５または７６に記載のインターネット通話制御方法。
【請求項８２】
前記クリックプログラムは、事業者情報暗号化、解除機能を削除して元の情報形態で伝達する機能のみを有するようにしたことを特徴とする請求項７５または７６に記載のインターネット通話制御方法。
【請求項８３】
前記受信機能を有するユーザーエージェントは受信された顧客情報を自動に累積、記録する過程を有することを特徴とする請求項７２または７３に記載のインターネット通話制御方法。
【請求項８４】
前記受信機能を有するユーザーエージェントが、前記受信された顧客ＰＣのＩＤを含んだ受信情報を自動に記録する過程を有することを特徴とする請求項７５または７６に記載のインターネット通話制御方法。
【請求項８５】
通話統計処理部により前記事業者ＰＣの累積された通話記録をアップロードして通話記録を抽出及び統計処理する過程をさらに有することを特徴とする請求項８４に記載のインターネット通話制御方法。
【請求項８６】
前記顧客ＩＤまたは事業者ＩＤは前記顧客または事業者の電子メールアドレスであることを特徴とする請求項７５または７６に記載のインターネット通話制御方法。
【請求項８７】
前記受、発信ユーザーエージェントが、個別的に連結されたラインアダプターを制御して前記ＰＣとＰＳＴＮ網に接続された電話機の相互信号またはデータをそれぞれ認識して中継して前記一般電話機で前記ＰＣを介したインターネット電話受、発信機能を遂行する過程を有することを特徴とする請求項７５または７６に記載のインターネット電話ゼオバアップ。 
【請求項８８】
電話中のＰＣにさらに呼び出し信号が受信されると前記受、発信ユーザーエージェントが電話中メッセージを送り出して、これを受信した前記呼び処理サーバーは電話中案内メッセージを送り出して発信ＰＣ側のメッセージを録音して電子メール形態で発信者の電子メールサーバーに送る過程を有することを特徴とする請求項８７に記載のインターネット通話制御方法。
【請求項８９】
前記受、発信ユーザーエージェントは、前記ＰＳＴＮ網に接続された電話機の発信番号を個別ラインアダプターを介して抽出して、抽出された番号を読み取って短縮ダイヤルであれば保存された元の番号を照会し、または元の番号であればそのままＳＩＰ処理部を介してインターネット電話発信をする過程を有することを特徴とする請求項８７に記載のインターネット通話制御方法。
【請求項９０】
インターネットを利用したインターネット通話制御方法において、
顧客がシステム運営者のウェブサーバーに表示された多数のアイコン中の特定アイコンをクリックすると前記システム運営者のウェブサーバーに備えられて前記クリックされたアイコンと連携されたクリックプログラムにより前記事業者のＩＤを含んだ暗号化された情報を暗号解除する過程と、
前記顧客ＰＣに設置された発信機能を有するユーザーエージェントにより前記暗号解除された前記事業者の情報を抽出して顧客ＩＤと共に呼び処理サーバーに呼び出し信号を送り出す過程と、
前記呼び出し信号が受信されると前記呼び処理サーバーが前記事業者の情報が保存されたＤＢサーバーで前記呼び出し信号に含まれた事業者のＩＤに対応する事業者ＰＣのＩＰ位置を照会して前記呼び出し信号を前記事業者ＰＣに中継する過程と、
前記事業者ＰＣが前記呼び処理サーバーによって中継された前記呼び出し信号を受信すると受信機能を有するユーザーエージェントにより前記顧客ＰＣに応答メッセージを送り出す過程を有することを特徴とするインターネット通話制御方法。
【請求項９１】
前記事業者が会員管理サーバーで会員加入手続きにより決済を完了すると、前記会員管理サーバーで前記決済された事業者の固有情報に前記呼び処理サーバーが受信機能付与者として認識できる別途の表示をして前記ＤＢサーバーに保存する過程をさらに有することを特徴とする請求項９０に記載のインターネット通話制御方法。 
【請求項９２】
前記事業者が前記会員管理サーバーで許可した受信機能が与えられる相手を指定すると、相手の情報にさらに受信機能表示をして前記ＤＢサーバーに保存する過程を有することを特徴とする請求項９０に記載のインターネット通話制御方法。
【請求項９３】
前記ＤＢサーバーに保存された前記事業者のＩＤを含んだ固有情報を抽出して暗号化してこれと連携されたアイコンがクリックされると、前記暗号を解除するアイコン生成部を備えて前記システム運営者のウェブページにあらかじめ設定されてアイコンが表示された次のページを表示する時前記アイコン生成部によりあらかじめ決まった事業者のアイコン表示及びこれとそれぞれ連携されたクリックプログラムを提供する過程を有することを特徴とする請求項９０に記載のインターネット通話制御方法。
【請求項９４】
前記発信機能を有するユーザーエージェントを会員管理サーバーに備えて、前記クリックプログラムに前記ユーザーエージェント自動設置機能を追加して前記アイコンがクリックされて前記クリックプログラムが実行される時、前記発信機能を有するユーザーエージ ェントを前記会員管理サーバーからダウンロードされて前記顧客ＰＣに自動設置する過程をさらに有することを特徴とする請求項９０または９３に記載のインターネット通話制御方法。
【請求項９５】
前記受信機能を有するユーザーエージェントを会員管理サーバーに備えて、前記クリックプログラムに前記ユーザーエージェント自動設置機能を追加して前記アイコンがクリックされて前記クリックプログラムが実行される時、前記受信機能を有するユーザーエージェントを前記会員管理サーバーからダウンロードされて前記事業者ＰＣに自動設置する過程をさらに有することを特徴とする請求項９０または９３に記載のインターネット通話制御方法。
【請求項９６】
前記受、発信機能を有する顧客ＰＣ及び事業者ＰＣのユーザーエージェントはそれぞれ受、発信機能を全て含んだことを特徴とする請求項９０または９３に記載のインターネット通話制御方法。
【請求項９７】
前記発信機能を有するユーザーエージェントは、前記クリックプログラムにより暗号解除された前記事業者情報をチャットボックスＤＢに自動に登録させる過程を有することを特徴とする請求項９０または９３に記載のインターネット通話制御方法。
【請求項９８】
前記事業者暗号化情報に前記事業者の有效期間を追加して前記発信機能を有するユーザーエージェントが当日日付と比べて有效期間が過ぎた場合には発信機能を行わないようにする過程を有することを特徴とする請求項９０または９３に記載のインターネット通話制御方法。
【請求項９９】
前記クリックプログラムは、事業者情報暗号化、解除機能を削除して元の情報形態で伝達する機能のみを有するようにしたことを特徴とする請求項９０または９３に記載のインターネット通話制御方法。
【請求項１００】
前記受信機能を有するユーザーエージェントは、受信された顧客情報を自動に累積、記録する過程を有することを特徴とする請求項９０または９３に記載のインターネット通話制御方法。
【請求項１０１】
電話統計処理部によって前記事業者ＰＣの累積された通話記録をアップロードして通話記録を抽出及び統計処理する過程をさらに有することを特徴とする請求項１００に記載のインターネット通話制御方法。
【請求項１０２】
前記顧客ＩＤまたは事業者ＩＤは前記顧客または事業者の電子メールアドレスであることを特徴とする請求項９０または９３に記載のインターネット通話制御方法。
【請求項１０３】
前記受、発信ユーザーエージェントが、個別的に連結されたラインアダプターを制御して前記ＰＣとＰＳＴＮ網に接続された電話機の相互信号またはデータをそれぞれ認識して中継して、前記一般電話機で前記ＰＣを介したインターネット電話受、発信を行う過程を有することを特徴とする請求項９０または９３に記載のインターネット通話制御方法。
【請求項１０４】
電話中のＰＣにさらに呼び出し信号が受信されると、前記受、発信ユーザーエージェントが電話中メッセージを送り出して、これを受信した前記呼び処理サーバーは電話中案内メッセージを送り出して発信ＰＣ側のメッセージを録音して電子メール形態で発信者の電子メールサーバーに送る過程を有することを特徴とする請求項１０３に記載のインターネット通話制御方法。
【請求項１０５】
前記受、発信ユーザーエージェントは前記ＰＳＴＮ網に接続された電話機の発信番号を個別ラインアダプターを介して抽出して、抽出された番号を読み取って短縮ダイヤルであれば保存された元の番号を照会し、または元の番号であればそのままＳＩＰ処理部を介し てインターネット電話発信をする過程を有することを特徴とする請求項１０４に記載のインターネット通話制御方法。
【請求項１０６】
インターネットを利用したインターネット通話制御方法において、
会員の情報を管理する会員管理サーバーで受信機能が与えられた会員の情報を呼び処理サーバーが認識することができる表示をしてＤＢサーバーに保存する過程と、
発信ＰＣで発信機能を有するユーザーエージェントにより呼び出し信号を送り出す過程と、
呼び処理サーバーで前記呼び出し信号を受信して前記ＤＢサーバーで受信ＰＣのＩＰ位置を照会して前記呼び出し信号を中継する過程と、
受信ＰＣが前記中継信号を受信して受信機能を有するユーザーエージェントにより応答メッセージを送り出して電話機能を行う過程と、
前記受信または発信ＰＣにはＰＳＴＮ網と接続された個別ラインアダプターに電話機の発信信号が感知されると、これをＤＴＭＦ送受信部を介して発信番号を読み取る過程と、
発信信号が抽出されると前記ユーザーエージェントによりＳＩＰ処理部を介して呼び処理サーバーに呼び出し信号を送り出す過程と、
前記ＰＣに受信された呼び出し信号を設定されたモードによりサウンド入出力経路を無条件前記ラインアダプターを通じてＰＳＴＮ網に連結するか、または一応受信ＰＣを連結して待機している中で一定時間が経過するとＰＳＴＮ網に連結する過程を有することを特徴とするインターネット通話制御方法
【請求項１０７】
電話中のＰＣにさらに呼び出し信号が受信されると前記受、発信ユーザーエージェントが電話中メッセージを送り出し、これを受信した前記呼び処理サーバーは電話中案内メッセージを送り出して発信ＰＣ側のメッセージを録音して電子メール形態で発信者の電子メールサーバーに送る過程を有することを特徴とする請求項１０６に記載のインターネット通話制御方法。
【請求項１０８】
前記受、発信ユーザーエージェントは前記ＰＳＴＮ網に接続された電話機の発信番号を個別ラインアダプターを介して抽出して、抽出された番号を読み取って短縮ダイヤルであれば保存された元の番号を照会し、または元の番号であればそのまま前記ＳＩＰ処理部を介してインターネット電話発信をする過程を有することを特徴とする請求項１０６に記載のインターネット通話制御方法。
【発明の詳細な説明】
【技術分野】
【０００１】
本発明は、インターネットを利用して個人コンピューターまたは一般電話で通話するインターネット通話の制御システム及びその方法に関し、特に発信者が受信者のＩＤやインターネット電話番号などを知らない場合、または知っていても発信者のＰＣで受信者の情報を全て入力しなくても受信者の情報と連携した特定表示（ｉ−ｃｏｎ、商品画面など）を一回クリックして、インターネットまたは一般電話を無料で利用できるインターネット通話制御システム及びその方法に関する。
【背景技術】
【０００２】
最近、インターネットの急速な拡散に伴って電話料金を節減できるインターネットフォンの活用に対する関心が高まっており、これを制御するための技術も多様に発展して来た。
【０００３】
しかし、今まで提案された技術らは、発信者が電話してほしい相手のすべての情報を調査して、いちいち入力しなければならず、この場合、発信者と受信者が共にこのようなサービスを提供するサービス企業に有料で加入されていなければならないという問題点がある。
【０００４】
また、特定相手でない不特定相手と通話を願うインターネット利用事業者の場合には、前記と同様な方式では電話が不可能であって事業に活用することができないという問題点があった。
【０００５】
このような問題点を改善するために提案されたのが、不特定多数と通話できるワンクリック（ｏｎｅ−ｃｌｉｃｋ）インターネット通話制御技術として現在多数の方式が提案されている。
【０００６】
この方式は、特定事業者（例えば、インターネットショッピングモール事業者）がインターネット上で自社の営業活動のために自社のウェブページに商品広告などを掲載する時、発信用ｉ−Ｃｏｎなどの特定表示を共に掲載して、不特定多数の一般顧客が商品広告を見てショッピングモール事業者と直接通話をしたい時、特定表示をワンクリックするとすぐインターネット電話ができるようになっている。
【０００７】
もちろん、電子メールに前記特定表示を共に送って、不特定多数の電子メール受信者が受信された電子メールを開封した後、画面に表示された特定表示をワンクリックして事業者とすぐインターネット電話をする方式も提案されている。
【０００８】
しかし、このような方式は、発信者がクリックする特定表示は、受信者（事業者）の情報を有している呼び（Ｃａｌｌ）処理サーバーと単純にリンク（ｌｉｎｋ）されていて、発信者のクリックを信号として呼び処理サーバーがリンクされた事業者と発信者とをインターネットフォンで電話できるように制御する方式となっている。
【０００９】
したがって、不特定多数に受信を願う特定受信者（事業者など）は、このような方式で顧客を事業上には活用できるが、単純リンクにより通話が制御されることにより発信者（顧客）のＩＤ位置等の発信者情報が提供されないという問題点があった。
【００１０】
すなわち、一回でも通話をした顧客は、一般顧客より通話した事業者の事業分野にさらに多い関心を有した場合が多いので、続いて管理して広告案内などの電子メールを持続的に提供し、長期間顧客として活用することが好ましいが、顧客の発信情報を認識することができないため、このような営業活動ができないという問題点があった。
【００１１】
また、インターネット通話をするためには、通話する受、発信者が共にインターネット電話サービス企業に有料で加入しなければならないが、外国の協力企業または顧客と電話を願う場合、これらに自分と同一なサービス企業に煩わしい手続きと費用をかけて加入するように要請しなければならない。また、自分が代わりに加入するとしても、外国人の場合、住民登録番号など加入に必要な情報が互いに一致していないというなどの困難があるなど、現実的に使用し難い問題点があった。そして、インターネット電話を一般公衆電話網（ＰＳＴＮ）と連結して使用する場合には、サービス企業が集団ゲートウェイを利用するのによる料金負担を甘受しなければならず、１対１通話方式でユーザーが個別的にラインアダプターを用いる方式は、多数の受信者と電話しなければならない場合に発生する処理機能や多数にインターネット電話で発信する場合に必要な機能などがないという問題点があった。
【発明の開示】
【発明が解決しようとする課題】
【００１２】
本発明は、前記した問題点を解決するために提案されたものであって、インターネット上でインターネットフォンを利用して不特定多数と電話しようとする事業者が、特定ウェブ（ｗｅｂ）または広告メール等に自分のＩＤ、電話番号などの受信者情報を含んだ特定表示（ｉ-Ｃｏｎなど）をユーザーである顧客ＰＣで作動されるようにして、発信者である顧客が特定表示をワンクリックすれば、発信者ＩＤを含んだ電話インバイト（ｉｎｖｉｔｅ）メッセージが呼び処理サーバーに伝達され、事業者とインターネットを介して無料で通話されながら、同時に、発信者である顧客の情報（ＩＤなど）を受信者である事業者が認識するようにしたワンクリックインターネット通話制御システム及びその方法を提供することを目的とする。
【００１３】
本発明の他の目的は、前記のように発信者情報を認識するようにすることで、認識された発信者情報を蓄積、加工して事業者が統計処理された発信者情報を活用して自分の事業広報や広告などを顧客である発信者に常に電子メールなどで提供できるようにすることにより、不特定多数の顧客中の特定顧客をさらに密着管理できるワンクリックインターネット通話制御システム及びその方法を提供することである。
【００１４】
本発明のまた他の目的は、発信者である顧客が関心のある事業者に通話した内訳を自分のＰＣに自動蓄積されるようにして、いつでも蓄積された情報を利用して必要な時に特定事業者にワンクリックでインターネットを通じた電話を無料で利用できるワンクリックインターネット通話制御システム及びその方法を提供することにある。
【００１５】
本発明のまた他の目的は、前記のようなシステムをサービスするシステムサービス事業者（運営者）が、システムサービスに加入した事業者または受信機能を有するユーザーエージェントを提供された加入者の情報を蓄積して、不特定多数の一般インターネット使用顧客にシステム運営者のウェブサーバーに無料で提供することにより、本発明のワンクリックインターネット通話制御システムサービスに加入した受信可能会員に、不特定多数の顧客がワンクリックで無料でインターネット電話を利用できるようにし（発信機能を有するユーザーエージェントは、あらゆる人に無料で提供される）、事業者には事業の営業效果を向上できるようにしたワンクリックインターネット通話制御システム及びその方法を提供することにある。
【００１６】
本発明のまた他の目的は、システム運営者から受信機能を与えられた特定個人または事業者が、電話してほしい相手を決まった数だけ指定して受信機能を与えられた後、電子メール等にアイコンを挿入して送ると、相手はアイコンだけクリックして両方向に電話できる両方向（ｔｗｏｗａｙ）ワンクリックインターネット通話制御システム及びその方法を提供することにある。
【００１７】
併せて、前記のような受信機能を有するユーザーエージェントを通話する相手に提供せず、自分だけが持とうとする場合にも用いることができる（ウェブ、電子メールなどを利用する事業者ではないとしても個人に受信機能提供）。
【００１８】
本発明のまた他の目的は、多数のユーザーが制限なく随時に同時に利用するインターネット通話制御システムに発信または受信者が個別的に一般有、無線電話で受、発信できる機能を与えて、使用が便利であり、かつ相対的にチープな有無線電話と連携されたインターネット通話制御システム及びその方法を提供することにある。
【００１９】
前記のような目的をより效果的に行うために、本発明はインターネットフォンの弱点である通話品質の改善のために、すべてのシステムをＳＩＰ（ＳｅｓｓｉｏｎＩｎｉｔｉａｔｉｏｎＰｒｏｔｏｃｏｌ）基盤で構成したＳＩＰ基盤のワンクリックインターネット通話制御システム及びその方法を提供する。
【課題を解決するための手段】
【００２０】
前記した本発明の目的を果たすために、本発明のインターネット通話制御システムは、インターネットを利用したインターネット通話制御システムにおいて、加入会員の情報を保存するＤＢサーバーと、暗号化された事業者のＩＤを含んだ固有情報とアイコンがクリックされると暗号化を解除して発信機能を有するユーザーエージェントにこれを伝達するクリックプログラムを備えて前記アイコンが表示された前記事業者のウェブサーバーと、前記アイコンがクリックされると前記クリックプログラムにより暗号解除された前記事業者の固有情報を顧客ＩＤとともに呼び処理サーバーに呼び出し信号として送り出す発信機能を有するユーザーエージェントを備えた顧客ＰＣと、前記呼び出し信号を受信して前記ＤＢサーバーに保存された前記事業者ＰＣのＩＰ位置を照会して前記事業者ＰＣに前記呼び出し信号を中継する呼び処理サーバーと、前記中継された呼び出し信号を受信して顧客のＩＤを保存し、前記顧客ＰＣと通話できる受信機能を有するユーザーエージェントを備えた事業者ＰＣとで構成されたことを特徴とする。
【００２１】
また、本発明のインターネット通話制御システムは、インターネットを利用したインターネット通話制御システムにおいて、加入会員の情報を保存するＤＢサーバーと、暗号化された事業者の固有情報とアイコンがクリックされると、これを感知して暗号化を解除して発信機能を有するユーザーエージェントにこれを伝達するクリックプログラムを備えて前記アイコンが表示された前記事業者の電子メールを保存する電子メールサーバーと、前記アイコンがクリックされると前記クリックプログラムにより暗号解除された前記事業者の固有情報を顧客ＩＤと共に呼び処理サーバーに呼び出し信号として送り出すユーザーエージェントを有する顧客ＰＣと、前記呼び出し信号を受信して前記ＤＢサーバーに保存された前記事業者ＰＣのＩＰ位置を照会して前記事業者ＰＣに前記呼び出し信号を中継する呼び処理サーバーと、前記中継された呼び出し信号を受信して顧客のＩＤを保存し、前記顧客ＰＣと電話できる受信機能を有するユーザーエージェントを備えた事業者ＰＣとで構成されたことを特徴とする。
【００２２】
また、本発明のインターネット通話制御システムはインターネットを利用したインターネット通話制御システムにおいて、呼び処理サーバーが受信機能が与えられたことを認識できる別途表示が与えられた事業者情報を保存するＤＢサーバーと、顧客ＰＣで入力された索引語に該当する前記事業者の情報を前記ＤＢサーバーで検索して前記各事業者のＩＤを含んだ固有情報を暗号化し、アイコンがクリックされるとｖ暗号化を解除して発信機能を有するユーザーエージェントにこれを伝達するクリックプログラムを生成させる会員管理サーバーのシステム運営者ウェブサーバーに伝達する事業者情報処理部と、前記事業者情報処理部で事業者情報及びクリックプログラムを伝達されて表示されたアイコンとそれぞれ連携されるように所定の位置に備えたシステム運営者のウェブサーバーを有する会員管理サーバーと、前記アイコンがクリックされると前記連携されたクリックプログラムにより暗号解除された前記事業者の固有情報を顧客ＩＤと共に呼び処理サーバーに呼び出し信号として送り出す発信機能を有するユーザーエージェントを備えた顧客ＰＣと、前記呼び出し信号を受信して前記ＤＢサーバーに保存された前記事業者ＰＣのＩＰ位置を照会して前記事業者ＰＣに前記呼び出し信号を中継する呼び処理サーバーと、前記中継された呼び出し信号を受信して顧客のＩＤを保存し、前記顧客ＰＣと電話できる受信機能を有するユーザーエージェントを備えた事業者ＰＣとで構成されることを特徴とする。
【００２３】
また、本発明のインターネット通話制御システムはインターネットを利用したインターネット通話制御システムにおいて、会員の電子メールを保存する電子メールサーバーと、会員の情報を保存するＤＢサーバーと、会員の情報を入力されて前記ＤＢサーバーに保存し、会員管理に必要な機能を行う会員管理サーバーと、入力された電話番号を発信ボタンによって呼び処理サーバーに呼び出し信号として送り出す発信機能を有するユーザーエージェントを備えた発信ＰＣと、前記呼び出し信号を受信して前記ＤＢサーバーに保存された受信ＰＣのＩＰ位置を照会して前記受信ＰＣに中継する呼び処理サーバーと、前記呼び処理サーバーの中継信号を受信して応答信号を送り出して通話する受信機能を有するユーザーエージェントを備えた受信ＰＣとで構成され、前記受信ＰＣまたは発信ＰＣにはＰＳＴＮ網と接続された個別ラインアダプターが連結され、前記ＰＳＴＮ網に連結された一般電話機が前記ラインアダプターを介して前記受、発信ＰＣを介してインターネット通話ができるように制御する機能をさらに有する前記受、発信ユーザーエージェントと、前記受、発信ユーザーエージェントによって前記ＰＳＴＮ網に接続された一般電話機と前記ＰＣとの信号またはデータをそれぞれ認識、中継して前記一般電話機で前記ＰＣを介したインターネット通話受信及び発信ができるように構成されることを特徴とする。
【００２４】
また、本発明のインターネット通話制御方法は、インターネットを利用したインターネット通話制御方法において、顧客が事業者ウェブサーバーに表示されたアイコンをクリックすると、前記事業者ウェブサーバーに備えられてクリックされたアイコンと連携されたクリックプログラムにより前記事業者のＩＤを含んだ暗号化された情報を暗号解除する過程と、前記顧客ＰＣに設置された発信機能を有するユーザーエージェントにより暗号解除された前記事業者の情報を抽出して顧客ＩＤと共に呼び処理サーバーに呼び出し信号として送り出す過程と、前記呼び出し信号が受信されると、前記呼び処理サーバーが前記事業者の情報が保存されたＤＢサーバーで前記呼び出し信号に含まれた事業者のＩＤに対応する事業者ＰＣのＩＰ位置を照会して前記呼び出し信号を前記事業者ＰＣに中継する過程と、前記事業者ＰＣが前記呼び処理サーバーにより中継された前記呼び出し信号を受信すると、受信機能を有するユーザーエージェントにより前記顧客ＰＣに応答メッセージを送り出す過程を有することを特徴とする。
【００２５】
また、本発明のインターネット通話制御方法は、インターネットを利用したインターネット通話制御方法において、事業者がログインして会員管理サーバーで電子メール本文と相手ＩＤを入力して送りボタンをクリックすると、アイコン生成部で前記事業者のＩＤを含んだ固有情報をＤＢサーバーから抽出して暗号化し、アイコンがクリックされると前記暗号を解除するクリックプログラムを生成して前記電子メールに挿入して前記顧客の電子メールサーバーに送り出す過程と、前記顧客ＰＣで前記電子メールサーバーから電子メールを伝達されて表示されたアイコンをクリックすると、前記暗号化を解除して受信機能を有するユーザーエージェントにより前記暗号解除された事業者情報を顧客ＰＣのＩＤとともに呼び出し信号として呼び処理サーバーに送り出す過程と、前記呼び出し信号が受信されると前記呼び処理サーバーが前記ＤＢサーバーで前記呼び出し信号に含まれた前記事業者のＩＤに対応する事業者ＰＣのＩＰ位置を照会して前記呼び出し信号を前記事業者ＰＣに中継する過程と、前記事業者ＰＣが前記呼び処理サーバーにより中継された前記呼び出し信号を受信すると、受信機能を有するユーザーエージェントにより前記顧客ＰＣに応答メッセージを送り出す過程を有することを特徴とする。
【００２６】
また、本発明のインターネット通話制御方法は、インターネットを利用したインターネット通話制御方法において、顧客がシステム運営者のウェブサーバーに表示された多数のアイコンの中で特定アイコンをクリックすると、前記システム運営者のウェブサーバーに備えられ、前記クリックされたアイコンと連携されたクリックプログラムにより前記事業者のＩＤを含んだ暗号化された情報を暗号解除する過程と、前記顧客ＰＣに設置された発信機能を有するユーザーエージェントにより前記暗号解除された前記事業者の情報を抽出して顧客ＩＤと共に呼び処理サーバーに呼び出し信号を送り出す過程と、前記呼び出し信号が受信されると前記呼び処理サーバーが前記事業者の情報が保存されたＤＢサーバーで前記呼び出し信号に含まれた事業者のＩＤに対応する事業者ＰＣのＩＰ位置を照会して前記呼び出し信号を前記事業者ＰＣに中継する過程と、前記事業者ＰＣが前記呼び処理サーバーにより中継された前記呼び出し信号を受信すると、受信機能を有するユーザーエージェントによって前記顧客ＰＣに応答メッセージを送り出す過程を有することを特徴とする。
【００２７】
また、本発明のインターネット通話制御方法は、インターネットを利用したインターネット通話制御方法において、会員の情報を管理する会員管理サーバーで受信機能が与えられた会員の情報を呼び処理サーバーが認識できる表示をしてＤＢサーバーに保存する過程と、発信ＰＣで発信機能を有するユーザーエージェントにより呼び出し信号を送り出す過程と、呼び処理サーバーで前記呼び出し信号を受信して前記ＤＢサーバーで受信ＰＣのＩＰ位置を照会して前記呼び出し信号を中継する過程と、受信ＰＣが前記中継信号を受信して受信機能を有するユーザーエージェントにより応答メッセージを送り出して電話機能を行う過程と、前記受信または発信ＰＣにはＰＳＴＮ網と接続された個別ラインアダプターに電話機の発信信号が感知されると、これをＤＴＭＦ送受信部を通じて発信番号を読み取る過程と、発信信号が抽出されると、前記ユーザーエージェントによりＳＩＰ処理部を通じて呼び処理サーバーに呼び出し信号を送り出す過程と、前記ＰＣに受信された呼び出し信号を設定されたモードに応じてサウンド入出力経路を無条件前記ラインアダプターを介してＰＳＴＮ網に連結するか、一応受信ＰＣを連結して待機している中に一定時間が経るとＰＳＴＮ網に連結する過程を有することを特徴とする。
【発明の効果】
【００２８】
前記したように、本発明は、インターネット網を利用して事業をする者が自分のウェブページや電子メール等に自分にワンクリックして無料電話できるサービスをインターネットを利用する不特定多数の数多くの顧客に提供して、広告や営業等に有用に活用することができ、顧客もまた必要な情報や商品購買のために容易かつ便利に無料で問い合わせや相談ができる效果がある。また、本発明によるアイコン表示事業者情報をシステム運営者のウェブサーバー等の所定の位置に集大成して顧客に提供することにより、事業者は自分のウェブページを訪問する可能性の少ない一般顧客に自分の情報を公開し得る機会を得ることができるようになり、顧客は所望の分野の情報を得るためによくも知らない事業者のウェブページを個別的に一つ一つ訪問することなく、集大成されて提供される所定のウェブサーバーにのみ接続して必要な分野に係わる多数の事業者の情報をいっぺんに見て、所望の事業者を簡単に選択して手軽く無料で通話できる效果がある。さらには、貿易業者などの特定顧客と通話量の多い事業者等が顧客に無料で両方向に通話できるサービスを何らの手続きなく提供することができるので、チープな費用で所望の相手と両方向で通話できる效果がある。また事業者に関心を有して通話した顧客に密着されたサービスと営業活動ができるように受信顧客通話統計情報を提供して事業者の利益向上をはかることのできる效果がある。このような利点を有料会員である事業者または両方向申請者に提供することにより、窮極的には本システムを提供して運営するシステム運営者の利益をはかることができるという效果がある。
【００２９】
またユーザーが一般電話で受、発信することができ、使用が便利であり、取り次ぎ、回しなどの便利な機能を提供して多くの便利さを提供したのである。 
【発明を実施するための最良の形態】
【００３０】
本発明のインターネット通話制御システムは次のとおりであり、関連した公知技術による機能または構成に対する具体的な説明が本発明の要旨を濁ごす恐れのあると判断される部分は、その詳細な説明は略する。
【００３１】
本発明は、すべての人（以下‘顧客’と言う）に無料で会員加入だけすれば、本システムを利用して無料で発信ができるように構成されている（場合によって、ログインだけでも使用可能に構成されることができる）。
【００３２】
代りに、受信機能は有料会員（以下‘事業者’という）にだけ提供され、インターネットを利用して営業をする事業者または両方向通話を願う個人に有用である。場合によっては、システム運営者が有料、無料区分を選択的にすることができる。すなわち、事業者と顧客とが共に無料であることもでき、反対に共に有料であることもでき、事業者は無料、顧客は有料とすることもできる。また受、発信機能の選択も多様にすることができる。
【００３３】
本発明は、基本的に一つの基準で説明し、他の場合の実施が本発明の基本思想を含むことは全て同一範疇に属する。図２のＰＣ内部ブロック図は受、発信用が全て同一であり、事業自用は２１〜２９にし、顧客用は３１〜３９で表示する。ユーザーエージェント２１、３１は、それぞれ受、発信機能を全て備えているが、前記事業者にはＩＤに別途に認識コードを置いてＤＢサーバー１１に保存して呼び処理サーバー１２が受信可能ＩＤであるか否かを判断できるように構成されて、顧客は受信が不可能となる。しかし必要によって受、発信機能をそれぞれ別途にして構成し、前記ＩＤ区分をしないように構成することも可能である。ただし、この場合には、後述のように、呼び処理サーバー１２の非效率問題が発生する恐れもある。
【００３４】
先に、図１乃至図３による本発明の第１実施例（事業者ウェブを利用した方式）を説明する。
【００３５】
会員情報（ＩＤ、商号、名前、電話番号、住所、ウェブページアドレス、パスワードなど）を保存するが、受信可能な事業者ＩＤを区分できるようにされたＤＢサーバー１１と、前記ＤＢサーバー１１に保存された事業者の情報の中で必要な情報を選択的に抽出してそれぞれ暗号化し、特定表示（以下‘アイコン’と言う）がクリックされると、連携された暗号化情報を解除して保存するクリックダイヤルプログラム（以下‘クリックプログラム’と言う）を備えたアイコン生成部１３を有する会員管理サーバー１と、前記クリックプログラムを事業者のウェブサーバープログラム内の所定の位置に備えて顧客ＰＣ３に提供する事業者ウェブサーバー４と、前記事業者ウェブサーバー４に表示されたアイコンをワンクリックして実行されるクリックプログラムにより暗号解除された前記事業者の保存された情報（ＩＤ、電話番号、商号、ウェブページアドレス、有效期間、項目は選択的である）を導出して顧客のＩＤとともに呼び処理サーバー１２に呼び出し信号を送り出し、前記事業者ＰＣ２の応答信号に応じてインターネット通話機能を行うユーザーエージェント（ｕｓｅｒ−ａｇｅｎｔ）プログラム（以下‘発信ユーザーエージェント’とする）を備えた顧客ＰＣ３と、前記顧客ＰＣ３から送り出された通話呼び出し信号を認識して発信者（顧客）の会員加入及びログイン可否を前記ＤＢサーバー１１で照会し、ログインされた会員の場合、受信する事業者のログイン時に保存された事業者のＩＤに対応される事業者ＰＣ２のＩＰ位置を前記ＤＢサーバー１１で検索して前記発信者（顧客）ＰＣ３のＩＤなどを含んだ通話呼び出し信号を前記事業者ＰＣ２に中継する呼び処理サーバー１２と、前記呼び処理サーバー１２の通話呼び出し信号を受信すると顧客ＰＣ３に応答信号を送り出してインターネット通話機能を行う受信ユーザーエージェントプログラム（以下 ‘受信ユーザーエージェント’とする）を備えた事業者ＰＣ２を主要構成とする。
【００３６】
前記受、発信ユーザーエージェント２１、３１は、基本的に前記会員管理サーバー１のアイコン生成部１３に事業者が加入されと、必要項目を暗号化するように用意された前記クリックプログラムとともに別に備えられており、前記会員管理サーバー２の該当アイコンをクリックしてそれぞれ要求されるユーザーエージェントをＰＣ２、３に設置されるように前記クリックプログラムに構成されている。
【００３７】
前記事業者ウェブサーバー４は、事業者が直接運営するウェブサーバーを含んでアイコンが掲載されたすべてのウェブサーバーを意味し、顧客は事業者ウェブサーバー４に表示されたアイコンをクリックして前記ユーザーエージェントを設置することもできる。
【００３８】
前記で顧客事業者はあらかじめログインして前記呼び処理サーバー１２がそれぞれＩＤとＰＣ２、３のＩＰ位置を認識するようにしなければならない。そうでなければ呼び処理サーバー１２は呼び出し信号を中継できなくなる。
【００３９】
また会員情報が全て前記ＤＢサーバー１１に保存され、ＩＤやＩＰなどを照会する時に效果的ではない場合には、ログイン時に認識したＩＤに対応される情報は前記呼び処理サーバー１２内の一時保存メモリーに別に保存しておいて活用することもできる。
【００４０】
また前記呼び処理サーバー１２は、前記顧客ＰＣ３が送り出した受信者のＩＤが前記会員管理サーバー１が認証したものであるか否かが分からないため、一応受信者ＰＣのＩＰ位置を尋ねて呼び出し信号を中継するようになるが、受信者ＰＣに設置されたユーザーエージェントが受信機能のない場合、電話は不可能となる。したがって、呼び処理サーバー１２が不必要な事をするようになるので、全体システムの效率低下をもたらすことになる。
【００４１】
したがって、望ましくは前記ユーザーエージェントの受、発信機能を全て備えて、受、発信可能な統合されたユーザーエージェントに一元化し、その代わり受信機能が与えられた事業者のＩＤにこれを区分できるコードを与えて前記ＤＢサーバー１１に保存し、前記呼び処理サーバー１２が通話呼び出し信号を中継する時、受信者のＩＤが受信が認証されたものであるか否かを前記ＤＢサーバー１１で照会して認証されないＩＤの場合は、中継をしないように構成する。
【００４２】
この場合には、事業者や顧客の誰もいかなる条件なく無料で前記アイコンが掲載されたシステム運営者または事業者のウェブページまたは受信されたメールで前記アイコンだけクリックすると、前記受、発信可能ユーザーエージェントを設置することができ、多面システム運営者によって認証されたＩＤを有するＰＣだけ受信が可能となる。
【００４３】
以下、前記統合されたユーザーエージェント方式を基準として説明する。
【００４４】
前記の暗号化される会員情報項目は、事業者に自動発信するのに必要な必須項目（電話番号、ＩＤ）と顧客に提供する商号またはアイコンを掲載する事業者のウェブアドレスや認証有效期間等のシステム運営者に必要な選択項目を必要に応じて選択することができる。
【００４５】
このような前記の主要構成と共に事業者ＰＣ２及び顧客ＰＣ３はそれぞれ一般的なＰＣが有する電子メール/ブラウザー２２、３２及びウェブブラウザー２７、３７などを備えており、インターネット通話のできるヘッドセット、マイク、キーボード、マウス等の送、受信装置をユーザーインターフェース部２５、３５を介して備えている。また、前記ＰＣ２、３に備えられたユーザーエージェント２１、３１は、本発明によるインターネット通話に必要なすべての受、発信機能と一般電話を利用するために接続されたラインアダプター６を制御する機能を備え、すべての機能を制御する制御部２８、３８とインバイトメッセージ等を送、受信するＳＩＰ信号処理部２４、３４とインターネット通話に必要なデータ変換機能を有するメディア処理部２３、３３と対話相手情報を保存する対話相手ＤＢ２６、３６及び前記ラインアダプター６を制御するラインアダプター制御部２９、３９とユーザー/サウンド入出力部などを備えている。
【００４６】
前記ラインアダプター６は、一般電話ダイヤル信号を送受信するＤＴＭＦ送信部６１とヘッドセットのようにＰＣを利用して受、発信することができる一般電話機と直接連結された直結電話機接続部６２及び公衆電話網（ＰＳＴＮ）に接続された電話網接続部６３とで構成され、前記ラインアダプター制御部２９、３９により制御される。
【００４７】
本実施例で前記事業者が同一ウェブサーバー上で多数の商品に本実施例を適用しようとする場合（以下 "マルチ加入"と言う）例えば、インターネットショッピングモール事業者が多数の商品にそれぞれワンクリックインターネット通話サービスを受けようとする場合には、前記会員管理サーバー１から必要商品別にそれぞれ別途に会員加入をして前記アイコン生成部１３からそれぞれ別途の暗号化情報が含まれたクリックプログラムを提供されて前記インターネットショッピングモール事業者のウェブサーバー４プログラム内の所定の位置にそれぞれ備えて置くと十分である。
【００４８】
すなわち、顧客がショッピングモール事業者のウェブサーバー４を訪問し、表示された多数の商品別アイコン中のいずれかでもワンクリックすれば、事業者のウェブサーバー４に備えられた該当クリックプログラムにより本発明によるサービスを受けることができるようになるのである。
【００４９】
次は、図１〜３による本発明の第２実施例（電子メールを利用した方式）を説明する。
【００５０】
前記第１実施例の前記アイコン生成部１３、顧客ＰＣ３、事業者ＰＣ２、ラインアダプター６、呼び処理サーバー１２、ＤＢサーバー１１は全て同一な機能と構成を有し、事業者ウェブサーバー４は除外される。
【００５１】
前記アイコン生成部１３に備えられたクリックプログラムを、会員管理サーバー１を利用して事業者が顧客ＰＣ３に送る電子メールに挿入して電子メールサーバー５に送り出す電子メール送り出し処理部１４を有する会員管理サーバー１を備え、顧客が自分の電子メールを見て前記電子メールサーバー５で提供されて表示されたアイコンをワンクリックすると、事業者ＰＣ２とインターネット電話ができるように構成される。
【００５２】
すなわち、前記第１実施例で事業者のウェブサーバー４を介してアイコンを表示する機能に代わって、顧客に送る電子メールにアイコンを表示するようにする機能及び構成の差異を有する。
【００５３】
ここで、図７によって前記電子メール送り出し部１４により電子メールが送り出されるプロセスを詳しく説明すれば、事業者が前記会員管理サーバー１に接続して、ＩＤとパスワードをログインし、電子メール送りメニューを選択すれば、前記会員管理サーバー１は事業者にあらかじめ認可した許容メール数を画面に表示し、受信者電子メールアドレスと本文内容とが入力されて送り出しボタンがクリックされると、メール数をカウントして許容されたメール数だけ抽出した後、前記アイコン生成部１３を呼び出して前記事業者ＩＤを伝達し、前記アイコン生成部１３は前記ＤＢサーバー１１に接続して暗号化すべき項目を抽出してＨＴＭＬ文を作成する。前記電子メール送り出し部１４は、前記送り出す電子メール本文に前記生成されたアイコンを挿入し、電子メール送り出しサーバーを呼び出して送り出すメールを臨時保存した後、一つずつ順次でメールを送り出しながら送ったメール数をカウントして臨時保存されたメールが全て送り出されると終了する。
【００５４】
もし、許容数を受信者が受信したメール基準にする場合には、受信確認可否をチェックしてカウントすれば十分である。
【００５５】
図１〜３による本発明の第３実施例（両方向通話方式）を説明する。
【００５６】
本実施例は、サービスを受けようとする事業者が自分が願う相手と両方向でインターネット電話をする場合である。
【００５７】
すべての機能と構成は、第２実施例と同一な電子メールを利用した方式であり、ただ事業者は、前記会員管理サーバー１で事業者及び電話する相手のＩＤを入力して受信可能認証を受けると、前記会員管理サーバー１は認証されたＩＤを受信可能ＩＤで別途表示して前記ＤＢサーバー１１に保存し、前記相手は受信された電子メールに表示されたアイコンをクリックして事業者と電話することができ、前記事業者は相手のＩＤを手作業で入力するか、相手電話を受信した場合には、前記対話相手ＤＢ２６に電話番号が自動に保存されて相互両方向に電話することができるように構成される。
【００５８】
次は、図１〜３による本発明の第４実施例（システム運営者ウェブを利用した方式）を説明する。
【００５９】
ここで、システム運営者とは、本発明による全体システムを提供し、事業者と顧客の会員加入を受けて全体システムを運営する者を言う。
【００６０】
本実施例は、前記第１実施例のマルチ加入と基本的に同一類似であり、ただし第１実施例がクリックプログラムを事業者ウェブサーバー４に備えた代わりにシステム運営者ウェブサーバー１に備えた点が異なっている。
【００６１】
前記ＤＢサーバー１１、呼び処理サーバー１２、顧客ＰＣ３、事業者ＰＣ２は、前記第１実施例と同一な機能と構成を有し、前記顧客ＰＣ３で入力された索引語を前記ＤＢサーバー１１で検索して検索された受信機能保有事業者及び個人情報を前記アイコン生成部１３に提供する事業者情報処理部１５と、前記検索された多数の事業者（個人を含む）情報に該当する多数のクリックプログラムをそれぞれ生成させて、ウェブインターフェース１６に提供するアイコン生成部１３と、前記ウェブインターフェースを介して提供された多数のクリックプログラムを備え、それぞれこれと連携されたアイコンを所定の形態で前記システム運営者ウェブページに表示するようになったシステム運営者ウェブサーバー１７を有する会員管理サーバー１で構成される。
【００６２】
ここで図８による前記事業者情報処理部１５の索引語検索プロセスを詳しく説明する。
【００６３】
任意のインターネットユーザーが前記会員管理サーバー１に接続して電話番号検索窓で願う索引語を入力するところ、先に地域検索条件を優先順位とし、次に業種または事業者が加入の時に入力した情報項目の中で必要な項目を入力すれば（中華料理店、花屋等のショートカット項目や電話番号等）、前記事業者情報処理部１５は入力された索引語の組合に該当する受信可能保有会員のＩＤ、商号、電話番号等を前記ＤＢサーバー１１で照会して一時保存し、照会された事業者数をカウントして各事業者別ＨＴＭＬ文を順に作成して順に画面に表示し、保存された事業者が全て表示されると終了する。
【００６４】
このような構成により受信機能を有する事業者顧客が自分のウェブページを訪問しなくても、不特定顧客に広告等の営業行為が可能であり、顧客も多くの情報が提供される一つのウェブで所望の事業者と容易に通話できるように構成されたのである。また受信機能が与えられた一般会員情報は、名前、アドレス、電話番号等で検索することができるので、友達、親戚等の知人がシステム運営者のウェブサーバーを訪問して名前等を検索した後、アイコンだけクリックすれば、簡単に電話することができるように構成されたのである。
【００６５】
前記実施例において、前記事業者に受信された顧客の統計的情報を提供するために、前記事業者ＰＣ２のユーザーエージェント２１に受信された顧客の通話記録をテキストファイル等で累積、記録できる通話記録機能を備え、前記会員管理サーバー１に顧客が会員加入する時に前記ＤＢサーバー１１に保存された顧客の住所、住民登録番号等と顧客の受信記録（ＩＤ、受信時間、終了時間）を統合して、受信機能認証者に必要な所定の形態で加工処理する機能を有する通話統計処理部１８を構成して、前記通話統計処理部１８に接続して自分に電話をかけた顧客の、地域別、性別、年齢別情報と期間別新規通話件数、既存顧客通話件数、総通話時間などの多様な情報を抽出できるように構成される。
【００６６】
ここで、図９によって前記通話統計処理部１８による通話統計処理プロセスを詳しく説明する。前記受信機能認証者は、前記会員管理サーバー１に接続して通話統計メニューでログインすると、前記通話統計処理部１８は、前記顧客ＰＣ３に累積、記録されている通話記録ファイル（一般的にテキストファイルとなる）を前記会員管理サーバー１へ持たせて、記録された手順によって一つずつＩＤを抽出して前記ＤＢサーバー１１でここに該当する必要項目（住所、性別、年齢等）を抽出して統計処理するファイルに累積保存する。
【００６７】
前記記録されたＩＤ抽出が完了すると、必要な統計プログラムを呼び出して統計値を算出して保存し、処理結果を画面に表示する。もし、既存に蓄積された統計値と比べる場合には、蓄積された統計値を抽出して比べた後に画面に表示する。
【００６８】
前記実施例らにおいて、暗号化する事業者情報は、暗号化しなくても使用され得るが、システム運営者が許可しない無断使用を防止するための場合等に必要とする。
【００６９】
本発明によるインターネット通話制御システムは、ラインアダプターをＰＣに連結して一般公衆電話網を利用した一般有、無線電話機または交換器等に接続、使用できるように構成される。
【００７０】
このような構成は、前記のすべての実施例に適用され、既存の１対１の通話方式では用いられず、多数間の通話方式では集団ゲートウェイシステムにより行われる機能を同時に解決できるユーザーエージェントを備えている。
【００７１】
すなわち、各ＰＣに個別的にラインアダプターを連結した構成と別途の呼び処理サーバー１２を介して多数間通話をする場合、通話中の場合に音声メッセージを処理し、公衆電話網で発信する場合、一応ラインアダプターが一般電話で受信し、状況に応じて対応できる機能を備えるように構成される。
【００７２】
さらに、本発明で実施しようとするワンクリックインターネットフォン制御システム及びその方法は、ＳＩＰを基盤で構築して、インターネットフォンの脆弱点である通話品質を向上できる。すなわち、ｗｉｎｄｏｗのインターネット通信用プログラムを前記ユーザーエージェントに備えずに活用可能であるので、前記ユーザーエージェントの容量を相対的に減らすことができ、これによって前記メディア処理部のデータ処理速度等の通話品質に影響を及ぼすＰＣプロセシングなどに相対的に多くの支援ができて、電話品質を改善したのである。
【実施例】
【００７３】
このように構成された本発明の作用及び效果を各実施例別に詳しく説明する。先に、本発明によるサービスは加入された会員にだけ提供され、ユーザー（事業者、または顧客）ＰＣには、前記ユーザーエージェント２１、３１が設置されていなければならない。ただし、顧客は最初使用の時にも自動的に設置されるので問題がない。基本的に、本システムは事業者の広告、営業等営利のために提供、運営されるので、営利のために積極的に本発明によるシステムに加入しようとする事業者は、有料で加入しなければならない（システム運営者の選択によって無料で運営されることもできる）。
【００７４】
[会員加入プロセス]
（有料会員）
＊１００本システムに加入しようとする有料会員は、先にシステム運営者が提供する会員管理サーバー１のウェブサーバー１７で事業者（特定人）のＩＤ、電話番号、パスワード、住所、検索キーワードなどの要求される加入情報を入力する。有料の場合には、決済を通じて事業者（受信機能可否）として登録される。前記会員管理サーバー１は、加入が認可された事業者（特定人）の情報を別途表示（ＩＤに特定コード追加など）して前記ＤＢサーバー１１に保存し、商号、ＩＤ、電話番号等の選択された必要項目を前記アイコン生成部１３で暗号化して前記クリックプログラムをウェブサーバー１７に提供する。前記事業者は、自分のクリックプログラムを前記ウェブサーバー１７で提供されて、自分のウェブサーバー４の所定の位置に挿入する。
【００７５】
ここでクリックプログラムはＨ.Ｔ.Ｍ.Ｌ（ＨｙｐｅｒＴｅｘｔＭａｋｅ−ｕｐＬａｎｇｕａｇｅ）文で作成されることが望ましいが、他の方法で作成されても本発明の範疇に含まれる。同時に、顧客との通話のために事業者ＰＣ２に前記ユーザーエージェント２１を設置しなければならない。このためには、システム運営者のウェブサーバー１７を訪問してウェブページに表示されたシステム運営者のアイコンをクリックしなければならない。アイコンがクリックされると、前記システム運営者ウェブサーバー１７に備えられたシステム運営者のクリックプログラムによって、後述のように事業者ＰＣ２にユーザーエージェント２１が自動的に設置される。これにより、有料会員の加入及びサービスに必要な準備は簡単に完了する。
【００７６】
（無料会員）
次は、顧客が本システムを利用するために無料で会員加入を希望する場合、有料会員と同じく先にシステム運営者のウェブサーバー１７を訪問して、会員加入窓で前記事業者と同様に要求される情報（ＩＤ、パスワード、名前、住所等）を入力する。ここで、顧客のＩＤは、顧客が受信できる電子メールアドレスにすることが望ましい（事業者が顧客に電子メール送るのに活用するためである）。これにより、無料会員は会員加入が完了され、顧客ＰＣ３に設置するユーザーエージェント３１は、この状態でシステム運営者のウェブページにあるアイコンをクリックして自動設置することもでき、前記事業者のウェブページにある事業者アイコンをクリックして設置することもできる。何故ならば、事業者の場合は、前記会員加入の時に自分のウェブサーバー４にシステム運営者ウェブサーバー１７に備えられたことと同一な機能を有するクリックプログラムを既に備えておいた状態であるためである。
【００７７】
ただし、顧客の便宜上、会員加入の時にあらかじめシステム運営者ウェブサーバー１７で発信ユーザーエージェント３１を設置しておくと、次に任意の事業者と電話を願う時、事業者ウェブ４に備えられたクリックプログラムの中で前記ユーザーエージェント３１を
自動設置するのに必要な時間を減らすことができるという長所がある。
【００７８】
ここで、前記したクリックプログラムの生成と実行に対する動作プロセスを詳しく説明する。前記アイコン生成部１３がクリックプログラムを生成する過程を図６のフローチャートにより説明すると、（１）事業者が会員管理サーバー１に接続して（２）会員情報入力窓で （３）会員情報をすべて入力し、（４）決済を通じて加入が認証されると、（５）前記会員情報ＤＢサーバー１１に前記会員情報が受信可能データ状態に保存され（６）前記アイコン生成部１３を呼び出して（７）前記ＤＢサーバー１１に接続して、（８）保存された情報中にあらかじめ決まった項目を選択、抽出して暗号化文を作り、前記アイコンがクリックされると、これを検出するクリック検出文と前記暗号文と顧客ＰＣ３のユーザーエージェントを制御する文を全て合わせた前記クリックプログラムを生成し、（９）（１０）これを会員情報表示窓に表示して事業者がコピーするように提供する。このように生成されたクリックプログラムを事業者は自分のウェブページにコピーして挿入すればアイコンが表示され、これをクリックすると、次のように実行される。
【００７９】
（クリックプログラム動作プロセス）
図４のように、
（１）顧客がアイコンをクリックすると、
（２）前記アイコンに連携されて暗号化されている前記事業者の商号、ＩＤ、電話番号等のパラメーター値の暗号化を解除させ、
（３）暗号解除された前記パラメーター値を抽出する。
【００８０】
（４）次に顧客ＰＣ３にユーザーエージェント３１が設置されているのか否かをチェックして、
（５）設置されていなければ、前記会員管理サーバー１の前記アイコン生成部１３に備えられているユーザーエージェント３１を顧客ＰＣ３にダウンロードして自動的に設置し、既に設置された場合、必要な時に自動的にアップグレード（ｕｐ−ｇｒａｄｅ）させる。
【００８１】
（６）前記ユーザーエージェント３１が設置されているか、（５）のように設置が完了されると、前記ユーザーエージェント３１に稼動準備状態となるように起動信号を送る。
（７）引き継いて、前記（３）の抽出されたパラメーター値を保存した後、
（８）前記ユーザーエージェント３１を呼び出すメッセージを送り出す。これで、クリックプログラムの動作プロセッサは終了する。すなわち、既存に発信者が受信者の情報を煩わしい手続きで調査していちいち入力する機能を、ソフトウェア的に自動実行されるようにしたのである。また受、発信通話制御に必要なユーザーエージェント２１、３１をチェックして、設置されていないＰＣには、アイコン生成部で自動的にダウンロードされて設置してくれる。したがって、最初のユーザーも使用が簡単であり、ユーザーエージェントがバージョンアップ（Ｖｅｒｓｉｏｎ−ｕｐ）された場合、既存に設置されたユーザーエージェントのバージョンをチェックして、必要な時に自動的にアップグレード機能を行うことができるようになる。
【００８２】
引き継いて、図５によるユーザーエージェント２１、３１の自動発信動作プロセッサを詳しく説明する。
（９）前記発信ユーザーエージェント３１は、（８）の呼び出しメッセージを受信し、
（１０）前記（７）の保存されたパラメーター値を検出し、
（１１）アイコンがクリックされたウェブページのユーアールエール（ＵＲＬ）を抽出して、（１２）加入の時に認証された事業者のウェブアドレスと一致すれば（一致していない場合は、実行中止）、
（１２）さらに有効期間をチェックして（でなければ、実行中止）
（１３）満了していなかったら、
（１４）顧客ＰＣ３のチャットボックスＤＢ３６を検索し、
（１５）前記パラメーター値が前記チャットボックスＤＢ３６に存在するか否かをチェックし、
（１６）存在していなければ、これを前記チャットボックスＤＢ３６にさらに登録させ、
（１７）電話かけ窓に前記（１０）で検出した前記パラメーター値を表示する。
（１８）顧客が発信ボタンをクリックすると、
（１９）発信に必要な事業者ＩＤを抽出して顧客のＩＤとともに前記呼び処理サーバー１２へ呼び出し信号を送り出す。これにより、ユーザーエージェント２１、３１の自動発信動作プロセスは終了する。
【００８３】
すなわち、前記クリックプログラムが実行されて、保存している受信者の情報を抽出して使用が認証された事業者であるか否かを確認した後、発信情報を保存して自動発信する。これは、既存に手作業で入力された電話番号を発信する過程をソフトウェア的に自動実行されるようにしたものである。
【００８４】
今まで説明したのは、前記クリックプログラムの実行に係わる一連のプロセスを全て説明したものである。必要に応じて、部分的に作動手順や機能を変更して用いることもできる。前記した内容をさらに要約、整理すると、顧客が願う事業者のウェブサーバー４に接続して表示されたアイコンをワンクリックすると、前記ウェブサーバー４に備えられているクリックプログラムが実行されるが、先に前記（２）、（３）のように暗号化されたアイコン所有事業者のパラメーター値を抽出して、ユーザーエージェントが既に設置されていると仮定すると、前記（６）（７）（８）と共に前記パラメーター値を保存した後に前記ユーザーエージェント３１を可動させる。
【００８５】
そうすると、前記（９）〜（１９）のように前記ユーザーエージェント３１は前記パラメーター値を検出して発信者（顧客）のＩＤとともに発信する。ここで、実際の発信動作が行われるためには、発信命令を行う前に必ず顧客ＰＣ３を通じて前記呼び処理サーバー１２が自分のＩＤをあらかじめ認識しているようにＬＯＧ−ＩＮをしておかなければならない。そうでなければ、前記発信命令に応じて呼び出し信号を送り出しても、前記呼び処理サーバー１２が認識できなくて、発信動作は行われることができない。
【００８６】
また、顧客（発信者）ＰＣ３に前記ユーザーエージェント３１をさらに設置する必要がない場合には、（１７）前記（４）及び（５）のプロセッサでは含まれなくても良い。本システムで顧客が発信した事業者の情報を保存しなくても良い場合、前記（１４）〜（１６）のプロセスは省略されることもでき、前記アイコンをクリックする時、自動的に事業者に電話をするように設定した場合には、前記（１７）（１８）も省略されることができる（顧客が自動または受動を選択するようにすることもできる）。
【００８７】
前記したように、本発明によるクリックプログラムは、基本的に、本発明によるサービスを受けるために利用されるＰＣに必須なユーザーエージェントを事業者との通話のために顧客がアイコンをクリックする時、自動的に設置した後、前記ユーザーエージェントによりアイコンと連携された事業者に自動的に発信される一連のプロセスを全て備えることにより、顧客が事業者と本発明による通話サービスを利用しようとする場合、最初使用する時にも、事業者のアイコンだけ押せば、直ちに事業者と容易に電話できるようになっていて、一般顧客がいつでも楽な心で気軽に短い時間で簡単に購買のための事業者との接触ができるように誘導して、事業者の営業效率を向上するためのことであり、これによって事業者と顧客が共に手助けになって、結局事業者の増加によるシステム運営者の収益をはかるためのものである。
【００８８】
既存に電話する人のインターネット電話番号、ＩＤなどを別途に照会して、さらに手作業で電話かけ窓で要求される項目を全て入力した後、発信ボタンを押さなければならない顧客の煩わしさを解消して、事業者に発信した顧客情報を認識し保存して、営業活動に活 
用するようにしたものであって、本発明によるサービスを提供するのに必要な核心機能及び構成であると言える。
【００８９】
前記クリックプログラムは、基本的にＨＴＭＬ文で作成されることが望ましく、ユーザーエージェント２１、３１を前記会員管理サーバー１に別途に備え、ＨＴＭＬ文にこれを自動的にダウンロードして設置するようにしたプログラムを置いたのは、前記ユーザーエージェント２１、３１が単純に図５の（９）〜（１９）機能のみを行うことでなく、前記事業者及び顧客ＰＣ２、３の信号処理部２４、３４を含むインターネット通話制御及びラインアダプター制御等の多くの機能を行うように備える場合、基本的に数Ｍ程度の容量が必要となるので、別途に備えるのが望ましいと言うはずであるが、一部単純機能のみを行う場合には、前記ＨＴＭＬ文に含ませて別途に備えなくても良い。
【００９０】
また、前記ユーザーエージェント３１を前記事業者のウェブサーバー４に備えて、顧客がアイコンを押せば事業者のウェブサーバー４に備えられたクリックプログラムにより事業者ウェブサーバーに備えられた前記ユーザーエージェント３１が設置されるようにする
こともできる。
【００９１】
ところが、この場合には同一な内容を有する実行プログラムとなったＨＴＭＬ文のユーザーエージェント３１ダウンロードプログラムがあらかじめ指定された所定の位置（例えば、会員管理サーバー１の所定位置）で提供されるようにすることが望ましいが、事業者
のウェブサーバー４は変動性があるので、事業者のウェブサーバー４ごとに位置が異なって、ＨＴＭＬ文のプログラム内容が変更されなければならないため、適用することはできるが、效率面では望ましい方法であるとは言えない。今までは、ユーザーエージェントに
よる発信機能とそのプロセスを説明し、受信機能とそのプロセッサは各実施例の説明で受信用ＰＣが受信信号を認識し、応答信号を送り出すことだけで説明し、呼び出し信号受信の後の詳細な動作は、すべての実施例で同一であるので、すべての実施例の説明以後に別
途に説明することにする。
【００９２】
（第１実施例）-事業者ウェブを利用した方式
顧客が事業者と直接電話を希望する場合には、前記事業者ウェブサーバー４を訪問して表示された事業者のアイコンをワンクリックする。アイコンがクリックされると、システム運営者から会員加入認証を通じて提供された事業者固有の情報を含み、前記事業者ウェブサーバー４の所定の位置に備えられているクリックプログラムが実行される。すなわち、図４のように暗号化された前記クリックした事業者の固有情報が解除され、それによる前記事業者の固有情報パラメーターを抽出した後、顧客ＰＣ３に設置されているユーザーエージェント３１に起動信号を送り、前記抽出された事業者固有のパラメーター値を保存した後、前記ユーザーエージェント３１に呼び出しメッセージを送り出す。
【００９３】
前記送り出し信号を受信した前記ユーザーエージェント３１は、図５のように前記保存された事業者固有のパラメーター値を検出して顧客が通話しようとする事業者のＩＤ（必要な時、名前等を追加することができる）と顧客自分のＩＤを含む呼び出し信号を前記呼び処理サーバー１２に送り出す。
【００９４】
前述の動作プロセスは、顧客が所望の事業者とワンクリックでインターネット無料通話をするために、該当事業者のウェブページで表示されたアイコンをワンクリックすると、前記クリックプログラムが自動的に実行されて発信信号を送る過程に関するものである。このような動作プロセスにより、顧客はワンクリックで希望する事業者に簡単に発信することができるのである。
【００９５】
ここで、本発明によるシステムを初めて使う顧客が、会員加入の時にシステム運営者のウェブサーバー１７で前記ユーザーエージェント３１をあらかじめダウンロードされて設置しない場合には、図４の（４）（５）によって自動的に設置した後に動作されるので全然問題がなく、顧客が通話した事業者の固有情報を自動的に保存させることは、図５の（４）〜（１６）動作プロセスにより行われる。
【００９６】
また、顧客がアイコンをクリックした後に自動発信するためには、図５の（１７）（１８）発信動作を別途に区分して実行しようとする場合には、図５の（１４）（１５）動作プロセスを追加して、顧客が発信ボタンをクリックすると発信されるようにする。
【００９７】
そして、電話は前記呼び処理サーバー１２により発信者である顧客ＰＣ３のＩＤ及び受信者である事業者ＰＣ２のＩＤとＩＰ位置が認識されてから可能であるため、顧客は前記図５の（１９）プロセスである呼び出し信号の送り出し前に事業者及び顧客ＰＣ２、３をｌｏｇ−ｉｎして前記呼び処理サーバー１２にあらかじめ前記事業者ＰＣ２のＩＰ位置を認識させておかなければならない。
【００９８】
このような過程によって顧客ＰＣ３が呼び出し信号を送り出すと、前記呼び処理サーバー１２は受信された事業者ＰＣ２のＩＤに対応されるＩＰ位置を前記ＤＢサーバー１１（または、呼び処理サーバーの一時保存メモリー）で照会して前記事業者ＰＣ２に前記呼び出し信号を中継する。
【００９９】
中継信号は、前記事業者ＰＣ２のＳＩＰ信号処理部２４を通じてユーザーエージェント２１に受信され、前記顧客ＰＣ３に応答信号を送り出すことにより、前記顧客ＰＣ３と事業者ＰＣ２はインターネット通話を行うことになり、また前記呼び出し信号に含まれた顧
客のＩＤ、名前等が後述のとおり自動保存される（ユーザーエージェント受信動作プロセスで説明）。
【０１００】
これにより、顧客は通話しようとする事業者とワンクリックで簡単にインターネット電話ができ、事業者は顧客に高次元のサービスを提供し、併せて密着した顧客管理ができるようになる。
【０１０１】
すなわち、前記事業者ＰＣ２のユーザーエージェント２１に受信された顧客のＩＤを対話相手ＤＢ２６に保存することができる機能を与えることにより、自分の事業に関心を有した密着された顧客に、必要な時に受信されたＩＤ（電子メールアドレス）で電子メールなどを通じて広告、広報等のより高水準の営業活動ができるようになるのである。もちろん顧客も図３の（１４）〜（１６）により自分が通話した事業者の情報が自動に保存され、次に利用する時、顧客ＰＣですぐ照会、発信できるようになる。
【０１０２】
これを図１０の動作流れ図により説明すると、事業者と顧客が共に会員加入されたと仮定すれば、事業者はログインして事業者ＰＣ２のＩＰ位置を前記呼び処理サーバー１２に登録すれば、前記呼び処理サーバー１２はこれを前記ＤＢサーバー１１に保存する。
【０１０３】
顧客が前記事業者のウェブページに接続して表示されたアイコンをクリックすると、ユーザーエージェント３１が設置されていない場合には、これを自動的に設置した後、顧客がログインした顧客ＰＣ３のＩＤを前記呼び処理サーバー１２を介してＤＢサーバー１１に保存し、前記顧客ＰＣ３から送り出された呼び出し信号を前記呼び処理サーバー１２が前記ＤＢサーバー１１を介して照会した事業者ＰＣ２のＩＰ位置に前記呼び出し信号を中継し、これを受信した事業者ＰＣ２は顧客ＰＣ３へ応答信号を送り出してインターネット電話をするようになる。
【０１０４】
そして、前記第１実施例でインターネットショッピングモール事業者と一緒に事業者が多数の商品を広告しながら各商品別に本発明によるサービスを受けようとする場合には、例えば、前記ショッピングモール内にショッピングモールを全体的に運営する事業者（Ａ）と、前記Ａ事業者のショッピングモールウェブページに携帯電話広告を掲載して営業をする事業者（Ｂ）と、カメラ広告を掲載して営業をする事業者（Ｃ）がみんな本発明によるサービスを受けようとする場合には、前記の第１実施例とすべての構成と機能及び動作プロセスは完全に同一である。
【０１０５】
ただ、この場合には前記ショッピングモール事業者（Ａ）のウェブサーバー４にそれぞれ別途に会員加入して、システム運営者から提供されたＡ、Ｂ、Ｃ、事業者固有のクリックプログラム３つが所定の位置にそれぞれ別途に備えられて、同一なショッピングモール
事業者のウェブページに表示されたそれぞれ別途のアイコンにより表示され、その中で顧客が選択、クリックしたアイコンに連携されたクリックプログラムのみが実行されて、該当事業者と顧客が直接電話することができるようになるのである。
【０１０６】
このように本実施例は事業者のウェブページにアイコン（数は制限無し）だけ表示されるようにすると、事業者の目的に応じて多様なサービスを顧客に提供するようになっている。
【０１０７】
（第２実施例）-電子メールを利用した方式
事業者は、不特定多数の顧客に商品広告のための電子メールを発送する場合、先に事業者は前記会員管理サーバー１に接続してシステム運営者が提供する電子メール窓に顧客に送る電子メールの本文内容と顧客の電子メールアドレスを入力して、送りをクリックすると、前記電子メール送り出し処理部１４は前記事業者の固有情報を有するクリックプログラムを前記事業者の電子メールに挿入して顧客に発送する（前記した第２実施例構成の図７のフローチャート説明参照）。
【０１０８】
前記電子メールを受信した顧客は、顧客ＰＣ３により前記電子メールサーバー５に接続して前記電子メールをダウンロードされた後、電子メールに表示された前記事業者のアイコンをクリックすると、前記クリックプログラムが実行されて前記第１実施例と同一なプロセスによって顧客は事業者と電話することができるようになる。
【０１０９】
すなわち、第１実施例と比べて見ると、事業者がシステム運営者の会員管理サーバーで電子メールを作成してアイコンを挿入して送ることにより、事業者のウェブページに表示したアイコンを電子メールに表示したことが異なり、それ以外のすべての機能と動作は、第１実施例と同一なものである。これを図１１による動作流れ図により詳しく説明する。先ず事業者が会員管理サーバー１でログインし、電子メール窓で顧客に送る電子メール本文内容と顧客電子メールアドレスを入力すると、ここに事業者の固有情報を有するクリッ
クプログラムを挿入して前記電子メールサーバー５に送り出し、前記電子メールサーバー５に接続した顧客が電子メールをダウンロードされてそこに表示されたアイコンをクリックすると、前記アイコンにより実行されるクリックプログラムにより顧客ＰＣ３は前記呼
び処理サーバー１２に呼び出し信号を送り出し、これを受信した呼び処理サーバー１２は前記ＤＢサーバー１１で事業者ＰＣ２のＩＰ位置を照会して前記前記呼び出し信号を中継し、これを受信した事業者ＰＣ２が顧客ＰＣ３に応答信号を送り出すことにより、顧客と事業者は通話ができるようになる。
【０１１０】
現在事業者が自分または外部専門機関に依頼して不特定多数のインターネット利用顧客に電子メール広告を発送する場合、これを受信した大部分の顧客は題目だけ見るか、または本文まで読んで見ることもあるが、事業者に問い合わせや注文をしたくても複雑な手続
きによって事業者ウェブページを訪問しなければならず、問い合わせまたは注文をしても返事をもらうことができず、直接通話をしたくても連絡先を捜す煩わしさと、探した番号に電話をしなければならないという不具合のため、容易に利用しにくく、前記した単純リ
ンク方式によるワンクリック方式も単純１回性で満了して事業者は顧客の事後管理が不可能であるが、本発明による第２実施例は顧客と事業者が共に相互手助けになり得る有用なサービスである。
【０１１１】
すなわち、事業者は顧客に必要な時、直ちに簡単に電話できる環境を提供して顧客の便宜をはかり、事業者は電話した顧客の受信されたＩＤを認識することができて、必要な時に不特定顧客でない自分の事業に関心を有した密着された顧客のみを区分し、差別化されたサービスと営業活動ができるようになるのである。
【０１１２】
（第３実施例）-両方向通話方式
本実施例は、事業者が外国の支店や主要顧客等の両方向通話を願う相手に費用や手続きの複雑さ等を与えなくても相手と両方向に通話できるものであって、有料会員である事業者が通話してほしい相手を指定すれば、指定された相手には無料で受信機能を与えるように設定されている。
【０１１３】
先ず、事業者は前記会員管理サーバー１で前記有料会員加入手続きに従って登録する時、無料で受信機能が与えられる相手があらかじめ決まった数字だけ受信機能を有するＩＤで登録する。
【０１１４】
前記会員管理サーバー１はこれを受信可能なＩＤで区分して前記ＤＢサーバー１１に保存する。もちろん、有料、無料の区分も追加してサービスの差等を期することもできる。
【０１１５】
例えば、無料である相手の電話番号は誰も利用することができるが、クリックプログラムは提供されないようにしてワンクリックで相手に発信する機能は与えないのである。これは、システム運営者の選択事項であって、確定されるものではない。
【０１１６】
相手が登録されると、事業者は相手にアイコンを送るようになるが、これは、前記第２実施例で事業者が顧客に電子メールを発送することと同様に前記会員管理サーバー１の電子メール窓で相手の電子メールアドレス（ＩＤ）と案内文を作成して相手に送る。そうすれば、前記電子メール送り出し処理部１４は事業者固有の情報が含まれたクリックプログラムを前記電子メールに挿入して電子メールサーバー５に送り出す。相手は、受信された電子メールを開封し、電子メールに表示された事業者のアイコンをクリックする。アイコンがクリックされると、前記事業者のクリックプログラムが前記で説明したように実行され、その結果、相手ＰＣ３にはユーザーエージェント３１が自動的に設置され、事業者の情報（名前、ＩＤ、電話番号等）が前記相手ＰＣ３のユーザーエージェント３１のチャットボックスＤＢ３６に自動的に保存されて、必要な時にいつでも相手が前記事業者にワンクリックで発信できるようになるのである。したがって、相手は無料で別途の手続きなく受信機能を与えられて事業者と電話もできるという利点を得るようになる。ただ、相手の電話番号は前記会員管理サーバー１に会員加入時に与えられる。一方、前記事業者は前記会員管理サーバー１で会員加入をした後、システム運営者のアイコンをクリックしてユーザーエージェント２１を設置し、相手のＩＤ、電話番号等を自分のＰＣ２に手作業で入力するか、相手が電話をかけてくると前記ユーザーエージェント２１により受信された相手の情報が自分の対話相手ＤＢ２６に保存されて、いつでも相手に発信ができるようになるのである。
【０１１７】
本実施例は、両者が両方向でインターネット電話をする機能面では現在使われる他の方式と同一、かつ類似しているが、既存にこのような両方向通話をするためには、システムサービスを提供するインターネット電話事業者に有料で加入した会員間にだけ電話できるという問題点を改善したものである。すなわち、ある貿易業者が随時に多い国際電話をしなければならない、全世界に広がっている顧客（Ｂｕｙｅｒ）とチープなインターネット電話で通話したい場合、既存には自分は勿論、通話してほしい相手顧客に自分が加入したサービス企業に加入するように要請しなければならず、加入した後には、相互間にインターネット電話に必要な情報を交わってそれぞれ保存しなければならないところ、前記貿易業者が現実的に顧客である相手にこのような要求をすることは無理なものである。ところ、本実施例では、前記したように、特定人である貿易業者だけ有料で加入し、顧客である相手には電子メールを通じてすべてのサービスを提供するので、顧客は何らの経済的負担や煩わしい手続きなく貿易業者にアイコンだけワンクリックして通話ができ、事業者も相手顧客にチープに電話ができて、両者共に非常に有用なサービスを提供するようになるのである。
【０１１８】
本実施例は、前記第２実施例と核心動作である電子メール送り出しプロセスが同一であるので、図７及び図１１の電子メール送り出し処理フローチャート及び動作流れは、別途の説明を略する。
【０１１９】
（第４実施例）-システム運営者ウェブを利用した方式
本実施例は、事業者のウェブサーバー４を利用して顧客が事業者と電話するようにした前記第１実施例と基本的にはすべての機能と動作が同一かつ類似している。ただし、事業者ウェブサーバー４の代わりにシステム運営者のウェブサーバー１７を利用する差異があ
る。先ず、有料会員加入されて受信機能が与えられた事業者情報は、全てシステム運営者の前記ＤＢサーバー１１に保存されている。ここで、顧客が所望の事業者と電話をするために前記システム運営者のウェブサーバー１７を訪問して電話帳検索窓で接続する。顧客は、多くの事業者の中で自分が願う事業者を捜すために、要求される索引語（例えば、旅行会社、韓国ソウル市クロ区所在等）を入力する。
【０１２０】
前記事業者情報処理部１５は、前記ＤＢサーバー１１に保存された事業者情報を照会して入力された索引語に該当する事業者情報を前記アイコン生成部１３に提供し、それぞれの事業者に対応する多数のクリックプログラムを生成させて前記ウェブインターフェース１６を介してシステム運営者の前記ウェブサーバー１７の所定の位置にそれぞれ挿入し、顧客が接続したウェブページに商号、電話番号、業種、住所等の事業者情報リストとともにそれぞれのクリックプログラムと連携されたアイコンを表示する。すなわち、顧客が所望の索引語に該当する事業者情報をアイコンとともにシステム運営者のウェブサーバー１７ですべての無料顧客に提供する（これに対する詳細説明は、前記第４実施例構成の図８のフローチャート説明参照）。
【０１２１】
顧客が表示された事業者の中で自分が所望の事業者のアイコンをクリックすると、前記したようにこれと連携されたクリックプログラムが実行される。有、無料会員加入とログイン等は前記したとおりであり、発信も受動または自動を選択的に設定することができる。自動または受動で発信をするようになれば、前記顧客のＩＤを含んだ呼び出し信号が前記呼び処理サーバー１２に送り出され、これを受信した前記呼び処理サーバー１２は前記ＤＢサーバー１１で照会した事業者ＰＣ２のＩＰ位置へ前記呼び出し信号を中継し、事業者ＰＣ２の応答信号送り出しによって相互通話が成り立つ。これを図１２による動作流れ図で説明すれば、顧客がシステム運営者のウェブサーバー１７に接続して電話帳検索窓で願う事業者を検索するための索引語を入力すれば、前記事業者情報処理部１５は前記ＤＢサーバー１１を介して事業者情報を抽出し、前記アイコン生成部１３に提供して各事業者固有のクリックプログラムを生成させて、各事業者の商号、業種、電話番号、住所等の事業者リストにアイコンとともに表示し、顧客はその中で所望の事業者のアイコンをクリックすれば、アイコンと連携されたクリックプログラムによって前記のように呼び処理サーバー１２及びＤＢサーバー１１により事業者ＰＣ２に呼び出し信号が中継されて通話をすることになる。本実施例の特徴は、事業者が第１実施例で自分の個別的ウェブページに接続した顧客にだけ本サービスを提供するようになるという問題点を補ったのである。すなわち、顧客が特定事業者でない特定領域、例えば、旅行商品に対して知りたい場合であれば、顧客は関連情報が集大成されているシステム運営者のウェブサーバーを訪問して多くの旅行会社リストを提供されることができる。また、クロ区に住んでいる顧客がその中でクロ区所在の旅行会社のみを希望する場合には、索引語検索を利用してクロ区所在の旅行会社リストのみを提供されるようになる。その中で必要な旅行会社のアイコンをクリックすると、簡単に必要な問い合わせまたは商品購買等ができるようになるのである。すなわち、各事業者の個別的ウェブサーバー４に表示するアイコンを集大成してシステム運営者ウェブサーバー１７で顧客がすべて選択するようにして事業者及び顧客に共に利益になるようにしたのである。
【０１２２】
今まで各実施例に対して詳しく説明し、前記したように各実施例は、ワンクリックでインターネット電話をしながら同時に発信者のＩＤを受信者が認識できるようにした核心構成と機能を中心に各サービスの特性によって部分的な応用をしたサービスモデルである。本サービスは、基本的にサービスを提供するシステム運営者が収益事業として運営する場合、これを積極的に利用しようとする事業者には有料で提供し、代わりに必ず利用する必要のない消極的ユーザーである一般インターネットユーザー（顧客、相手）には、無料で提供されることが望ましい。前記実施例は、それぞれ独立的にサービスが可能であり、部分的または全体を統合して運営することもできる。もし独立的に運営する場合には、顧客がログインする時に伝達される顧客のＩＤを呼び処理サーバー１２またはＤＢサーバー１１が認識、保存し、他の顧客がログインしてさらに他のＩＤを保存するために重複可否チェックをするなどすべての機能を前記の会員管理サーバー１で行わず、前記ＤＢ（サーバー）１１または呼び処理サーバー１２などで処理するようにすることもできる。この場合に、顧客は別途会員加入手続きなくすぐログインすることのみで本サービスを利用することもできるようになる。
【０１２３】
（通話統計処理サービス）
前記実施例で事業者の便宜のために付加的に事業者に受信された顧客の現況及び多様な統計情報を提供することができる。このために前記図２の事業者ＰＣ２の受信ユーザーエージェント２１には、受信通話自動記録機能が備えられて前記実施例において受信された顧客のＩＤ、通話日時、開始時間、終了時間などがテキストファイル形式で自動的に累積記録される。もし、事業者が受信された顧客の統計情報を見ようとする場合、システム運営者の前記会員管理サーバー（１）にある通話統計処理部１８に接続して統計処理を申し込むと、前記通話統計処理部１８は事業者ＰＣ２に記録されている受信者情報を全てアップロードして伝達され、その中で発信者ＩＤを基準として前記ＤＢサーバー１１に保存されている顧客の会員加入情報（例えば、住民登録番号、住所、性別等）を全て照会して、必要な通話統計情報を導出す。すなわち、地域別、年齢別、性別、期間別統計や通話時間、新規会員の通話件数、既存会員の通話件数、期間別増減等の統計結果またはその結果を必要の各種図表、グラフなどで表示して提供するようになる（前記したプロセスは、前記通話統計処理に関する構成説明図９のフローチャート参照）。これを図１３の動作流れ図で説明すれば、事業者が会員管理サーバー１に顧客の通話統計処理を要請すると、通話統計処理部１８は事業者ＰＣ２に記録された受信情報を伝達されて発信者ＩＤを基準としてＤＢサーバー１１に保存された会員情報を照会し、二つの情報を組合、統計処理してその結果を所定の形態で事業者ＰＣ２に提供する。このような付加サービスは、実際には事業者に非常に有用な情報であって、前記で言及したとおり事業者に電話をかけた顧客の発信ＩＤを認識できる本発明によるシステムでのみ実施可能な特長所でもある。
【０１２４】
これまで説明した受、発信動作は、全てインターネットを介したＰＣとＰＣとの間の動作を基準にしたものである。本発明は、受、発信をヘッドセットの代わりに使用できる直結電話機または一般公衆電話網（ＰＳＴＮ）に接続されたＰＳＴＮ電話機を各ＰＣに個別 
的に連結された前記のラインアダプター６に接続して便利に使用できるように構成されている。
【０１２５】
先ず、図２及び図１４ａによって前記ユーザーエージェント２１の受信動作プロセスを詳しく説明する。
【０１２６】
前記の呼び処理サーバー１２により中継された呼び出し信号が受信されると、前記ＳＩＰ信号処理部２４は、前記呼び出し信号に含まれた受信ＩＤが一致するのか否かを比べて、一致しなければ終了し、一致すれば前記制御部２８はさらに電話中であるか否かをチェックする。
【０１２７】
電話中であれば、後述するように図１４ｆの音声メッセージ処理プロセス（Ｐ７）を進行し、電話中ではなければ、前記ＳＩＰ信号処理部２４は電話開始を知らせるベルメッセージを送り出す。
【０１２８】
この時、前記制御部２８は受信ＰＣがＰＣ自体またはヘッドセットでない前記ラインアダプター６を経由してＰＳＴＮ網に接続された電話機を使うように無条件呼び切換えモードで設定されているのか否かをチェックし、そうである場合には、図１４ｂのＰ１プロセ
スのように前記ＳＩＰ処理部２４から発信側に通話開始メッセージを送り出し、前記ラインアダプター制御部２９が前記電話網接続部６３を駆動して前記ＤＴＭＦ送受信部６１のＰＳＴＮ受信電話番号を送り出し、前記制御部２８が前記メディア処理部２４を接続して
送受信するメディア信号が送り出し及び受信される。したがって、前記発信顧客とＰＳＴＮに接続された電話機で受信して電話できるようになる。
【０１２９】
引き継いて、通話が開始すると、前記ＳＩＰ信号処理部２４は発信側が通話終了の時に送り出されるバイ（Ｂｙｅ）メッセージをチェックして、受信されるとＯＫメッセージを送り出す。
【０１３０】
同時に、前記ＤＴＭＦ送受信部６１も受信中の前記ＰＳＴＮ電話機が終了する時に発生されるＰＳＴＮ終了信号が検出されると、前記ＳＩＰ信号処理部２４がバイ（Ｂｙｅ）メッセージを送り出す。
【０１３１】
これにより、通話中に何れか一方の通話終了信号が検出されると通話が終了され、前記制御部２８は発信者情報を保存するか可否を判断して（対話相手追加ボタンクリック）、ボタンがクリックされると前記発信者情報を前記対話相手ＤＢ２６を検索して、追加すべき発信者情報が既に保存されているのか否かを判断し、そうでない場合にさらに保存する。
【０１３２】
引き継いて、前記メディア処理部２４はメディア送、受信を中止して前記制御部２８で解除され、前記制御部２８はサウンド入出力経路を初期状態に復旧させる。これは、前記ユーザーエージェント２１が受、発信可能な初期状態であることを意味する。
【０１３３】
前記で無条件呼び切換モードでない場合には、一応ＰＣと直結電話機を駆動し、一定時間、すなわち、前記制御部２８は受信ＰＣに電話受け窓を表示して、ＰＣ内のサウンド入出力部を駆動して前記ユーザーインターフェース２５を介してＰＣスピーカーリングイング（ｒｉｎｇｉｎｇ）を開始し、同時に前記ラインアダプター１７０は前記直結電話機接続部６２を駆動して直結電話機リングイングを開始する。
【０１３４】
前記制御部２８は、設定された待機時間の間にＰＣ自体、直結電話機またはＰＳＴＮ接続電話機の中の何れかで受信状態が認識されると、前記リングイングを全て中止して前記ＳＩＰ信号処理部で発信側に応答メッセージを送り出し、受信しようとする側でサウンド入出力経路を接続させて、前記メディア処理部２３を接続して送受信を開始する。
【０１３５】
送、受信中発信側または受信側の何れか（ＰＣ、直結電話機、ＰＳＴＮ電話機）でも電話終了状態が検出されると、前記図１４Ｃの（Ｐ３）（Ｐ４）プロセスにより終了される。
【０１３６】
ただし、前記直結電話機の場合には、終了でなくＰＳＴＮ電話で回すためにフックフラッシュ（ｈｏｏｋｆｌａｓｈ）した場合には（Ｐ５プロセス、図１４ｅ）、発信者側に前記メディア処理部２３が待機音を送り出して前記ＤＴＭＦ送受信部６１は直結電話機から受信されるＰＳＴＮ電話番号を検出して保存した後、直結電話機が切れると（ｏｎｈｏｏｋ）直結電話機前記接続部６２を解除し、代わりに前記電話網接続６３を駆動してサウンド入出力経路を直結電話機からＰＳＴＮ電話機に変更して連結させた状態で、前記制御部２８は保存された番号を送信すると、前記ラインアダプターに第（１）部１７０を介して、前記ＤＴＭＦ送受信部６１はこれをＤＴＭＦ信号でＰＳＴＮに送り出して電話を連結する。これにより、直結電話機で電話している中で一般電話機に回すことが可能になる。
【０１３７】
通話状態で受、発信の何れかでも終了信号が検出されると、前記図１４ｃの（Ｐ３）（Ｐ４）プロセスによって終了される。
【０１３８】
前記で受信待機中に設定された待機時間が終了されると（Ｐ２プロセス、図１４ｂ）、ＰＣ及び直結電話機のリングイングを全て中止して前記ＰＳＴＮモード設定のように（Ｐ１プロセス、図１４ｂ）ＰＳＴＮ電話機を接続させる。
【０１３９】
これにより受信された呼び信号をＰＣ及び個別的にＰＣに接続されたラインアダプターを利用して一般電話機または直結電話機で多様に受信できるプロセスを説明した。
【０１４０】
しかし、集団ゲートウェイを使わず既存の個別ラインアダプターを使う場合、１対１通話方式により通話中に他の発信者が通話する場合は発生しない。ところが、本発明は、別途の呼び処理サーバーを置いて集団に受、発信をしなければならないため、顧客が事業者に発信をした場合に、電話中の状態が発生する場合がある。このような問題を解決するために、本発明は前記図１４ｆのＰ７プロセスのように、前記ユーザーエージェント２１の制御部２８は呼び出し信号を受信したのにＰＣが受信中の場合には前記ＳＩＰ信号処理部２４を通じて通話中信号を前記呼び処理サーバー１２に送り出す。前記呼び処理サーバー１２は、これを受信すると、既に設定されて保存している電話中案内メッセージを発信の後に送り出し、録音待機時間をカウントして発信者の音声メッセージを保存する。録音待機時間が終了すると、前記呼び処理サーバー１２は保存された音声メッセージを電子メールで前記電子メールサーバー５に送り出す。
【０１４１】
事業者（受信者）は通話終了の後に通話中に受信された音声メッセージ表示のある前記電子メールをクリックすると、前記制御部２８は音声メッセージ内容を送り出してヘッドセット/スピーカーを通じて聞き取りするようになるのである。
【０１４２】
これまで受信プロセスに対して説明し、次は発信プロセスに対して詳しく説明する。
【０１４３】
発信者ＰＣに個別的にラインアダプターを連結してＰＳＴＮ網に接続された一般電話で本発明によるインターネット電話をする場合を図１５ａを参照して説明する。
【０１４４】
発信者（顧客）ＰＣの前記ユーザーエージェント３１は、前記ラインアダプター制御部６を介して前記電話網接続部６３にＰＳＴＮ発信番号が検出されると、先ずＰＣに電話がかかって来た状態で動作する呼び切換えタイマーの動作状態をチェックして、動作中であれば発信者に受信する意思がいるかどうかを確認する。すなわち、前記電話網接続部２２０に自体受信信号（ｏｆｆｈｏｏｋ信号）を送り出し、前記ＤＴＭＦ送受信部６１を接続して、現在ＰＣが受信状態であることを知らせる音を送り出し、受信する意思がいるのかを待って（呼び切換え要請可否）、一定時間後になければ終了信号を送り出して終了し、要請のある場合には前記電話網接続部６３を駆動して電話を連結して終了信号によって終了する。
【０１４５】
前記でＰＣが受信中でない場合には、ＰＣで通話中であるか否かをチェックして、通話中であれば直結電話機に接続されるようにして通話を連結する。
【０１４６】
通話中でない場合には、前記ラインアダプター制御部３９により前記電話網接続部６３から受信音（ｏｆｆｈｏｏｋ信号）を送り出し、前記ＤＴＭＦ送受信部６１を接続してＰＣへ発信可能であるという信号音を送り出し、一定時間インターネット電話初Ｃｏｄｅ（例えば、‘ * ’）を検出する。もし、時間以内に検出されなければ、前記ＰＣ通話中の場合と同様に直結電話機に接続させる。
【０１４７】
時間内に検出されると、前記電話網接続部６３を駆動させて図１５ｂのＰ８プロセスのように、ＰＣユーザー入出力部を駆動して前記ＰＣユーザーインターフェース部３５を介して電話かけ窓を表示し、入力された前記ＰＳＴＮ電話のインターネット電話番号を検出して保存する。
【０１４８】
前記制御部３８は、発信終了コード（例えば、‘ # ’）が検出されると、前記ＤＴＭＦ送受信部６１を解除して入力された発信番号を分析する。
【０１４９】
第一に、番号長さが１より少なければ（実際番号、ゼロ状態）図１５ＣのＰ９プロセスのようにＰＳＴＮ側に終了信号を送り出しながらＰＳＴＮ側の発信者が電話機を下ろすのか否かをチェックし、下ろせば終了信号送り出しを中止して終了する。
【０１５０】
入力された番号が短縮ダイヤルの大きさに該当すると（例えば、４より小さければ）、前記制御部３８は保存された短縮番号を検索して発信するインターネット電話番号として抽出する。もし前記入力された番号が短縮ダイヤルの大きさより大きいものの設定された インターネット電話番号より小さければ（例えば、７より小さければ）、前記のように（Ｐ９、図１５ｃ）プロセスにより処理され、インターネット電話番号に該当すると電話番号として認識して前記ＳＩＰ信号処理部２４で前記呼び処理サーバー１２に呼び出し信号を送り出す。
【０１５１】
一定時間受信側の応答信号がなければ前記（Ｐ９、図１５ｃ）プロセスにより処理され、回答があれば前記ＳＩＰ信号処理部３４は正常メッセージであるか否かをチェックして、非正常であれば前記図１５ｃ（Ｐ９）プロセスにより処理し、正常であれば前記メディ 
ア処理部３３を接続してメディア送、受信を開始しながら図１４ｄのＰ６プロセスにより電話を終了する。
【０１５２】
前記したように、本発明は１対１通話ではない多数の受、発信者が、一つのシステムにおいてインターネット通話をする場合に、個別的に各ＰＣにそれぞれラインアダプターを連結してこれと接続された直結電話機またはＰＳＴＮ電話機で受、発信できる機能をユーザーエージェントに備えてユーザーに便宜を提供するようになったのである。
【０１５３】
すなわち、インターネット通話をするＰＣとＰＣに個別的に連結されたラインアダプターとをそれぞれ受発信機能を行うようにして、これを必要に応じて相互連結させて制御する方式を通じて多数の受、発信者が利用する場合に必要な機能を提供したものである。
【図面の簡単な説明】
【０１５４】
【図１】図１は、本発明によるワンクリックインターネット通話制御システムに対する全体システム構成図である。
【図２】図２は、本発明による事業者及び顧客ＰＣの内部ブロック図とラインアダプターとの連結状態を示した図である。
【図３】図３は、本発明による会員管理サーバーの内部ブロック図である。
【図４】図４は、本発明によるクリックプログラムのフローチャートである。
【図５】図５は、本発明によるユーザーエージェントの自動発信フローチャートである。
【図６】図６は、本発明によるアイコン生成に関するフローチャートである。
【図７】図７は、本発明による電子メール送り出しに関するフローチャートである。
【図８】図８は、本発明による事業者情報処理に関するフローチャートである。
【図９】図９は、本発明による通話統計処理に関するフローチャートである。
【図１０】図１０は、本発明の第１実施例の動作流れ図である。
【図１１】図１１は、本発明の第２実施例の動作流れ図である。
【図１２】図１２は、本発明の第４実施例の動作流れ図である。
【図１３】図１３は、本発明の電話統計情報処理の動作流れ図である。
【図１４ａ】図１４ａは、本発明のラインアダプターを介した電話機受信機能に関するフローチャートである。
【図１４ｂ】図１４ｂは、本発明のラインアダプターを介した電話機受信機能に関するフローチャートである。
【図１４ｃ】図１４ｃは、本発明のラインアダプターを介した電話機受信機能に関するフローチャートである。
【図１４ｄ】図１４ｄは、本発明のラインアダプターを介した電話機受信機能に関するフローチャートである。
【図１４ｅ】図１４ｅは、本発明のラインアダプターを介した電話機受信機能に関するフローチャートである。
【図１４ｆ】図１４ｆは、本発明のラインアダプターを介した電話機受信機能に関するフローチャートである。
【図１５ａ】図１５ａは、本発明のラインアダプターを介した電話機発信機能に関するフローチャートである。
【図１５ｂ】図１５ｂは、本発明のラインアダプターを介した電話機発信機能に関するフローチャートである。
【図１５ｃ】図１５ｃは、本発明のラインアダプターを介した電話機発信機能に関するフローチャートである。
【図１】
2008521329.tif 000002
【図２】
2008521329.tif 000003
【図３】
2008521329.tif 000004
【図４】
2008521329.tif 000005
【図５】
2008521329.tif 000006
【図６】
2008521329.tif 000007
【図７】
2008521329.tif 000008
【図８】
2008521329.tif 000009
【図９】
2008521329.tif 000010
【図１０】
2008521329.tif 000011
【図１１】
2008521329.tif 000012
【図１２】
2008521329.tif 000013
【図１３】
2008521329.tif 000014
【図１４ａ】
2008521329.tif 000015
【図１４ｂ】
2008521329.tif 000016
【図１４ｃ】
2008521329.tif 000017
【図１４ｄ】
2008521329.tif 000018
【図１４ｅ】
2008521329.tif 000019
【図１４ｆ】
2008521329.tif 000020
【図１５ａ】
2008521329.tif 000021
【図１５ｂ】
2008521329.tif 000022
【図１５ｃ】
2008521329.tif 000023
【手続補正書】
【提出日】平成19年1月18日(2007.1.18)
【手続補正１】
【補正対象書類名】特許請求の範囲
【補正対象項目名】全文
【補正方法】変更
【補正の内容】
【特許請求の範囲】
【請求項１】
インターネットを利用したインターネット通話制御システムにおいて、
加入会員の情報を保存するＤＢサーバーと、
事業者のＩＤを含んだ固有情報をアイコンがクリックされると発信機能を有するユーザーエージェントに伝達するクリックプログラムを備えて前記アイコンが表示されたウェブページを含む前記事業者のウェブサーバーと、
前記アイコンがクリックされると前記クリックプログラムにより伝達された前記事業者のIDを含む固有情報を顧客ＩＤとともに呼び出し信号として送り出す発信機能を有するユーザーエージェントを備えた顧客ＰＣと、
前記呼び出し信号を受信して前記ＤＢサーバーに保存された前記事業者ＰＣのＩＰ住所を照会するように構成された呼び処理サーバーと、
前記呼び出し信号を受信して前記顧客のＩＤを保存し、前記顧客ＰＣと通話できる受信機能を有するユーザーエージェントを備えた事業者ＰＣと、
前記事業者の会員加入が認証されるとその事業者の固有情報を前記ＤＢサーバーで抽出して前記クリックプログラムを自動生成するアイコン生成部で構成されたことを特徴とするインターネット通話制御システム。
【請求項２】
前記事業者のウェブサーバーは、前記アイコン及びこれと連携された前記クリックプログラムがそれぞれ別途に多数備えられていることを特徴とする請求項１に記載のインターネット通話制御システム。
【請求項３】
前記顧客ＰＣ及び事業者ＰＣのユーザーエージェントはそれぞれ受、発信機能が全て含んで構成されたことを特徴とする請求項１に記載のインターネット通話制御システム。
【請求項４】
前記発信機能を有するユーザーエージェントは前記クリックプログラムにより伝達された前記事業者情報を対話相手ＤＢに自動に登録させるようになったことを特徴とする請求項１に記載のインターネット通話制御システム。
【請求項５】
前記発信機能を有するユーザーエージェントは、前記事業者情報に事業者が登録したアイコンウェブページアドレスを追加し、クリックされたアイコンウェブページ(ＵＲＬ)を検出、比較して、前記クリックされたアイコンのウェブページ住所が事業者により登録されたウェブページ住所と一致していない場合には発信機能が中止されるようにしたことを特徴とする請求項１に記載のインターネット通話制御システム。
【請求項６】
前記事業者情報に前記事業者のサービス有效期間を追加し、前記発信機能を有するユーザーエージェントが当日日付と比べてサービス有效期間が過ぎた場合には発信が中止されるようにしたことを特徴とする請求項１に記載のインターネット通話制御システム。
【請求項７】
前記クリックプログラムは、事業者情報を暗号化して解除する機能を有することを特徴とする請求項１乃至６のいずれかに記載のインターネット通話制御システム。
【請求項８】
前記顧客ＩＤまたは事業者ＩＤは各々前記顧客または事業者の電子メールアドレスであることを特徴とする請求項１に記載のインターネット通話制御システム。
【請求項９】
前記事業者ＰＣが通話中の場合、通話中信号を前記呼び処理サーバーに送り出す機能がさらに提供され通話中メッセージ送り出し、メッセージ録音及び録音されたメッセージの電子メール送り出し機能をさらに有する前記呼び処理サーバーで構成されたことを特徴とする請求項１に記載のインターネット通話制御システム。
【請求項１０】
インターネットを利用したインターネット通話制御システムにおいて、
加入会員の情報を保存するＤＢサーバーと、
事業者の固有情報をアイコンがクリックされると、これを感知して発信機能を有するユーザーエージェントにこれを伝達するクリックプログラムを備えた会員管理サーバーと、
前記アイコンが表示された前記事業者の電子メールを保存する電子メールサーバーと、
前記アイコンがクリックされると前記クリックプログラムにより伝達された前記事業者の固有情報を顧客ＩＤと共に呼び出し信号として送り出すユーザーエージェントを有する顧客ＰＣと、
前記呼び出し信号を受信して前記ＤＢサーバーに保存された前記事業者ＰＣのＩＰ住所を照会するように構成された呼び処理サーバーと、
前記呼び出し信号を受信して顧客のＩＤを保存して前記顧客ＰＣと電話できる受信機能を有するユーザーエージェントを備えた事業者ＰＣと、
前記事業者の会員加入が認証されるとその事業者の固有情報を前記ＤＢサーバーで抽出して前記クリックプログラムを自動生成するアイコン生成部で構成されたことを特徴とするインターネット通話制御システム。
【請求項１１】
前記顧客ＰＣ及び事業者ＰＣのユーザーエージェントは、それぞれ受、発信機能が全て含んで構成されたことを特徴とする請求項１０に記載のインターネット通話制御システム。
【請求項１２】
前記発信機能を有するユーザーエージェントは、前記クリックプログラムにより伝達された前記事業者情報を対話相手ＤＢに自動に登録させるようになったことを特徴とする請求項１０に記載のインターネット通話制御システム。
【請求項１３】
前記発信機能を有するユーザーエージェントは、前記事業者情報に事業者が登録したアイコンウェブページアドレスを追加し、クリックされたアイコンウェブページ住所(ＵＲＬ)を検出、比較して、前記クリックされたアイコンのウェブページ住所が事業者により登録されたウェブページ住所と一致していない場合には発信機能が中止されるようにしたことを特徴とする請求項１０に記載のインターネット通話制御システム。
【請求項１４】
前記事業者情報に前記事業者のサービス有效期間を追加して、前記発信機能を有するユーザーエージェントが当日日付と比べて有效期間が過ぎた場合には発信が中止されるようにしたことを特徴とする請求項１０に記載のインターネット通話制御システム。
【請求項１５】
前記クリックプログラムは、事業者情報を暗号化して解除する機能を有することを特徴とする請求項１０乃至１４のいずれかに記載のインターネット通電話制御システム。
【請求項１６】
前記顧客ＩＤまたは事業者ＩＤは各々前記顧客または事業者の電子メールアドレスであることを特徴とする請求項１０に記載のインターネット通話制御システム。
【請求項１７】
前記事業者ＰＣが通話中の場合、通話中信号を前記呼び処理サーバーに送り出す機能がさらに提供されて通話中メッセージ送り出し、メッセージ録音及び録音されたメッセージの電子メール送り出し機能をさらに有する前記呼び処理サーバーで構成されたことを特徴とする請求項１０に記載のインターネット通話制御システム。
【請求項１８】
インターネットを利用したインターネット通話制御システムにおいて、
事業者情報を保存するＤＢサーバーと、
顧客ＰＣで入力された索引語に該当する前記事業者の情報を前記ＤＢサーバーで検索して、前記各事業者のＩＤを含んだ固有情報と連携されたアイコンがクリックされると発信機能を有するユーザーエージェントにこれを伝達するクリックプログラムを生成させるアイコン生成部に検索された事業者情報を提供する事業者情報処理部と、
前記事業者情報処理部で前記事業者情報及び前記クリックプログラムを伝達されてアイコンとそれぞれ連携させ所定の位置に備えたシステム運営者のウェブサーバーを有する会員管理サーバーと、
前記アイコンがクリックされると前記連携されたクリックプログラムにより伝達された前記事業者の固有情報を顧客ＩＤと共に呼び出し信号として送り出す発信機能を有するユーザーエージェントを備えた顧客ＰＣと、
前記呼び出し信号を受信して前記ＤＢサーバーに保存された前記事業者ＰＣのＩＰ住所を照会するように構成された呼び処理サーバーと、
前記呼び出し信号を受信して顧客のＩＤを保存して、前記顧客ＰＣと電話できる受信機能を有するユーザーエージェントを備えた事業者ＰＣとで構成されることを特徴とするインターネット通話制御システム。
【請求項１９】
前記顧客ＰＣ及び事業者ＰＣのユーザーエージェントはそれぞれ受、発信機能が全て含んで構成されたことを特徴とする請求項１８に記載のインターネット通話制御システム。
【請求項２０】
前記発信機能を有するユーザーエージェントは前記クリックプログラムにより伝達された前記事業者情報を対話相手ＤＢに自動に登録させるようになったことを特徴とする請求項１８に記載のインターネット通話制御システム。
【請求項２１】
前記事業者情報に前記事業者のサービス有效期間を追加して前記発信機能を有するユーザーエージェントが当日日付と比べてサービス有效期間が過ぎた場合には発信が中止されるようにしたことを特徴とする請求項１８に記載のインターネット通話制御システム。
【請求項２２】
前記クリックプログラムは、事業者情報を暗号化して解除する機能を有することを特徴とする請求項１８乃至２１のいずれかに記載のインターネット通話制御システム。
【請求項２３】
前記顧客ＩＤまたは事業者ＩＤは、各々前記顧客または事業者の電子メールアドレスであることを特徴とする請求項１８に記載のインターネット通話制御システム。
【請求項２４】
前記事業者ＰＣが通話中の場合、通話中信号を前記呼び処理サーバーに送り出す機能がさらに提供されて通話中メッセージ送り出し、メッセージ録音及び録音されたメッセージの電子メール送り出し機能をさらに有する前記呼び処理サーバーで構成されたことを特徴とする請求項１８に記載のインターネット通話制御システム。
【請求項２５】
インターネットを利用したインターネット電話制御方法において、
顧客が事業者ウェブサーバーに表示されたアイコンをクリックすると、前記事業者ウェブサーバーに備えられてクリックされたアイコンと連携されたクリックプログラムにより前記事業者のＩＤを含んだ情報を伝達する過程と、
顧客ＰＣに設置された発信機能を有するユーザーエージェントが前記事業者のIDを含んだ固有情報を伝達され顧客ＩＤと共に呼び出し信号として送り出す過程と、
前記呼び出し信号が受信されると前記呼び処理サーバーにより前記事業者の情報が保存されたＤＢサーバーで前記呼び出し信号に含まれた事業者のＩＤに対応する事業者ＰＣのＩＰ住所を照会し、照会された前記IP住所に前記顧客IDと共に前記呼び出し信号を送り出す過程と、
前記事業者ＰＣが前記呼び出し信号を受信すると受信機能を有するユーザーエージェントにより前記顧客ＰＣに応答メッセージを送り出す過程と、
前記事業者が会員管理サーバーで会員へ加入した後、クリックプログラム生成を要請すると、アイコン生成部で前記ＤＢサーバーに保存された前記事業者のＩＤを含んだ固有情報を抽出してアイコンがクリックされると、これと連携された前記事業者IDを含んだ固有情報を発信機能を有するユーザーエージェントに伝達する前記クリックプログラムを自動生成する過程を有することを特徴とするインターネット通話制御方法。
【請求項２６】
前記事業者が前記クリックプログラムをコピーして前記事業者のウェブページの所定の位置に備える過程をさらに有することを特徴とする請求項２５に記載のインターネット通話制御方法。
【請求項２７】
前記事業者が多数である場合前記クリックプログラムを各事業別でそれぞれ生成させて特定事業者のウェブサーバーにそれぞれ別途に備える過程を有することを特徴とする請求項２５に記載のインターネット通話制御方法。
【請求項２８】
前記受、発信機能を有する顧客ＰＣ及び事業者ＰＣのユーザーエージェントはそれぞれ受、発信機能を全て含んだことを特徴とする請求項２５に記載のインターネット通話制御方法。
【請求項２９】
前記発信機能を有するユーザーエージェントは、前記クリックプログラムにより伝達された前記事業者情報をチャットボックスＤＢに自動に登録させる過程を有することを特徴とする請求項２５に記載のインターネット通話制御方法。
【請求項３０】
前記事業者情報に事業者が登録したアイコンのウェブページアドレスを追加して、前記発信機能を有するユーザーエージェントがクリックされたアイコンのウェブページ住所(ＵＲＬ)を検出、比較して、前記クリックされたアイコンのウェブページ住所が事業者により登録されたウェブページ住所と一致していない場合には発信機能を行わないようにする過程を有することを特徴とする請求項２５に記載のインターネット通話制御方法。
【請求項３１】
前記事業者情報に前記事業者のサービス有效期間を追加して、前記発信機能を有するユーザーエージェントが当日日付と比べてサービス有效期間が過ぎた場合には発信機能を行わないようにする過程を有することを特徴とする請求項２５に記載のインターネット通話制御方法。
【請求項３２】
前記クリックプログラムは、事業者情報暗号化、解除機能をさらに有するようにしたことを特徴とする請求項２５乃至３１のいずれかに記載のインターネット通話制御方法。
【請求項３３】
前記顧客ＩＤまたは事業者ＩＤは各々前記顧客または事業者の電子メールアドレスであることを特徴とする請求項２５に記載のインターネット通話制御方法。
【請求項３４】
通話中の前記事業者ＰＣにさらに呼び出し信号が受信されると前記受、発信ユーザーエージェントが通話中メッセージを送り出し、これを受信した前記呼び処理サーバーは通話中案内メッセージを送り出して前記発信顧客ＰＣ側のメッセージを録音して電子メール形
態で発信者の電子メールサーバーに送る過程を有することを特徴とする請求項７２に記載のインターネット通話制御方法。
【請求項３５】
インターネットを利用したインターネット電話制御方法において、
事業者が会員管理サーバーで電子メール本文と顧客ＩＤを入力して送りボタンをクリックするとアイコン生成部で前記事業者のＩＤを含んだ固有情報をＤＢサーバーで抽出して、アイコンがクリックされると、これと連携された前記事業者のIDを含んだ固有情報を発信機能を有するユーザーエージェントに伝達するクリックプログラムを生成して前記電子メールに挿入して前記顧客の電子メールサーバーに送り出す過程と、
前記顧客ＰＣで前記電子メールサーバーから電子メールを伝達されて表示されたアイコンをクリックすると、受信機能を有するユーザーエージェントにより前記事業者のIDを含んだ固有情報を顧客ＰＣのＩＤとともに呼び出し信号として送り出す過程と、
前記呼び出し信号が受信されると前記呼び処理サーバーにより前記事業者情報が保存されたＤＢサーバーで前記呼び出し信号に含まれた前記事業者のＩＤに対応される事業者ＰＣのＩＰ住所を照会し、照会された前記IP住所に前記顧客IDと共に前記呼び出し信号を送り出す過程と、
前記事業者ＰＣが前記呼び出し信号を受信すると受信機能を有するユーザーエージェントにより前記顧客ＰＣに応答メッセージを送り出す過程を有することを特徴とするインターネット通話制御方法。
【請求項３６】
前記受、発信機能を有する顧客ＰＣ及び事業者ＰＣのユーザーエージェントはそれぞれ受、発信機能を全て含んだことを特徴とする請求項３５に記載のインターネット通話制御方法。
【請求項３７】
前記発信機能を有するユーザーエージェントは、前記クリックプログラムにより伝達された前記事業者情報をチャットボックスＤＢに自動に登録させる過程を有することを特徴とする請求項３５に記載のインターネット通話制御方法。
【請求項３８】
前記事業者情報に前記事業者のサービス有效期間を追加して前記発信機能を有するユーザーエージェントが当日日付と比べてサービス有效期間が過ぎた場合には発信機能を行わないようにする過程を有することを特徴とする請求項３５に記載のインターネット通話制御方法。
【請求項３９】
前記クリックプログラムは、事業者情報を暗号化し解除する機能をさらに有するようにしたことを特徴とする請求項３５乃至３８のいずれかに記載のインターネット通話制御方法。
【請求項４０】
前記受信機能を有するユーザーエージェントが、前記受信された顧客ＰＣのＩＤを含んだ受信情報を自動に記録する過程を有することを特徴とする請求項７５に記載のインターネット通話制御方法。
【請求項４１】
前記顧客ＩＤまたは事業者ＩＤは各々前記顧客または事業者の電子メールアドレスであることを特徴とする請求項３５に記載のインターネット通話制御方法。
【請求項４２】
通話中の前記事業者ＰＣにさらに呼び出し信号が受信されると前記受、発信ユーザーエージェントが通話中メッセージを送り出して、これを受信した前記呼び処理サーバーは通話中案内メッセージを送り出して前記発信顧客ＰＣ側のメッセージを録音して電子メール形態で発信者の電子メールサーバーに送る過程を有することを特徴とする請求項３５に記載のインターネット通話制御方法。
【請求項４３】
インターネットを利用したインターネット通話制御方法において、
顧客がシステム運営者のウェブサーバーに表示された多数のアイコン中の特定アイコンをクリックすると前記システム運営者のウェブサーバーに備えられて前記クリックされたアイコンと連携されたクリックプログラムにより前記事業者のＩＤを含んだ情報を伝達する過程と、
前記顧客ＰＣに設置された発信機能を有するユーザーエージェントが前記事業者の情報を伝達されて顧客ＩＤと共に呼び出し信号を送り出す過程と、
前記呼び出し信号が受信されると前記呼び処理サーバーにより前記事業者の情報が保存されたＤＢサーバーで前記呼び出し信号に含まれた事業者のＩＤに対応する事業者ＰＣのＩＰ住所を照会し、照会された前記IP住所に前記顧客IDと共に前記呼び出し信号を送り出す過程と、
前記事業者ＰＣが前記呼び出し信号を受信すると受信機能を有するユーザーエージェントにより前記顧客ＰＣに応答メッセージを送り出す過程と、
前記事業者が会員として加入すると、前記ＤＢサーバーに保存された前記事業者のＩＤを含んだ固有情報を抽出し、アイコンがクリックされると、これと連携された前記事業者ＩＤを含んだ固有情報を前記ユーザーエージェントに伝達するクリックプログラムをアイコン生成部で自動生成させ、前記システム運用者のウェブページに前記アイコンを表示する過程を有することを特徴とするインターネット通話制御方法。
【請求項４４】
前記受、発信機能を有する顧客ＰＣ及び事業者ＰＣのユーザーエージェントはそれぞれ受、発信機能を全て含んだことを特徴とする請求項４３に記載のインターネット通話制御方法。
【請求項４５】
前記発信機能を有するユーザーエージェントは、前記クリックプログラムにより伝達された前記事業者情報をチャットボックスＤＢに自動に登録させる過程を有することを特徴とする請求項４３に記載のインターネット通話制御方法。
【請求項４６】
前記事業者情報に前記事業者のサービス有效期間を追加して前記発信機能を有するユーザーエージェントが当日日付と比べてサービス有效期間が過ぎた場合には発信機能を行わないようにする過程を有することを特徴とする請求項４３に記載のインターネット通話制御方法。
【請求項４７】
前記クリックプログラムは、事業者情報暗号化、解除機能をさらに有するようにしたことを特徴とする請求項４３乃至４６のいずれかに記載のインターネット通話制御方法。
【請求項４８】
前記顧客ＩＤまたは事業者ＩＤは各々前記顧客または事業者の電子メールアドレスであることを特徴とする請求項４３に記載のインターネット通話制御方法。
【手続補正２】
【補正対象書類名】明細書
【補正対象項目名】全文
【補正方法】変更
【補正の内容】
【発明の詳細な説明】
【技術分野】
【０００１】
本発明は、インターネットを利用して個人コンピューターまたは一般電話で通話するインターネット通話の制御システム及びその方法に関し、特に発信者が受信者のＩＤやインターネット電話番号などを知らない場合、または知っていても発信者のＰＣで受信者の情報を全て入力しなくても受信者の情報と連携した特定表示（ｉｃｏｎ、商品画面など）をクリックして、インターネットまたは一般電話を無料で利用できるインターネット通話制御システム及びその方法に関する。
【背景技術】
【０００２】
最近、インターネットの急速な拡散に伴って電話料金を節減できるインターネットフォンの活用に対する関心が高まっており、これを制御するための技術も多様に発展して来た。
【０００３】
しかし、今まで提案された技術らは、発信者が電話してほしい相手のすべての情報を調査して、いちいち入力しなければならず、この場合、発信者と受信者が共にこのようなサービスを提供するサービス企業に有料で加入されていなければならないという問題点がある。
【０００４】
また、特定相手でない不特定相手と通話を願うインターネット利用事業者の場合には、前記と同様な方式では電話が極めて困難であり事業に活用することができないという問題点があった。
【０００５】
このような問題点を改善するために提案されたのが、不特定多数と通話できるクリック型インターネット通話制御技術として現在多数の方式が提案されている。
【０００６】
この方式は、特定事業者（例えば、インターネットショッピングモール事業者）がインターネット上で自社の営業活動のために自社のウェブページに商品広告などを掲載する時、発信用ｉＣｏｎなどの特定表示を共に掲載して、不特定多数の一般顧客が商品広告を見てショッピングモール事業者と直接通話をしたい時、特定表示をクリックするとすぐインターネット電話ができるようになっている。
【０００７】
もちろん、電子メールに前記特定表示を共に送って、不特定多数の電子メール受信者が受信された電子メールを開封した後、画面に表示された特定表示をクリックして事業者とすぐインターネット電話をする方式も提案されている。
【０００８】
しかし、このような方式は、発信者がクリックする特定表示は、受信者（事業者）の情報を有している呼び（Ｃａｌｌ）処理サーバーと単純にリンク（ｌｉｎｋ）されていて、発信者のクリックを信号として呼び処理サーバーがリンクされた事業者と発信者とをインターネット網を利用して電話できるように単純中継する方式である。
【０００９】
したがって、不特定多数に受信を願う特定受信者（事業者など）は、このような方式で顧客を事業上には活用できるが、単純リンクにより通話が制御されることにより発信者（顧客）のＩＤ等の情報が提供されないという問題点があった。
【００１０】
すなわち、一回でも通話をした顧客は、一般顧客より通話した事業者の事業分野にさらに多い関心を有した場合が多いので、続いて管理して広告案内などの電子メールを持続的に提供し、長期間顧客として活用することが好ましいが、顧客の発信情報を認識することができないため、このような管理ができないという問題点があった。
【００１１】
また、インターネット電話を一般公衆電話網（ＰＳＴＮ）と連結しなければならない場合には、サービス企業が集団ゲートウェイを利用するのによる多様な負担を甘受しなければならず、ユーザーが個別的にラインアダプターを用いる１対１固定接続通話方式では、多数の受信者および発信者と電話しなければならない場合に発生する呼出中継機能などがないという問題点があった。そして、特定表示を事業者(受信者)が直接クリックプログラムで作成し、発信者のIDを受信者に提供しようとの動きはあったが、このためには、IDをIPに連携させる呼び処理サーバーを運用しなければならないので、一般事業者(受信者)が実質的にこのような機能を単独で提供することは難しいとの問題点があり、クリックプログラムを受信者が直接作成する場合、専門的な知識と手間のかかる作業により使用することが難しいとの問題点があった。
【発明の開示】
【発明が解決しようとする課題】
【００１２】
本発明は、前記した問題点を解決するために提案されたものであって、インターネット上でインターネットフォンを利用して不特定多数と電話しようとする事業者が、ウェブページまたは広告メール等にシステム運用者より自動生成され提供される自分のＩＤ、電話番号などの受信者情報を含む特定表示（ｉ-Ｃｏｎなど）と連携され実行されるクリックプログラムをユーザーである顧客ＰＣで作動されるようにして、発信者である顧客が特定表示をクリックすれば、発信者ＩＤを含んだ呼出メッセージが呼び処理サーバーに伝達され、事業者とインターネットを介して無料で通話されながら、同時に、発信者である顧客の情報（ＩＤなど）を受信者である事業者が認識するようにしたインターネット通話制御システム及びその方法を提供することを目的とする。
【００１３】
本発明の他の目的は、前記のように発信者情報を認識するようにすることで、認識された発信者情報を蓄積、加工して事業者が統計処理された発信者情報を活用して自分の事業広報や広告などを顧客である発信者に常に電子メールなどで提供できるようにすることにより、不特定多数の顧客中の特定顧客をさらに密着管理できるインターネット通話制御システム及びその方法を提供することである。
【００１４】
本発明のまた他の目的は、発信者である顧客が関心のある事業者に通話した内訳を自分のＰＣに自動蓄積されるようにして、いつでも蓄積された情報を利用して必要な時に特定事業者にワンクリックでインターネットを通じた電話を無料で利用できるインターネット通話制御システム及びその方法を提供することにある。
【００１５】
本発明のまた他の目的は、前記のようなシステムをサービスするシステムサービス事業者（運営者）が、システムサービスに加入した会員ら（受、発信機能を有するユーザーエージェントを提供された者）の情報を蓄積して、システム運営者のウェブサーバーに提供することにより、本発明のインターネット通話制御システムサービスに加入した会員に、会員相互間インターネット電話を利用できるようすることで、事業者には事業の営業效果を向上できるようにし、一般会員も他の会員に楽に通話できるインターネット通話制御システム及びその方法を提供することにある。
【００１６】
本発明のまた他の目的は、任意の会員が望む相手方と通話しようとする場合、システム運営者から承認を受け、電子メール等にアイコンを挿入して送ると、相手はアイコンだけクリックして電話できるインターネット通話制御システム及びその方法を提供することにある。
【００１７】
【００１８】
本発明のまた他の目的は、多数のユーザーが制限なく随時に同時に利用するインターネット通話制御システムに発信または受信者が個別的に一般有、無線電話で受、発信できる機能を与えて、使用が便利であり、かつ相対的にチープな有無線電話と連携されたインターネット通話制御システム及びその方法を提供することにある。
【００１９】
【課題を解決するための手段】
【００２０】
前記した本発明の目的を果たすために、本発明のインターネット通話制御システムは、インターネットを利用したインターネット通話制御システムにおいて、加入会員の情報を保存するＤＢサーバーと、事業者のＩＤを含んだ固有情報をアイコンがクリックされると発信機能を有するユーザーエージェントに伝達するクリックプログラムを備えて前記アイコンが表示されたウェブページを含んだ前記事業者のウェブサーバーと、前記アイコンがクリックされると前記クリックプログラムにより伝達された前記事業者のIDを含んだ固有情報を顧客ＩＤとともに呼び出し信号として送り出す発信機能を有するユーザーエージェントを備えた顧客ＰＣと、前記呼び出し信号を受信して前記ＤＢサーバーに保存された前記事業者ＰＣのＩＰ住所を照会するように構成された呼び処理サーバーと、前記呼び出し信号を受信して前記顧客のＩＤを保存し、前記顧客ＰＣと通話できる受信機能を有するユーザーエージェントを備えた事業者ＰＣとで構成されたことを特徴とする。
【００２１】
また、本発明のインターネット通話制御システムは、インターネットを利用したインターネット通話制御システムにおいて、加入会員の情報を保存するＤＢサーバーと、事業者と固有情報をアイコンがクリックされるとこれを感知し、発信機能を有するユーザーエージェントに伝達するクリックプログラムを具備した会員管理サーバーと、前記アイコンが表示された前記事業者の電子メールを保存する電子メールサーバーと、前記アイコンがクリックされると前記クリックプログラムにより伝達された前記事業者の固有情報を顧客ＩＤと共に呼び出し信号として送り出すユーザーエージェントを有する顧客ＰＣと、前記呼び出し信号を受信して前記ＤＢサーバーに保存された前記事業者ＰＣのＩＰ住所を照会するように構成された呼び処理サーバーと、前記呼び出し信号を受信して顧客のＩＤを保存し、前記顧客ＰＣと電話できる受信機能を有するユーザーエージェントを備えた事業者ＰＣとで構成されたことを特徴とする。
【００２２】
また、本発明のインターネット通話制御システムは事業者情報を保存するＤＢサーバーと、顧客ＰＣで入力された索引語に該当する前記事業者の情報を前記ＤＢサーバーで検索して、前記各事業者のＩＤを含んだ固有情報と連携されたアイコンがクリックされると発信機能を有するユーザーエージェントにこれを伝達するクリックプログラムを生成させるアイコン生成部に検索された事業者情報を提供する事業者情報処理部と、前記事業者情報処理部で前記事業者情報及び前記クリックプログラムを伝達されてアイコンとそれぞれ連携させ所定の位置に備えたシステム運営者のウェブサーバーを有する会員管理サーバーと、前記アイコンがクリックされると前記連携されたクリックプログラムにより伝達された前記事業者の固有情報を顧客ＩＤと共に呼び出し信号として送り出す発信機能を有するユーザーエージェントを備えた顧客ＰＣと、前記呼び出し信号を受信して前記ＤＢサーバーに保存された前記事業者ＰＣのＩＰ住所を照会するように構成された呼び処理サーバーと、前記呼び出し信号を受信して顧客のＩＤを保存し、前記顧客ＰＣと電話できる受信機能を有するユーザーエージェントを備えた事業者ＰＣとで構成されることを特徴とする。
【００２３】
また、本発明のインターネット通話制御システムは会員の電子メールを保存する電子メールサーバーと、会員の情報を保存するＤＢサーバーと、会員の情報を入力されて前記ＤＢサーバーに保存し、会員管理に必要な機能を行う会員管理サーバーと、入力された電話番号を発信ボタンによって呼び処理サーバーに呼び出し信号として送り出す発信機能を有するユーザーエージェントを備えた発信ＰＣと、前記呼び出し信号を受信して前記ＤＢサーバーに保存された受信ＰＣのＩＰ住所を照会して前記受信ＰＣに中継する呼び処理サーバーと、前記呼び処理サーバーの中継信号を受信して応答信号を送り出して通話する受信機能を有するユーザーエージェントを備えた受信ＰＣとで構成され、前記受信ＰＣまたは発信ＰＣにはＰＳＴＮ網と接続された個別ラインアダプターが連結され、前記ＰＳＴＮ網に連結された一般電話機が前記ラインアダプターを介して前記受、発信ＰＣを介してインターネット通話ができるように制御する機能をさらに有する前記受、発信ユーザーエージェントと、前記受、発信ユーザーエージェントによって前記ＰＳＴＮ網に接続された一般電話機と前記ＰＣとの信号またはデータをそれぞれ認識、中継して前記一般電話機で前記ＰＣを介したインターネット通話受信及び発信ができるように構成されることを特徴とする。
【００２４】
また、本発明のインターネット通話制御方法は、顧客が事業者ウェブサーバーに表示されたアイコンをクリックすると、前記事業者ウェブサーバーに備えられてクリックされたアイコンと連携されたクリックプログラムにより前記事業者のＩＤを含んだ情報を伝達する過程と、前記顧客ＰＣに設置された発信機能を有するユーザーエージェントが前記事業者のIDを含む固有情報を伝達され顧客ＩＤと共に呼び出し信号として送り出す過程と、前記呼び出し信号が受信されると、前記呼び処理サーバーに対し前記事業者の情報が保存されたＤＢサーバーで前記呼び出し信号に含まれた事業者のＩＤに対応する事業者ＰＣのＩＰ住所を照会し、照会された前記IP住所に前記顧客IDと共に呼び出し信号を送り出す過程と、前記事業者ＰＣが前記呼び出し信号を受信すると、受信機能を有するユーザーエージェントにより前記顧客ＰＣに応答メッセージを送り出す過程を有することを特徴とする。
【００２５】
また、本発明のインターネット通話制御方法は、事業者が会員管理サーバーで電子メール本文と顧客のＩＤを入力して送りボタンをクリックすると、アイコン生成部で前記事業者のＩＤを含んだ固有情報をＤＢサーバーから抽出して、これと連携された前記事業者のIDを含む固有情報を発信機能を有するユーザーエージェントに伝達するクリックプログラムを生成して前記電子メールに挿入して前記顧客の電子メールサーバーに送り出す過程と、前記顧客ＰＣで前記電子メールサーバーから電子メールを伝達されて表示されたアイコンをクリックすると、受信機能を有するユーザーエージェントにより前記事業者のIDを含む固有情報を顧客ＰＣのＩＤとともに呼び出し信号として送り出す過程と、前記呼び出し信号が受信されると前記呼び処理サーバーにより前記事業者情報がセーブされたＤＢサーバーで前記呼び出し信号に含まれた前記事業者のＩＤに対応する事業者ＰＣのＩＰ住所を照会し、照会された前記IP住所に前記顧客IDと共に呼び出し信号を送り出す過程と、前記事業者ＰＣが前記呼び出し信号を受信すると、受信機能を有するユーザーエージェントにより前記顧客ＰＣに応答メッセージを送り出す過程を有することを特徴とする。
【００２６】
また、本発明のインターネット通話制御方法は、顧客がシステム運営者のウェブサーバーに表示された多数のアイコンの中で特定アイコンをクリックすると、前記システム運営者のウェブサーバーに備えられ、前記クリックされたアイコンと連携されたクリックプログラムにより前記事業者のＩＤを含んだ情報を伝達する過程と、前記顧客ＰＣに設置された発信機能を有するユーザーエージェントが前記事業者の情報を伝達され顧客ＩＤと共に呼び出し信号を送り出す過程と、前記呼び出し信号が受信されると前記呼び処理サーバーに対し前記事業者の情報が保存されたＤＢサーバーで前記呼び出し信号に含まれた事業者のＩＤに対応する事業者ＰＣのＩＰ住所を照会し、照会された前記IP住所に前記顧客のIDと共に呼び出し信号を送り出す過程と、前記事業者ＰＣが前記呼び出し信号を受信すると、受信機能を有するユーザーエージェントによって前記顧客ＰＣに応答メッセージを送り出す過程を有することを特徴とする。
【００２７】
また、本発明のインターネット通話制御方法は、会員の情報を管理する会員管理サーバーで会員の情報をＤＢサーバーに保存する過程と、発信ＰＣで発信機能を有するユーザーエージェントが前記受信者のIDを含んだ固有情報を伝達され発信者のIDと共に呼び出し信号として送り出す過程と、前記呼び出し信号が受信されると、前記呼び処理サーバーにより前記受信者の情報がセーブされたＤＢサーバーで前記呼び出し信号に含まれた受信者のIDに対応する受信ＰＣのＩＰ住所を照会し、照会された前記IP住所に前記発信者のIDと共に呼び出し信号を送り出す過程と、受信ＰＣが前記呼び出し信号を受信すると、受信機能を有するユーザーエージェントにより前記発信PCに応答メッセージを送り出して電話機能を行う過程と、前記受信または発信ＰＣにはＰＳＴＮ網と接続された個別ラインアダプターに電話機の発信信号が感知されると、これをＤＴＭＦ送受信部を通じて発信番号を読み取る過程と、発信信号が抽出されると、前記ユーザーエージェントにより信号処理部を通じて呼び出し信号を送り出す過程と、前記ＰＣに受信された呼び出し信号を設定されたモードに応じてサウンド入出力経路を無条件前記ラインアダプターを介してＰＳＴＮ網に連結するか、一応受信ＰＣを連結して待機している中に一定時間が経るとＰＳＴＮ網に連結する過程を有することを特徴とする。
【発明の効果】
【００２８】
前記したように、本発明は、インターネット網を利用して事業をする者が自分のウェブページや電子メール等に自分にクリックして無料電話できるサービスをインターネットを利用する不特定多数の数多くの顧客に提供して、広告や営業等に有用に活用することができ、顧客もまた必要な情報や商品購買のために容易かつ便利に無料で問い合わせや相談ができる效果がある。また、本発明によるアイコン表示事業者情報をシステム運営者のウェブサーバー等の所定の位置に集大成して顧客に提供することにより、事業者は自分のウェブページを訪問する可能性の少ない一般顧客に自分の情報を公開し得る機会を得ることができるようになり、顧客は所望の分野の情報を得るためによくも知らない事業者のウェブサーバーを個別的に一つ一つ訪問することなく、集大成されて提供される所定のウェブサーバーにのみ接続して必要な分野に係わる多数の事業者の情報をいっぺんに見て、所望の事業者を簡単に選択して手軽く無料で通話できる效果がある。さらには、貿易業者などの特定顧客と通話量の多い事業者等が顧客に無料で両方向に通話できるサービスを何らの手続きなく提供することができるので、チープな費用で所望の相手と両方向で通話できる效果がある。また事業者に関心を有して通話した顧客に密着されたサービスと営業活動ができるように受信顧客通話統計情報を提供して事業者の利益向上をはかることのできる效果がある。このような利点を有料会員である事業者または両方向申請者に提供することにより、窮極的には本システムを提供して運営するシステム運営者の利益をはかることができるという效果がある。
【００２９】
またユーザーが一般電話で受、発信することができ、使用が便利であり、取り次ぎ、回しなどの便利な機能を提供して多くの便利さを提供したのである。 
【発明を実施するための最良の形態】
【００３０】
本発明のインターネット通話制御システムは次のとおりであり、関連した公知技術による機能または構成に対する具体的な説明が本発明の要旨を濁ごす恐れのあると判断される部分は、その詳細な説明は略する。
【００３１】
本発明は、すべての人（以下‘顧客’と言う）に無料で会員加入だけすれば、本システムを利用して無料で発信ができるように構成されている（場合によって、ログインだけでも使用可能に構成されることができる）。
【００３２】
代りに、受信機能は有料会員（以下‘事業者’という）にだけ提供され、インターネットを利用して営業をする事業者または両方向通話を願う個人に有用である。場合によっては、システム運営者が有料、無料区分を選択的にすることができる。すなわち、事業者と顧客とが共に無料であることもでき、反対に共に有料であることもでき、事業者は無料、顧客は有料とすることもできる。また受、発信機能の選択も多様にすることができる。
【００３３】
本発明は、基本的に一つの基準で説明し、他の場合の実施が本発明の基本思想を含むことは全て同一範疇に属する。図２のＰＣ内部ブロック図は受、発信用が全て同一であり、事業自用は２１〜２９にし、顧客用は３１〜３９で表示する。ユーザーエージェント２１、３１は、それぞれ受、発信機能を全て備えているが、前記事業者にはＩＤに別途に認識コードを置いてＤＢサーバー１１に保存して呼び処理サーバー１２が受信可能ＩＤであるか否かを判断できるように構成されて、顧客は受信が不可能となる。しかし必要によって受、発信機能をそれぞれ別途にして構成し、前記ＩＤ区分をしないように構成することも可能である。ただし、この場合には、後述のように、呼び処理サーバー１２の非效率問題が発生する恐れもある。
【００３４】
先に、図１乃至図３による本発明の第１実施例（事業者ウェブを利用した方式）を説明する。
【００３５】
会員情報（ＩＤ、商号、名前、電話番号、住所、ウェブページアドレス、パスワードなど）を保存するが、受信可能な事業者ＩＤを区分できるようにされたＤＢサーバー１１と、前記ＤＢサーバー１１に保存された事業者の情報の中で必要な情報を選択的に抽出してそれぞれ暗号化し、特定表示（以下‘アイコン’と言う）がクリックされると、連携された暗号化情報を解除して保存するクリックダイヤルプログラム（以下‘クリックプログラム’と言う）を生成させるように具備されたアイコン生成部１３を有する会員管理サーバー１と、前記クリックプログラムを事業者のウェブページ内の所定の位置に備えて顧客ＰＣ３に提供する事業者ウェブサーバー４と、前記事業者ウェブサーバー４に表示されたアイコンをクリックして実行されるクリックプログラムにより暗号解除された前記事業者の保存された情報（ＩＤ、電話番号、商号、ウェブページアドレス、有效期間、項目は選択的である）を導出して顧客のＩＤとともに呼び処理サーバー１２に呼び出し信号を送り出し、前記事業者ＰＣ２の応答信号に応じてインターネット通話機能を行うユーザーエージェント（ｕｓｅｒ−ａｇｅｎｔ）プログラム（以下‘発信ユーザーエージェント’とする）を備えた顧客ＰＣ３と、前記顧客ＰＣ３から送り出された通話呼び出し信号を認識して発信者（顧客）の会員加入及びログイン可否を前記ＤＢサーバー１１で照会し、ログインされた会員の場合、受信する事業者のログイン時に保存された事業者のＩＤに対応される事業者ＰＣ２のＩＰ位置を前記ＤＢサーバー１１で検索して前記発信者（顧客）ＰＣ３のＩＤなどを含んだ通話呼び出し信号を前記事業者ＰＣ２に中継する呼び処理サーバー１２と、前記呼び処理サーバー１２の通話呼び出し信号を受信すると顧客ＰＣ３に応答信号を送り出してインターネット通話機能を行う受信ユーザーエージェントプログラム（以下 ‘受信ユーザーエージェント’とする）を備えた事業者ＰＣ２を主要構成とする。
【００３６】
前記受、発信ユーザーエージェント２１、３１は、事業者が加入されると、必要項目を暗号化し、前記クリックプログラムを生成させるように具備された前記アイコン生成部（13）と共に基本的に前記会員管理サーバー（1）に別途に具備されており、前記会員管理サーバー２の該当アイコンをクリックしてそれぞれ要求されるユーザーエージェントをＰＣ２、３に設置されるように前記クリックプログラムに構成されている。
【００３７】
前記事業者ウェブサーバー４は、事業者が直接運営するウェブサーバーを含んでアイコンが掲載されたすべてのウェブサーバーを意味し、顧客は事業者ウェブサーバー４に表示されたアイコンをクリックして前記ユーザーエージェントを設置することもできる。
【００３８】
前記で顧客及び事業者はあらかじめログインして前記呼び処理サーバー１２がそれぞれＩＤとＰＣ２、３のＩＰ住所を認識するようにしなければならない。そうでなければ呼び処理サーバー１２は呼び出し信号を中継できなくなる。
【００３９】
また会員情報が全て前記ＤＢサーバー１１に保存され、ＩＤやＩＰなどを照会する時に效果的ではない場合には、ログイン時に認識したＩＤに対応される情報は前記呼び処理サーバー１２内の一時保存メモリーに別に保存しておいて活用することもできる。
【００４０】
また前記呼び処理サーバー１２は、前記顧客ＰＣ３が送り出した受信者のＩＤが前記会員管理サーバー１が認証したものであるか否かが分からないため、一応受信者ＰＣのＩＰ住所を尋ねて呼び出し信号を中継するようになるが、受信者ＰＣに設置されたユーザーエージェントが受信機能のない場合、電話は不可能となる。したがって、呼び処理サーバー１２が不必要な事をするようになるので、全体システムの效率低下をもたらすことになる。
【００４１】
したがって、望ましくは前記ユーザーエージェントの受、発信機能を全て備えて、受、発信可能な統合されたユーザーエージェントに一元化し、その代わり受信機能が与えられた事業者のＩＤにこれを区分できるコードを与えて前記ＤＢサーバー１１に保存し、前記呼び処理サーバー１２が通話呼び出し信号を中継する時、受信者のＩＤが受信が認証されたものであるか否かを前記ＤＢサーバー１１で照会して認証されないＩＤの場合は、中継をしないように構成することもできる。
【００４２】
この場合には、事業者や顧客の誰もいかなる条件なく無料で前記アイコンが掲載されたシステム運営者または事業者のウェブサーバー４または受信されたメールで前記アイコンだけクリックすると、前記受、発信可能ユーザーエージェントを設置することができ、ただし、システム運営者によって認証されたＩＤを有するＰＣだけ受信が可能となる。万一、受信機能を制限しない場合には、前記ＤＢサーバー１１の受信機能認識コードを使用しなくてもよい。
【００４３】
以下、前記統合されたユーザーエージェント方式を基準として説明する。
【００４４】
前記の暗号化される会員情報項目は、事業者に自動発信するのに必要な必須項目（電話番号、ＩＤ）と顧客に提供する商号またはアイコンを掲載する事業者のウェブアドレスや認証有效期間等のシステム運営者に必要な選択項目を必要に応じて選択することができる。
【００４５】
このような前記の主要構成と共に事業者ＰＣ２及び顧客ＰＣ３はそれぞれ一般的なＰＣが有する電子メール/ブラウザー２２、３２及びウェブブラウザー２７、３７などを備えており、インターネット通話のできるヘッドセット、マイク、キーボード、マウス等の送、受信装置をユーザーインターフェース部２５、３５を介して備えている。また、前記ＰＣ２、３に備えられたユーザーエージェント２１、３１は、本発明によるインターネット通話に必要なすべての受、発信機能と一般電話を利用するために接続されたラインアダプター６を制御する機能を備え、すべての機能を制御する制御部２８、３８と呼び出しメッセージ等を送、受信する信号処理部２４、３４とインターネット通話に必要なデータ変換機能を有するメディア処理部２３、３３と対話相手情報を保存する対話相手ＤＢ２６、３６及び前記ラインアダプター６を制御するラインアダプター制御部２９、３９とユーザー/サウンド入出力部などを備えている。
【００４６】
前記ラインアダプター６は、一般電話ダイヤル信号を送受信するＤＴＭＦ送信部６１とヘッドセットのようにＰＣを利用して受、発信することができる一般電話機と直接連結された直結電話機接続部６２及び公衆電話網（ＰＳＴＮ）に接続された電話網接続部６３とで構成され、前記ラインアダプター制御部２９、３９により制御される。
【００４７】
本実施例で前記事業者が同一ウェブサーバー上で多数の商品に本実施例を適用しようとする場合（以下 "マルチ加入"と言う）例えば、インターネットショッピングモール事業者が多数の商品にそれぞれワンクリックインターネット通話サービスを受けようとする場合には、前記会員管理サーバー１から必要商品別にそれぞれ別途に会員加入をして前記アイコン生成部１３からそれぞれ別途の暗号化情報が含まれたクリックプログラムを提供されて前記インターネットショッピングモール事業者のウェブページプログラム内の所定の位置にそれぞれ備えて置くと十分である。
【００４８】
すなわち、顧客がショッピングモール事業者のウェブサーバー４を訪問し、表示された多数の商品別アイコン中のいずれかでもクリックすれば、事業者のウェブサーバー４に備えられた該当クリックプログラムにより本発明によるサービスを受けることができるようになるのである。もちろん、各アイコンに統一事業者ＩＤを用いることもできる。
【００４９】
次は、図１〜３による本発明の第２実施例（電子メールを利用した方式）を説明する。
【００５０】
前記第１実施例の前記アイコン生成部１３、顧客ＰＣ３、事業者ＰＣ２、ラインアダプター６、呼び処理サーバー１２、ＤＢサーバー１１は全て同一な機能と構成を有し、事業者ウェブサーバー４は除外される。
【００５１】
前記アイコン生成部１３に備えられたクリックプログラムを、会員管理サーバー１を利用して事業者が顧客ＰＣ３に送る電子メールに挿入して電子メールサーバー５に送り出す電子メール送り出し処理部１４を有する会員管理サーバー１を備え、顧客が自分の電子メールを見て前記電子メールサーバー５で提供されて表示されたアイコンをクリックすると、事業者ＰＣ２とインターネット電話ができるように構成される。
【００５２】
すなわち、前記第１実施例で事業者のウェブサーバー４を介してアイコンを表示する機能に代わって、顧客に送る電子メールにアイコンを表示するようにする機能及び構成の差異を有する。
【００５３】
ここで、図７によって前記電子メール送り出し部１４により電子メールが送り出されるプロセスを詳しく説明すれば、事業者が前記会員管理サーバー１に接続して、ＩＤとパスワードをログインし、電子メール送りメニューを選択すれば、前記会員管理サーバー１は事業者にあらかじめ認可した許容メール数を画面に表示し、受信者電子メールアドレスと本文内容とが入力されて送り出しボタンがクリックされると、メール数をカウントして許容されたメール数だけ抽出した後、前記アイコン生成部１３を呼び出して前記事業者ＩＤを伝達し、前記アイコン生成部１３は前記ＤＢサーバー１１に接続して暗号化すべき項目を抽出してＨＴＭＬ文を作成する。前記電子メール送り出し部１４は、前記送り出す電子メール本文に前記生成されたアイコンを挿入し、電子メール送り出しサーバーを呼び出して送り出すメールを臨時保存した後、一つずつ順次でメールを送り出しながら送ったメール数をカウントして臨時保存されたメールが全て送り出されると終了する。
【００５４】
もし、許容数を受信者が受信したメール基準にする場合には、受信確認可否をチェックしてカウントすれば十分である。ここで、メール数の制限は、任意で行うことができる（カウントが必要ない場合は、カウント過程省略）。
【００５５】
図１〜３による本発明の第３実施例（両方向通話方式）を説明する。
【００５６】
本実施例は、サービスを受けようとする事業者が自分が願う相手と両方向でインターネット電話をする場合である。
【００５７】
すべての機能と構成は、第２実施例と同一な電子メールを利用した方式であり、ただ事業者は、前記会員管理サーバー１で事業者及び電話する相手のＩＤを入力して受信可能認証を受けると、前記会員管理サーバー１は認証されたＩＤを受信可能ＩＤで別途表示して前記ＤＢサーバー１１に保存し、前記相手は受信された電子メールに表示されたアイコンをクリックして事業者と電話することができ、前記事業者は相手のＩＤを手作業で入力するか、相手電話を受信した場合には、前記対話相手ＤＢ２６に電話番号が自動に保存されて相互両方向に電話することができるように構成される。
【００５８】
次は、図１〜３による本発明の第４実施例（システム運営者ウェブを利用した方式）を説明する。
【００５９】
ここで、システム運営者とは、本発明による全体システムを提供し、事業者と顧客の会員加入を受けて全体システムを運営する者を言う。
【００６０】
本実施例は、前記第１実施例のマルチ加入と基本的に同一類似であり、ただし第１実施例がクリックプログラムを事業者ウェブサーバー４に備えた代わりにシステム運営者ウェブサーバー１に備えた点が異なっている。
【００６１】
前記ＤＢサーバー１１、呼び処理サーバー１２、顧客ＰＣ３、事業者ＰＣ２は、前記第１実施例と同一な機能と構成を有し、前記顧客ＰＣ３で入力された索引語を前記ＤＢサーバー１１で検索して検索された受信機能保有事業者及び個人情報を前記アイコン生成部１３に提供する事業者情報処理部１５と、前記検索された多数の事業者（個人を含む）情報に該当する多数のクリックプログラムをそれぞれ生成させて、ウェブインターフェース１６に提供するアイコン生成部１３と、前記ウェブインターフェースを介して提供された多数のクリックプログラムを備え、それぞれこれと連携されたアイコンを所定の形態で前記システム運営者ウェブページに表示するようになったシステム運営者ウェブサーバー１７を有する会員管理サーバー１で構成される。
【００６２】
ここで図８による前記事業者情報処理部１５の索引語検索プロセスを詳しく説明する。
【００６３】
任意のインターネットユーザーが前記会員管理サーバー１に接続して電話番号検索窓で願う索引語を入力するところ、先に地域検索条件を優先順位とし、次に業種または事業者が加入の時に入力した情報項目の中で必要な項目を入力すれば（中華料理店、花屋等のショートカット項目や電話番号等）、前記事業者情報処理部１５は入力された索引語の組合に該当する受信可能保有会員のＩＤ、商号、電話番号等を前記ＤＢサーバー１１で照会して一時保存し、照会された事業者数をカウントして各事業者別ＨＴＭＬ文を順に作成して順に画面に表示し、保存された事業者が全て表示されると終了する。
【００６４】
このような構成により受信機能を有する事業者は顧客が自分のウェブサーバー４に接続しなくても、不特定顧客に広告等の営業行為が可能であり、顧客も多くの情報が提供される一つのウェブサーバー１７で所望の事業者と容易に通話できるように構成されたのである。また受信機能が与えられた一般会員情報は、名前、アドレス、電話番号等で検索することができるので、友達、親戚等の知人がシステム運営者のウェブサーバー１７を訪問して名前等を検索した後、アイコンだけクリックすれば、簡単に電話することができるように構成されたのである。
【００６５】
前記実施例において、前記事業者に受信された顧客の統計的情報を提供するために、前記事業者ＰＣ２のユーザーエージェント２１に受信された顧客の通話記録をテキストファイル等で累積、記録できる通話記録機能を備え、前記会員管理サーバー１に顧客が会員加入する時に前記ＤＢサーバー１１に保存された顧客の住所、住民登録番号等と顧客の受信記録（ＩＤ、受信時間、終了時間）を統合して、受信機能認証者に必要な所定の形態で加工処理する機能を有する通話統計処理部１８を構成して、前記通話統計処理部１８に接続して自分に電話をかけた顧客の、地域別、性別、年齢別情報と期間別新規通話件数、既存顧客通話件数、総通話時間などの多様な情報を抽出できるように構成される。
【００６６】
ここで、図９によって前記通話統計処理部１８による通話統計処理プロセスを詳しく説明する。前記受信機能認証者は、前記会員管理サーバー１に接続して通話統計メニューでログインすると、前記通話統計処理部１８は、前記顧客ＰＣ３に累積、記録されている通話記録ファイル（一般的にテキストファイルとなる）を前記会員管理サーバー１へ持たせて、記録された手順によって一つずつＩＤを抽出して前記ＤＢサーバー１１でここに該当する必要項目（住所、性別、年齢等）を抽出して統計処理するファイルに累積保存する。
【００６７】
前記記録されたＩＤ抽出が完了すると、必要な統計プログラムを呼び出して統計値を算出して保存し、処理結果を画面に表示する。もし、既存に蓄積された統計値と比べる場合には、蓄積された統計値を抽出して比べた後に画面に表示する。
【００６８】
前記実施例らにおいて、暗号化する事業者情報は、暗号化しなくても使用され得るが、システム運営者が許可しない無断使用を防止するための場合等に必要とする。本発明にて、受、発信ＰＣ間で通話する方式は核心事項ではなく、任意の方式を適用することができる。
【００６９】
本発明によるインターネット通話制御システムは、ラインアダプターをＰＣに連結して一般公衆電話網を利用した一般有、無線電話機に接続、使用できるように構成される。
【００７０】
このような構成は、前記のすべての実施例に適用され、既存の１対１の固定接続通話方式とは異なり、集団ゲートウェイシステムにより行われる機能を解決できるユーザーエージェントを備えている。
【００７１】
すなわち、各ＰＣに個別的に連結構成されたラインアダプターと呼び処理サーバー１２を介して多数間通話をする場合、通話中の際に、音声メッセージを処理し、一般電話機で連結しようとする場合、一応ラインアダプターが一般電話（直結電話）で受信し、状況に応じて対応できる機能を備えるように構成される。
【００７２】
【実施例】
【００７３】
このように構成された本発明の作用及び效果を各実施例別に詳しく説明する。先に、本発明によるサービスは加入された会員にだけ提供され、ユーザー（事業者、または顧客）ＰＣには、前記ユーザーエージェント２１、３１が設置されていなければならない。ただし、顧客は最初使用の時にも自動的に設置されるので問題がない。基本的に、本システムは事業者の広告、営業等営利のために提供、運営されるので、営利のために積極的に本発明によるシステムに加入しようとする事業者は、有料で加入しなければならない（システム運営者の選択によって無料で運営されることもできる）。
【００７４】
[会員加入プロセス]
（有料会員）
＊１００本システムに加入しようとする有料会員は、先にシステム運営者が提供する会員管理サーバー１のウェブサーバー１７で事業者（特定人）のＩＤ、電話番号、パスワード、住所、検索キーワードなどの要求される加入情報を入力する。有料の場合には、決済を通じて事業者（受信機能可否）として登録される。前記会員管理サーバー１は、加入が認可された事業者（特定人）の情報を別途表示（ＩＤに特定コード追加など）して前記ＤＢサーバー１１に保存し、商号、ＩＤ、電話番号等の選択された必要項目を前記アイコン生成部１３で暗号化して前記クリックプログラムを提供する。前記事業者は、自分のクリックプログラムを前記ウェブサーバー１７で提供されて、自分のウェブページの所定の位置に挿入する。
【００７５】
ここでクリックプログラムはＨ.Ｔ.Ｍ.Ｌ（ＨｙｐｅｒＴｅｘｔＭａｋｅ−ｕｐＬａｎｇｕａｇｅ）文で作成されることが望ましいが、他の方法で作成されても本発明の範疇に含まれる。同時に、顧客との通話のために事業者ＰＣ２に前記ユーザーエージェント２１を設置しなければならない。このためには、システム運営者のウェブサーバー１７に接続してウェブページに表示されたシステム運営者のアイコンをクリックしなければならない。アイコンがクリックされると、前記システム運営者ウェブサーバー１７に備えられたシステム運営者のクリックプログラムによって、後述のように事業者ＰＣ２にユーザーエージェント２１が自動的に設置される。これにより、有料会員の加入及びサービスに必要な準備は簡単に完了する。
【００７６】
（無料会員）
次は、顧客が本システムを利用するために無料で会員加入を希望する場合、有料会員と同じく先にシステム運営者のウェブサーバー１７に接続して、会員加入窓で前記事業者と同様に要求される情報（ＩＤ、パスワード、名前、住所等）を入力する。ここで、顧客のＩＤは、顧客が受信できる電子メールアドレスにすることが望ましい（事業者が顧客に電子メール送るのに活用するためである）。これにより、無料会員は会員加入が完了され、顧客ＰＣ３に設置するユーザーエージェント３１は、この状態でシステム運営者のウェブページにあるアイコンをクリックして自動設置することもでき（別途の設置方法を用いることも可能である）、前記事業者のウェブページにある事業者アイコンをクリックして設置することもできる。何故ならば、事業者の場合は、前記会員加入の時に自分のウェブサーバー４にシステム運営者ウェブサーバー１７に備えられたことと同一な機能を有するクリックプログラムを既に備えておいた状態であるためである。
【００７７】
ただし、顧客の便宜上、会員加入の時にあらかじめシステム運営者ウェブサーバー１７で発信ユーザーエージェント３１を設置しておくと、次に任意の事業者と電話を願う時、事業者ウェブサーバー４に備えられたクリックプログラムの中で前記ユーザーエージェント３１を
自動設置するのに必要な時間を減らすことができるという長所がある。
【００７８】
ここで、前記したクリックプログラムの生成と実行に対する動作プロセスを詳しく説明する。前記アイコン生成部１３がクリックプログラムを生成する過程を図６のフローチャートにより説明すると、（１）事業者が会員管理サーバー１に接続して（２）会員情報入力窓で （３）会員情報をすべて入力し、（４）加入が認証されると、（５）前記会員情報ＤＢサーバー１１に前記会員情報が受信可能データ状態に保存され（６）前記アイコン生成部１３を呼び出して（７）前記ＤＢサーバー１１に接続して、（８）保存された情報中にあらかじめ決まった項目を選択、抽出して暗号化文を作り、前記アイコンがクリックされると、これを検出するクリック検出文と前記暗号文と顧客ＰＣ３のユーザーエージェントを制御する文を全て合わせた前記クリックプログラムを生成し、（９）（１０）これを会員情報表示窓に表示して事業者がコピーするように提供する。このように生成されたクリックプログラムを事業者は自分のウェブページにコピーして挿入すればアイコンが表示され、これをクリックすると、次のように実行される。
【００７９】
（クリックプログラム動作プロセス）
図４のように、
（１）顧客がアイコンをクリックすると、
（２）前記アイコンに連携されて暗号化されている前記事業者の商号、ＩＤ、電話番号等のパラメーター値の暗号化を解除させ、
（３）暗号解除された前記パラメーター値を抽出する。
【００８０】
（４）次に顧客ＰＣ３にユーザーエージェント３１が設置されているのか否かをチェックして、
（５）設置されていなければ、前記会員管理サーバー１に備えられているユーザーエージェント３１を顧客ＰＣ３にダウンロードして自動的に設置し、既に設置された場合、必要な時に自動的にアップグレード（ｕｐ−ｇｒａｄｅ）させる。
【００８１】
（６）前記ユーザーエージェント３１が設置されているか、（５）のように設置が完了されると、前記ユーザーエージェント３１に稼動準備状態となるように起動信号を送る。
（７）引き継いて、前記（３）の抽出されたパラメーター値を保存した後、  
（８）前記ユーザーエージェント３１を呼び出すメッセージを送り出す。これで、クリックプログラムの動作プロセッサは終了する。すなわち、既存に発信者が受信者の情報を煩わしい手続きで調査していちいち入力する機能を、ソフトウェア的に自動実行されるようにしたのである。また受、発信通話制御に必要なユーザーエージェント２１、３１をチェックして、設置されていないＰＣには、会員管理サーバー１で自動的にダウンロードされて設置してくれる。したがって、最初のユーザーも使用が簡単であり、ユーザーエージェントがバージョンアップ（Ｖｅｒｓｉｏｎ−ｕｐ）された場合、既存に設置されたユーザーエージェントのバージョンをチェックして、必要な時に自動的にアップグレード機能を行うことができるようになる。
【００８２】
引き継いて、図５によるユーザーエージェント２１、３１の自動発信動作プロセッサを詳しく説明する。
（９）前記発信ユーザーエージェント３１は、（８）の呼び出しメッセージを受信し、
（１０）前記（７）の保存されたパラメーター値を検出し、
（１１）アイコンがクリックされたウェブページのユーアールエール（ＵＲＬ）を抽出して、（１２）加入の時に認証された事業者のウェブアドレスと一致すれば（一致していない場合は、実行中止）、
（１２）さらに有効期間をチェックして（でなければ、実行中止）
（１３）満了していなかったら、
（１４）顧客ＰＣ３のチャットボックスＤＢ３６を検索し、
（１５）前記パラメーター値が前記チャットボックスＤＢ３６に存在するか否かをチェックし、
（１６）存在していなければ、これを前記チャットボックスＤＢ３６にさらに登録させ、
（１７）電話かけ窓に前記（１０）で検出した前記パラメーター値を表示する。
（１８）顧客が発信ボタンをクリックすると、
（１９）発信に必要な事業者ＩＤを抽出して顧客のＩＤとともに前記呼び処理サーバー１２へ呼び出し信号を送り出す。これにより、ユーザーエージェント２１、３１の自動発信動作プロセスは終了する。
【００８３】
すなわち、前記クリックプログラムが実行されて、保存している受信者の情報を抽出して使用が認証された事業者であるか否かを確認した後、発信情報を保存して自動発信する。これは、既存に手作業で入力された電話番号を発信する過程をソフトウェア的に自動実行されるようにしたものである。
【００８４】
今まで説明したのは、前記クリックプログラムの実行に係わる一連のプロセスを全て説明したものである。必要に応じて、部分的に作動手順や機能を変更して用いることもできる。前記した内容をさらに要約、整理すると、顧客が願う事業者のウェブサーバー４に接続して表示されたアイコンをクリックすると、前記ウェブサーバー４に備えられているクリックプログラムが実行されるが、先に前記（２）、（３）のように暗号化されたアイコン所有事業者のパラメーター値を抽出して、（ユーザーエージェントが既に設置されていると仮定すると）前記（６）（７）（８）と共に前記パラメーター値を保存した後に前記ユーザーエージェント３１を可動させる。
【００８５】
そうすると、前記（９）〜（１９）のように前記ユーザーエージェント３１は前記パラメーター値を検出して発信者（顧客）のＩＤとともに発信する。ここで、実際の発信動作が行われるためには、発信命令を行う前に必ず顧客ＰＣ３を通じて前記呼び処理サーバー１２が自分のＩＤをあらかじめ認識しているようにＬＯＧ−ＩＮをしておかなければならない。そうでなければ、前記発信命令に応じて呼び出し信号を送り出しても、前記呼び処理サーバー１２が認識できなくて、発信動作は行われることができない。
【００８６】
また、顧客（発信者）ＰＣ３に前記ユーザーエージェント３１をさらに設置する必要がない場合には、（１７）前記（４）及び（５）のプロセッサでは含まれなくても良い。本システムで顧客が発信した事業者の情報を保存しなくても良い場合、前記（１４）〜（１６）のプロセスは省略されることもでき、前記アイコンをクリックする時、自動的に事業者に電話をするように設定した場合には、前記（１７）（１８）も省略されることができる（顧客が自動または受動を選択するようにすることもできる）。
【００８７】
前記したように、本発明によるクリックプログラムは、基本的に、本発明によるサービスを受けるために利用されるＰＣに必須なユーザーエージェントを事業者との通話のために顧客がアイコンをクリックする時、自動的に設置した後、前記ユーザーエージェントによりアイコンと連携された事業者に自動的に発信される一連のプロセスを全て備えることにより、顧客が事業者と本発明による通話サービスを利用しようとする場合、最初使用する時にも、事業者のアイコンだけ押せば、直ちに事業者と容易に電話できるようになっていて、一般顧客がいつでも楽な心で気軽に短い時間で簡単に購買のための事業者との接触ができるように誘導して、事業者の営業效率を向上するためのことであり、これによって事業者と顧客が共に手助けになって、結局事業者の増加によるシステム運営者の収益をはかるためのものである。
【００８８】
既存に電話する人のインターネット電話番号、ＩＤなどを別途に照会して、さらに手作業で電話かけ窓で要求される項目を全て入力した後、発信ボタンを押さなければならない顧客の煩わしさを解消して、事業者に発信した顧客情報を認識し保存して、営業活動に活 
用するようにしたものであって、本発明によるサービスを提供するのに必要な核心機能及び構成であると言える。
【００８９】
前記クリックプログラムは、基本的にＨＴＭＬ文で作成されることが望ましく、ユーザーエージェント２１、３１を前記会員管理サーバー１に別途に備え、ＨＴＭＬ文にこれを自動的にダウンロードして設置するようにしたプログラムを置いたのは、前記ユーザーエージェント２１、３１が単純に図５の（９）〜（１９）機能のみを行うことでなく、前記事業者及び顧客ＰＣ２、３の信号処理部２４、３４を含むインターネット通話制御及びラインアダプター制御等の多くの機能を行うように備える場合、基本的に数Ｍ程度の容量が必要となるので、別途に備えるのが望ましいと言うはずであるが、一部単純機能のみを行う場合には、前記ＨＴＭＬ文に含ませて別途に備えなくても良い。
【００９０】
また、前記ユーザーエージェント３１を前記事業者のウェブサーバー４に備えて、顧客がアイコンを押せば事業者のウェブサーバー４に備えられたクリックプログラムにより事業者ウェブサーバーに備えられた前記ユーザーエージェント３１が設置されるようにする
こともできる。
【００９１】
ところが、この場合には同一な内容を有する実行プログラムとなったＨＴＭＬ文のユーザーエージェント３１ダウンロードプログラムがあらかじめ指定された所定の位置（例えば、会員管理サーバー１の所定位置）で提供されるようにすることが望ましいが、事業者
のウェブサーバー４は変動性があるので、事業者のウェブサーバー４ごとに位置が異なって、ＨＴＭＬ文のプログラム内容が変更されなければならないため、適用することはできるが、效率面では望ましい方法であるとは言えない。今までは、ユーザーエージェントに
よる発信機能とそのプロセスを説明し、受信機能とそのプロセッサは各実施例の説明で受信用ＰＣが受信信号を認識し、応答信号を送り出すことだけで説明し、呼び出し信号受信の後の詳細な動作は、すべての実施例で同一であるので、すべての実施例の説明以後に別
途に説明することにする。
【００９２】
（第１実施例）-事業者ウェブを利用した方式
顧客が事業者と直接電話を希望する場合には、前記事業者ウェブサーバー４を訪問して表示された事業者のアイコンをワンクリックする。アイコンがクリックされると、システム運営者から会員加入認証を通じて提供された事業者固有の情報を含み、前記事業者ウェブサーバー４の所定の位置に備えられているクリックプログラムが実行される。すなわち、図４のように暗号化された前記クリックした事業者の固有情報が解除され、それによる前記事業者の固有情報パラメーターを抽出した後、顧客ＰＣ３に設置されているユーザーエージェント３１に起動信号を送り、前記抽出された事業者固有のパラメーター値を保存した後、前記ユーザーエージェント３１に呼び出しメッセージを送り出す。
【００９３】
前記送り出し信号を受信した前記ユーザーエージェント３１は、図５のように前記保存された事業者固有のパラメーター値を検出して顧客が通話しようとする事業者のＩＤ（必要な時、名前等を追加することができる）と顧客自分のＩＤを含む呼び出し信号を前記呼び処理サーバー１２に送り出す。
【００９４】
前述の動作プロセスは、顧客が所望の事業者とインターネット無料通話をするために、該当事業者のウェブページで表示されたアイコンをクリックすると、前記クリックプログラムが自動的に実行されて発信信号を送る過程に関するものである。このような動作プロセスにより、顧客はクリックで希望する事業者に簡単に発信することができるのである。
【００９５】
ここで、本発明によるシステムを初めて使う顧客が、会員加入の時にシステム運営者のウェブサーバー１７で前記ユーザーエージェント３１をあらかじめダウンロードされて設置しない場合には、図４の（４）（５）によって自動的に設置した後に動作されるので全然問題がなく、顧客が通話した事業者の固有情報を自動的に保存させることは、図５の（４）〜（１６）動作プロセスにより行われる。
【００９６】
【００９７】
そして、電話は前記呼び処理サーバー１２により発信者である顧客ＰＣ３のＩＤ及び受信者である事業者ＰＣ２のＩＤとＩＰ住所が認識されてから可能であるため、事業者及び顧客ＰＣ２、３をｌｏｇ−ｉｎして前記呼び処理サーバー１２にあらかじめ前記事業者ＰＣ２のＩＰ住所を認識させておかなければならない。
【００９８】
このような過程によって顧客ＰＣ３が呼び出し信号を送り出すと、前記呼び処理サーバー１２は受信された事業者ＰＣ２のＩＤに対応されるＩＰ住所を前記ＤＢサーバー１１（または、呼び処理サーバーの一時保存メモリー）で照会して前記事業者ＰＣ２に前記呼び出し信号を中継する。
【００９９】
呼び出し信号は、前記事業者ＰＣ２のＳＩＰ信号処理部２４を通じてユーザーエージェント２１に受信され、前記顧客ＰＣ３に応答信号を送り出すことにより、前記顧客ＰＣ３と事業者ＰＣ２はインターネット通話を行うことになり、また前記呼び出し信号に含まれた顧
客のＩＤ、名前等が後述のとおり自動保存される（ユーザーエージェント受信動作プロセスで説明）。
【０１００】
これにより、顧客は通話しようとする事業者とクリックで簡単にインターネット電話ができ、事業者は顧客に高次元のサービスを提供し、併せて密着した顧客管理ができるようになる。
【０１０１】
すなわち、前記事業者ＰＣ２のユーザーエージェント２１に受信された顧客のＩＤを対話相手ＤＢ２６に保存することができる機能を与えることにより、自分の事業に関心を有した密着された顧客に、必要な時に受信されたＩＤ（電子メールアドレス）で電子メールなどを通じて広告、広報等のより高水準の営業活動ができるようになるのである。もちろん顧客も図３の（１４）〜（１６）により自分が通話した事業者の情報が自動に保存され、次に利用する時、顧客ＰＣですぐ照会、発信できるようになる。
【０１０２】
これを図１０の動作流れ図により説明すると、事業者と顧客が共に会員加入されたと仮定すれば、事業者はログインして事業者ＰＣ２のＩＰ住所を前記呼び処理サーバー１２に登録すれば、前記呼び処理サーバー１２はこれを前記ＤＢサーバー１１に保存する。
【０１０３】
顧客が前記事業者のウェブサーバー４に接続して表示されたアイコンをクリックすると、ユーザーエージェント３１が設置されていない場合には、これを自動的に設置した後、顧客がログインした顧客ＰＣ３のＩＤを前記呼び処理サーバー１２を介してＤＢサーバー１１に保存し、前記顧客ＰＣ３から送り出された呼び出し信号を前記呼び処理サーバー１２が前記ＤＢサーバー１１を介して照会した事業者ＰＣ２のＩＰ住所に前記呼び出し信号を中継し、これを受信した事業者ＰＣ２は顧客ＰＣ３へ応答信号を送り出してインターネット電話をするようになる。
【０１０４】
そして、前記第１実施例でインターネットショッピングモール事業者と一緒に事業者が多数の商品を広告しながら各商品別に本発明によるサービスを受けようとする場合には、例えば、前記ショッピングモール内にショッピングモールを全体的に運営する事業者（Ａ）と、前記Ａ事業者のショッピングモールウェブページに携帯電話広告を掲載して営業をする事業者（Ｂ）と、カメラ広告を掲載して営業をする事業者（Ｃ）がみんな本発明によるサービスを受けようとする場合には、前記の第１実施例とすべての構成と機能及び動作プロセスは完全に同一である。
【０１０５】
ただ、この場合には前記ショッピングモール事業者（Ａ）のウェブサーバー４にそれぞれ別途に会員加入して、システム運営者から提供されたＡ、Ｂ、Ｃ、事業者固有のクリックプログラム３つが所定の位置にそれぞれ別途に備えられて、同一なショッピングモール
事業者のウェブページに表示されたそれぞれ別途のアイコンにより表示され、その中で顧客が選択、クリックしたアイコンに連携されたクリックプログラムのみが実行されて、該当事業者と顧客が直接電話することができるようになるのである。
【０１０６】
このように本実施例は事業者のウェブページにアイコン（数は制限無し）だけ表示されるようにすると、事業者の目的に応じて多様なサービスを顧客に提供するようになっている。
【０１０７】
（第２実施例）-電子メールを利用した方式
事業者は、不特定多数の顧客に商品広告のための電子メールを発送する場合、先に事業者は前記会員管理サーバー１に接続してシステム運営者が提供する電子メール窓に顧客に送る電子メールの本文内容と顧客の電子メールアドレスを入力して、送りをクリックすると、前記電子メール送り出し処理部１４は前記事業者の固有情報を有するクリックプログラムを前記事業者の電子メールに挿入して顧客に発送する（前記した第２実施例構成の図７のフローチャート説明参照）。
【０１０８】
前記電子メール受信顧客は、顧客ＰＣ３により前記電子メールサーバー５に接続して前記電子メールをダウンロードされた後、電子メールに表示された前記事業者のアイコンをクリックすると、前記クリックプログラムが実行されて前記第１実施例と同一なプロセスによって顧客は事業者と電話することができるようになる。
【０１０９】
すなわち、第１実施例と比べて見ると、事業者がシステム運営者の会員管理サーバーで電子メールを作成してアイコンを挿入して送ることにより、事業者のウェブページに表示したアイコンを電子メールに表示したことが異なり、それ以外のすべての機能と動作は、第１実施例と同一なものである。これを図１１による動作流れ図により詳しく説明する。先ず事業者が会員管理サーバー１でログインし、電子メール窓で顧客に送る電子メール本文内容と顧客電子メールアドレスを入力すると、ここに事業者の固有情報を有するクリッ
クプログラムを挿入して前記電子メールサーバー５に送り出し、前記電子メールサーバー５に接続した顧客が電子メールをダウンロードされてそこに表示されたアイコンをクリックすると、前記アイコンにより実行されるクリックプログラムにより顧客ＰＣ３は前記呼
び処理サーバー１２に呼び出し信号を送り出し、これを受信した呼び処理サーバー１２は前記ＤＢサーバー１１で事業者ＰＣ２のＩＰ住所を照会して前記前記呼び出し信号を中継し、これを受信した事業者ＰＣ２が顧客ＰＣ３に応答信号を送り出すことにより、顧客と事業者は通話ができるようになる。
【０１１０】
現在事業者が自分または外部専門機関に依頼して不特定多数のインターネット利用顧客に電子メール広告を発送する場合、これを受信した大部分の顧客は題目だけ見るか、または本文まで読んで見ることもあるが、事業者に問い合わせや注文をしたくても複雑な手続
きによって事業者ウェブページを訪問しなければならず、問い合わせまたは注文をしても返事をもらうことができず、直接通話をしたくても連絡先を捜す煩わしさと、探した番号に電話をしなければならないという不具合のため、容易に利用しにくく、前記した単純リ
ンク方式によるクリック方式も単純１回性で満了して事業者は顧客の事後管理が不可能であるが、本発明による第２実施例は顧客と事業者が共に相互手助けになり得る有用なサービスである。
【０１１１】
すなわち、事業者は顧客に必要な時、直ちに簡単に電話できる環境を提供して顧客の便宜をはかり、事業者は電話した顧客の受信されたＩＤを認識することができて、必要な時に不特定顧客でない自分の事業に関心を有した密着された顧客のみを区分し、差別化されたサービスと営業活動ができるようになるのである。
【０１１２】
（第３実施例）-両方向通話方式
本実施例は、事業者が外国の支店や主要顧客等の両方向通話を願う相手に費用や手続きの複雑さ等を与えなくても相手と両方向に通話できるものであって、有料会員である事業者が通話してほしい相手を指定すれば、指定された相手には無料で受信機能を与えるように設定されている。
【０１１３】
先ず、事業者は前記会員管理サーバー１で前記有料会員加入手続きに従って登録する時、無料で受信機能が与えられる相手があらかじめ決まった数字だけ受信機能を有するＩＤで登録する。
【０１１４】
前記会員管理サーバー１はこれを受信可能なＩＤで区分して前記ＤＢサーバー１１に保存する。もちろん、有料、無料の区分も追加してサービスの差等を期することもできる。
【０１１５】
例えば、無料である相手の電話番号は誰も利用することができるが、クリックプログラムは提供されないようにしてワンクリックで相手に発信する機能は与えないのである。これは、システム運営者の選択事項であって、確定されるものではない。
【０１１６】
相手が登録されると、事業者は相手にアイコンを送るようになるが、これは、前記第２実施例で事業者が顧客に電子メールを発送することと同様に前記会員管理サーバー１の電子メール窓で相手の電子メールアドレス（ＩＤ）と案内文を作成して相手に送る。そうすれば、前記電子メール送り出し処理部１４は事業者固有の情報が含まれたクリックプログラムを前記電子メールに挿入して電子メールサーバー５に送り出す。相手は、受信された電子メールを開封し、電子メールに表示された事業者のアイコンをクリックする。アイコンがクリックされると、前記事業者のクリックプログラムが前記で説明したように実行され、その結果、相手ＰＣ３にはユーザーエージェント３１が自動的に設置され、事業者の情報（名前、ＩＤ、電話番号等）が前記相手ＰＣ３のユーザーエージェント３１のチャットボックスＤＢ３６に自動的に保存されて、必要な時にいつでも相手が前記事業者にワンクリックで発信できるようになるのである。したがって、相手は無料で別途の手続きなく受信機能を与えられて事業者と電話もできるという利点を得るようになる。ただ、相手の電話番号は前記会員管理サーバー１に会員加入時に与えられる。一方、前記事業者は前記会員管理サーバー１で会員加入をした後、システム運営者のアイコンをクリックしてユーザーエージェント２１を設置し、相手のＩＤ、電話番号等を自分のＰＣ２に手作業で入力するか、相手が電話をかけてくると前記ユーザーエージェント２１により受信された相手の情報が自分の対話相手ＤＢ２６に保存されて、いつでも相手に発信ができるようになるのである。
【０１１７】
本実施例は、両者が両方向でインターネット電話をする機能面では現在使われる他の方式と同一、かつ類似しているが、既存にこのような両方向通話をするためには、システムサービスを提供するインターネット電話事業者に有料で加入した会員間にだけ電話できるという問題点を改善したものである。すなわち、ある貿易業者が随時に多い国際電話をしなければならない、全世界に広がっている顧客（Ｂｕｙｅｒ）とチープなインターネット電話で通話したい場合、既存には自分は勿論、通話してほしい相手顧客に自分が加入したサービス企業に加入するように要請しなければならず、加入した後には、相互間にインターネット電話に必要な情報を交わってそれぞれ保存しなければならないところ、前記貿易業者が現実的に顧客である相手にこのような要求をすることは無理なものである。ところ、本実施例では、前記したように、特定人である貿易業者だけ有料で加入し、顧客である相手には電子メールを通じてすべてのサービスを提供するので、顧客は何らの経済的負担や煩わしい手続きなく貿易業者にアイコンだけクリックして通話ができ、事業者も相手顧客にチープに電話ができて、両者共に非常に有用なサービスを提供するようになるのである。
【０１１８】
本実施例は、前記第２実施例と核心動作である電子メール送り出しプロセスが同一であるので、図７及び図１１の電子メール送り出し処理フローチャート及び動作流れは、別途の説明を略する。
【０１１９】
（第４実施例）-システム運営者ウェブを利用した方式
本実施例は、事業者のウェブサーバー４を利用して顧客が事業者と電話するようにした前記第１実施例と基本的にはすべての機能と動作が同一かつ類似している。ただし、事業者ウェブサーバー４の代わりにシステム運営者のウェブサーバー１７を利用する差異があ
る。先ず、有料会員加入されて受信機能が与えられた事業者情報は、全てシステム運営者の前記ＤＢサーバー１１に保存されている。ここで、顧客が所望の事業者と電話をするために前記システム運営者の電話帳検索窓に接続する。顧客は、多くの事業者の中で自分が願う事業者を捜すために、要求される索引語（例えば、旅行会社、韓国ソウル市クロ区所在等）を入力する。
【０１２０】
前記事業者情報処理部１５は、前記ＤＢサーバー１１に保存された事業者情報を照会して入力された索引語に該当する事業者情報を前記アイコン生成部１３に提供し、それぞれの事業者に対応する多数のクリックプログラムを生成させて前記ウェブインターフェース１６を介してシステム運営者ウェブページの所定の位置にそれぞれ挿入し、顧客が接続したウェブページに商号、電話番号、業種、住所等の事業者情報リストとともにそれぞれのクリックプログラムと連携されたアイコンを表示する。すなわち、顧客が所望の索引語に該当する事業者情報をアイコンとともにシステム運営者のウェブサーバー１７ですべての無料顧客に提供する（これに対する詳細説明は、前記第４実施例構成の図８のフローチャート説明参照）。
【０１２１】
顧客が表示された事業者の中で自分が所望の事業者のアイコンをクリックすると、前記したようにこれと連携されたクリックプログラムが実行される。有、無料会員加入とログイン等は前記したとおりであり、発信も受動または自動を選択的に設定することができる。自動または受動で発信をするようになれば、前記顧客のＩＤを含んだ呼び出し信号が前記呼び処理サーバー１２に送り出され、これを受信した前記呼び処理サーバー１２は前記ＤＢサーバー１１で照会した事業者ＰＣ２のＩＰ位置へ前記呼び出し信号を中継し、事業者ＰＣ２の応答信号送り出しによって相互通話が成り立つ。これを図１２による動作流れ図で説明すれば、顧客がシステム運営者のウェブサーバー１７に接続して電話帳検索窓で願う事業者を検索するための索引語を入力すれば、前記事業者情報処理部１５は前記ＤＢサーバー１１を介して事業者情報を抽出し、前記アイコン生成部１３に提供して各事業者固有のクリックプログラムを生成させて、各事業者の商号、業種、電話番号、住所等の事業者リストにアイコンとともに表示し、顧客はその中で所望の事業者のアイコンをクリックすれば、アイコンと連携されたクリックプログラムによって前記のように呼び処理サーバー１２及びＤＢサーバー１１により事業者ＰＣ２に呼び出し信号が中継されて通話をすることになる。本実施例の特徴は、事業者が第１実施例で自分の個別的ウェブサーバー４に接続した顧客にだけ本サービスを提供するようになるという問題点を補ったのである。すなわち、顧客が特定事業者でない特定領域、例えば、旅行商品に対して知りたい場合であれば、顧客は関連情報が集大成されているシステム運営者のウェブサーバー１７に接続して多くの旅行会社リストを提供されることができる。また、クロ区に住んでいる顧客がその中でクロ区所在の旅行会社のみを希望する場合には、索引語検索を利用してクロ区所在の旅行会社リストのみを提供されるようになる。その中で必要な旅行会社のアイコンをクリックすると、簡単に必要な問い合わせまたは商品購買等ができるようになるのである。すなわち、各事業者の個別的ウェブサーバー４に表示するアイコンを集大成してシステム運営者ウェブサーバー１７で顧客がすべて選択するようにして事業者及び顧客に共に利益になるようにしたのである。
【０１２２】
今まで各実施例に対して詳しく説明し、前記したように各実施例は、クリックでインターネット電話をしながら同時に発信者のＩＤを受信者が認識できるようにした核心構成と機能を中心に各サービスの特性によって部分的な応用をしたサービスモデルである。本サービスは、基本的にサービスを提供するシステム運営者が収益事業として運営する場合、これを積極的に利用しようとする事業者には有料で提供し、代わりに必ず利用する必要のない消極的ユーザーである一般インターネットユーザー（顧客、相手）には、無料で提供されることが望ましい。前記実施例は、それぞれ独立的にサービスが可能であり、部分的または全体を統合して運営することもできる。もし独立的に運営する場合には、顧客がログインする時に伝達される顧客のＩＤを呼び処理サーバー１２またはＤＢサーバー１１が認識、保存し、他の顧客がログインしてさらに他のＩＤを保存するために重複可否チェックをするなどすべての機能を前記の会員管理サーバー１で行わず、前記ＤＢ（サーバー）１１または呼び処理サーバー１２などで処理するようにすることもできる。この場合に、顧客は別途会員加入手続きなくすぐログインすることのみで本サービスを利用することもできるようになる。
【０１２３】
（通話統計処理サービス）
前記実施例で事業者の便宜のために付加的に事業者に受信された顧客の現況及び多様な統計情報を提供することができる。このために前記図２の事業者ＰＣ２の受信ユーザーエージェント２１には、受信通話自動記録機能が備えられて前記実施例において受信された顧客のＩＤ、通話日時、開始時間、終了時間などがテキストファイル形式で自動的に累積記録される。もし、事業者が受信された顧客の統計情報を見ようとする場合、システム運営者の前記会員管理サーバー（１）にある通話統計処理部１８に接続して統計処理を申し込むと、前記通話統計処理部１８は事業者ＰＣ２に記録されている受信者情報を全てアップロードして伝達され、その中で発信者ＩＤを基準として前記ＤＢサーバー１１に保存されている顧客の会員加入情報（例えば、住民登録番号、住所、性別等）を全て照会して、必要な通話統計情報を導出す。すなわち、地域別、年齢別、性別、期間別統計や通話時間、新規会員の通話件数、既存会員の通話件数、期間別増減等の統計結果またはその結果を必要の各種図表、グラフなどで表示して提供するようになる（前記したプロセスは、前記通話統計処理に関する構成説明図９のフローチャート参照）。これを図１３の動作流れ図で説明すれば、事業者が会員管理サーバー１に顧客の通話統計処理を要請すると、通話統計処理部１８は事業者ＰＣ２に記録された受信情報を伝達されて発信者ＩＤを基準としてＤＢサーバー１１に保存された会員情報を照会し、二つの情報を組合、統計処理してその結果を所定の形態で事業者ＰＣ２に提供する。このような付加サービスは、実際には事業者に非常に有用な情報であって、前記で言及したとおり事業者に電話をかけた顧客の発信ＩＤを認識できる本発明によるシステムでのみ実施可能な特長所でもある。
【０１２４】
これまで説明した受、発信動作は、全てインターネットを介したＰＣとＰＣとの間の動作を基準にしたものである。本発明は、受、発信をヘッドセットの代わりに使用できる直結電話機または一般公衆電話網（ＰＳＴＮ）に接続されたＰＳＴＮ電話機を各ＰＣに個別 
的に連結された前記のラインアダプター６に接続して便利に使用できるように構成されている。
【０１２５】
先ず、図２及び図１４ａによって前記ユーザーエージェント２１の受信動作プロセスを詳しく説明する。
【０１２６】
前記の呼び処理サーバー１２により中継された呼び出し信号が受信されると、前記信号処理部２４は、前記呼び出し信号に含まれた受信ＩＤが一致するのか否かを比べて、一致しなければ終了し、一致すれば前記制御部２８はさらに電話中であるか否かをチェックする。
【０１２７】
＊１８８電話中であれば、後述するように図１４ｆの音声メッセージ処理プロセス（Ｐ７）を進行し、電話中ではなければ、前記信号処理部２４は電話開始を知らせるベルメッセージを送り出す。
【０１２８】
この時、前記制御部２８は受信ＰＣがＰＣ自体またはヘッドセットでない前記ラインアダプター６を経由してＰＳＴＮ網に接続された電話機を使うように無条件呼び切換えモードで設定されているのか否かをチェックし、そうである場合には、図１４ｂのＰ１プロセ
スのように前記信号処理部２４から発信側に通話開始メッセージを送り出し、前記ラインアダプター制御部２９が前記電話網接続部６３を駆動して前記ＤＴＭＦ送受信部６１のＰＳＴＮ受信電話番号を送り出し、前記制御部２８が前記メディア処理部２４を接続して
送受信するメディア信号が送り出し及び受信される。したがって、前記発信顧客とＰＳＴＮに接続された電話機で受信して電話できるようになる。
【０１２９】
引き継いて、通話が開始すると、前記信号処理部２４は発信側が通話終了の時に送り出される終了メッセージをチェックして、受信されると終了確認（OK）メッセージを送り出す。
【０１３０】
同時に、前記ＤＴＭＦ送受信部６１も受信中の前記ＰＳＴＮ電話機が終了する時に発生されるＰＳＴＮ終了信号が検出されると、前記信号処理部２４が終了メッセージを送り出す。
【０１３１】
これにより、通話中に何れか一方の通話終了信号が検出されると通話が終了され、前記制御部２８は発信者情報を保存するか可否を判断して（対話相手追加ボタンクリック）、ボタンがクリックされると前記発信者情報を前記対話相手ＤＢ２６を検索して、追加すべき発信者情報が既に保存されているのか否かを判断し、そうでない場合にさらに保存する。
【０１３２】
引き継いて、前記メディア処理部２４はメディア送、受信を中止して前記制御部２８で解除され、前記制御部２８はサウンド入出力経路を初期状態に復旧させる。これは、前記ユーザーエージェント２１が受、発信可能な初期状態であることを意味する。
【０１３３】
前記で無条件呼び切換モードでない場合には、一応ＰＣと直結電話機を駆動し、一定時間リングイングする、すなわち、前記制御部２８は受信ＰＣに電話受け窓を表示して、ＰＣ内のサウンド入出力部を駆動して前記ユーザーインターフェース２５を介してＰＣスピーカーリングイング（ｒｉｎｇｉｎｇ）を開始し、同時に前記ラインアダプター制御部２９は前記直結電話機接続部６２を駆動して直結電話機リングイングを開始する。
【０１３４】
前記制御部２８は、設定された待機時間の間にＰＣ自体、直結電話機またはＰＳＴＮ接続電話機の中の何れかで受信状態が認識されると、前記リングイングを全て中止して前記信号処理部２４で発信側に応答メッセージを送り出し、受信しようとする側でサウンド入出力経路を接続させて、前記メディア処理部２３を接続して送受信を開始する。
【０１３５】
送、受信中発信側または受信側の何れか（ＰＣ、直結電話機、ＰＳＴＮ電話機）でも電話終了状態が検出されると、前記図１４Ｃの（Ｐ３）（Ｐ４）プロセスにより終了される。
【０１３６】
ただし、前記直結電話機の場合には、終了でなくＰＳＴＮ電話で回すためにフックフラッシュ（ｈｏｏｋｆｌａｓｈ）することもあり、この場合には（Ｐ５プロセス、図１４ｅ）、発信者側に前記メディア処理部２３が待機音を送り出して前記ＤＴＭＦ送受信部６１は直結電話機から受信されるＰＳＴＮ電話番号を検出して保存した後、直結電話機が切れると（ｏｎｈｏｏｋ）直結電話機前記接続部６２を解除し、代わりに前記電話網接続６３を駆動してサウンド入出力経路を直結電話機からＰＳＴＮ電話機に変更して連結させた状態で、前記制御部２８は保存された番号を送信すると、前記ラインアダプター制御部２９を介して送信すると、前記ＤＴＭＦ送受信部６１はこれをＤＴＭＦ信号でＰＳＴＮに送り出して電話を連結する。これにより、直結電話機で電話している中で一般電話機に回すことが可能になる。
【０１３７】
通話状態で受、発信の何れかでも終了信号が検出されると、前記図１４ｃの（Ｐ３）（Ｐ４）プロセスによって終了される。
【０１３８】
前記で受信待機中に設定された待機時間が終了されると（Ｐ２プロセス、図１４ｂ）、ＰＣ及び直結電話機のリングイングを全て中止して前記ＰＳＴＮモード設定（Ｐ１プロセス、図１４ｂ）のようにＰＳＴＮ電話機を接続させる。
【０１３９】
これにより受信された呼び出し信号をＰＣ及び個別的にＰＣに接続されたラインアダプターを利用して一般電話または直結電話機で多様に受信できるプロセスを説明した。
【０１４０】
集団ゲートウェイを使わず既存の個別ラインアダプターを使う１対１固定接続通話方式では通話中状態が発生しない。ところが、本発明は、別途の呼び処理サーバーを置いて集団に受、発信をしなければならないため、顧客が事業者に発信をした場合に、電話中の状態が発生する場合がある。このような問題を解決するために、本発明は前記図１４ｆのＰ７プロセスのように、前記ユーザーエージェント２１の制御部２８は呼び出し信号を受信したのにＰＣが受信中の場合には前記信号処理部２４を通じて通話中信号を前記呼び処理サーバー１２に送り出す。前記呼び処理サーバー１２は、これを受信すると、既に設定されて保存している電話中案内メッセージを送り出し、録音待機時間をカウントして発信者の音声メッセージを保存する。録音待機時間が終了すると、前記呼び処理サーバー１２は保存された音声メッセージを電子メールで前記電子メールサーバー５に送り出す。
【０１４１】
事業者（受信者）は通話終了の後に通話中に受信された音声メッセージ表示のある前記電子メールをクリックすると、前記制御部２８は音声メッセージ内容を送り出してヘッドセット/スピーカーを通じて聞き取りするようになるのである。
【０１４２】
これまで受信プロセスに対して説明し、次は発信プロセスに対して詳しく説明する。
【０１４３】
発信者ＰＣに個別的にラインアダプターを連結してＰＳＴＮ網に接続された一般電話で本発明によるインターネット電話をする場合を図１５ａを参照して説明する。
【０１４４】
発信者（顧客）ＰＣの前記ユーザーエージェント３１は、前記ラインアダプター制御部３９を介して前記電話網接続部６３にＰＳＴＮ発信番号が検出されると、先ずＰＣに電話がかかって来た状態で動作する呼び切換えタイマーの動作状態をチェックして、動作中であれば発信者に受信する意思がいるかどうかを確認する。すなわち、前記電話網接続部２２０に自体受信信号（ｏｆｆｈｏｏｋ信号）を送り出し、前記ＤＴＭＦ送受信部６１を接続して、現在ＰＣが受信状態であることを知らせる音を送り出し、受信する意思がいるのかを待って（呼び切換え要請可否）、一定時間後になければ終了信号を送り出して終了し、要請のある場合には前記電話網接続部６３を駆動して電話を連結して終了信号によって終了する。
【０１４５】
前記でＰＣが受信中でない場合には、ＰＣで通話中であるか否かをチェックして、通話中であれば直結電話機に接続されるようにして通話を連結する。
【０１４６】
通話中でない場合には、前記ラインアダプター制御部３９により前記電話網接続部６３から受信音（ｏｆｆｈｏｏｋ信号）を送り出し、前記ＤＴＭＦ送受信部６１を接続してＰＣへ発信可能であるという信号音を送り出し、一定時間インターネット電話初Ｃｏｄｅ（例えば、‘ * ’）を検出する。もし、時間以内に検出されなければ、前記ＰＣ通話中の場合と同様に直結電話機に接続させる。
【０１４７】
時間内に検出されると、前記電話網接続部６３を駆動させて図１５ｂのＰ８プロセスのように、ＰＣユーザー入出力部を駆動して前記ＰＣユーザーインターフェース部３５を介して電話かけ窓を表示し、入力された前記ＰＳＴＮ電話のインターネット電話番号を検出して保存する。
【０１４８】
前記制御部３８は、発信終了コード（例えば、‘ # ’）が検出されると、前記ＤＴＭＦ送受信部６１を解除して入力された発信番号を分析する。
【０１４９】
第一に、番号長さが１より少なければ（実際番号、ゼロ状態）図１５ＣのＰ９プロセスのようにＰＳＴＮ側に終了信号を送り出しながらＰＳＴＮ側の発信者が電話機を下ろすのか否かをチェックし、下ろせば終了信号送り出しを中止して終了する。
【０１５０】
入力された番号が短縮ダイヤルの大きさに該当すると（例えば、４より小さければ）、前記制御部３８は保存された短縮番号を検索して発信するインターネット電話番号として抽出する。もし前記入力された番号が短縮ダイヤルの大きさより大きいものの設定された インターネット電話番号より小さければ（例えば、７より小さければ）、前記のように（Ｐ９、図１５ｃ）プロセスにより処理され、インターネット電話番号に該当すると電話番号として認識して前記信号処理部２４で前記呼び処理サーバー１２に呼び出し信号を送り出す。
【０１５１】
一定時間受信側の応答信号がなければ前記（Ｐ９、図１５ｃ）プロセスにより処理され、回答があれば前記ＳＩＰ信号処理部２４は正常メッセージであるか否かをチェックして、非正常であれば前記図１５ｃ（Ｐ９）プロセスにより処理し、正常であれば前記メディ 
ア処理部３３を接続してメディア送、受信を開始しながら図１４ｄのＰ６プロセスにより電話を終了する。
【０１５２】
前記したように、本発明は１対１通話ではない多数の受、発信者が、一つのシステムにおいてインターネット通話をする場合に、個別的に各ＰＣにそれぞれラインアダプターを連結してこれと接続された直結電話機またはＰＳＴＮ電話機で受、発信できる機能をユーザーエージェントに備えてユーザーに便宜を提供するようになったのである。
【０１５３】
すなわち、インターネット通話をするＰＣとＰＣに個別的に連結されたラインアダプターとをそれぞれ受発信機能を行うようにして、これを必要に応じて相互連結させて制御する方式を通じて多数の受、発信者が利用する場合に必要な機能を提供したものである。
【図面の簡単な説明】
【０１５４】
【図１】図１は、本発明によるワンクリックインターネット通話制御システムに対する全体システム構成図である。
【図２】図２は、本発明による事業者及び顧客ＰＣの内部ブロック図とラインアダプターとの連結状態を示した図である。
【図３】図３は、本発明による会員管理サーバーの内部ブロック図である。
【図４】図４は、本発明によるクリックプログラムのフローチャートである。
【図５】図５は、本発明によるユーザーエージェントの自動発信フローチャートである。
【図６】図６は、本発明によるアイコン生成に関するフローチャートである。
【図７】図７は、本発明による電子メール送り出しに関するフローチャートである。
【図８】図８は、本発明による事業者情報処理に関するフローチャートである。
【図９】図９は、本発明による通話統計処理に関するフローチャートである。
【図１０】図１０は、本発明の第１実施例の動作流れ図である。
【図１１】図１１は、本発明の第２実施例の動作流れ図である。
【図１２】図１２は、本発明の第４実施例の動作流れ図である。
【図１３】図１３は、本発明の電話統計情報処理の動作流れ図である。
【図１４ａ】図１４ａは、本発明のラインアダプターを介した電話機受信機能に関するフローチャートである。
【図１４ｂ】図１４ｂは、本発明のラインアダプターを介した電話機受信機能に関するフローチャートである。
【図１４ｃ】図１４ｃは、本発明のラインアダプターを介した電話機受信機能に関するフローチャートである。
【図１４ｄ】図１４ｄは、本発明のラインアダプターを介した電話機受信機能に関するフローチャートである。
【図１４ｅ】図１４ｅは、本発明のラインアダプターを介した電話機受信機能に関するフローチャートである。
【図１４ｆ】図１４ｆは、本発明のラインアダプターを介した電話機受信機能に関するフローチャートである。
【図１５ａ】図１５ａは、本発明のラインアダプターを介した電話機発信機能に関するフローチャートである。
【図１５ｂ】図１５ｂは、本発明のラインアダプターを介した電話機発信機能に関するフローチャートである。
【図１５ｃ】図１５ｃは、本発明のラインアダプターを介した電話機発信機能に関するフローチャートである。
【手続補正３】
【補正対象書類名】図面
【補正対象項目名】全図
【補正方法】変更
【補正の内容】
【図１】
2008521329.tif 000024
【図２】
2008521329.tif 000025
【図３】
2008521329.tif 000026
【図４】
2008521329.tif 000027
【図５】
2008521329.tif 000028
【図６】
2008521329.tif 000029
【図７】
2008521329.tif 000030
【図８】
2008521329.tif 000031
【図９】
2008521329.tif 000032
【図１０】
2008521329.tif 000033
【図１１】
2008521329.tif 000034
【図１２】
2008521329.tif 000035
【図１３】
2008521329.tif 000036
【図１４ａ】
2008521329.tif 000037
【図１４ｂ】
2008521329.tif 000038
【図１４ｃ】
2008521329.tif 000039
【図１４ｄ】
2008521329.tif 000040
【図１４ｅ】
2008521329.tif 000041
【図１４ｆ】
2008521329.tif 000042
【図１５ａ】
2008521329.tif 000043
【図１５ｂ】
2008521329.tif 000044
【図１５ｃ】
2008521329.tif 000045
【手続補正書】
【提出日】平成19年5月21日(2007.5.21)
【手続補正１】
【補正対象書類名】特許請求の範囲
【補正対象項目名】全文
【補正方法】変更
【補正の内容】
【特許請求の範囲】
【請求項１】
インターネットを利用したインターネット通話制御システムにおいて、
加入会員の情報を保存するＤＢサーバーと、
事業者のＩＤを含んだ固有情報をアイコンがクリックされると発信機能を有するユーザーエージェントに伝達するクリックプログラムを備えて前記アイコンが表示されたウェブページを含む前記事業者のウェブサーバーと、
前記アイコンがクリックされると前記クリックプログラムにより伝達された前記事業者のIDを含む固有情報を顧客ＩＤとともに呼び出し信号として送り出す発信機能を有するユーザーエージェントを備えた顧客ＰＣと、
前記呼び出し信号を受信して前記ＤＢサーバーに保存された前記事業者ＰＣのＩＰ住所を照会するように構成された呼び処理サーバーと、
前記呼び出し信号を受信して前記顧客のＩＤを保存し、前記顧客ＰＣと通話できる受信機能を有するユーザーエージェントを備えた事業者ＰＣと、
前記事業者の会員加入が認証されるとその事業者の固有情報を前記ＤＢサーバーで抽出して前記クリックプログラムを自動生成するアイコン生成部を含み、
前記事業者及び前記顧客は、前記ＤＢサーバーの加入会員であり、前記顧客ＰＣのユーザーエージェントの発信機能は、前記加入会員情報を用いて顧客ＰＣがログインされた状態で作動し、前記事業者ＰＣのユーザーエージェントの受信機能は、前記加入会員情報を用いて事業者ＰＣがログインされた状態で作動することを特徴とするインターネット通話制御システム。
【請求項２】
前記事業者のウェブサーバーは、前記アイコン及びこれと連携された前記クリックプログラムがそれぞれ別途に多数備えられていることを特徴とする請求項１に記載のインターネット通話制御システム。
【請求項３】
前記顧客ＰＣ及び事業者ＰＣのユーザーエージェントはそれぞれ受、発信機能が全て含んで構成されたことを特徴とする請求項１に記載のインターネット通話制御システム。
【請求項４】
前記発信機能を有するユーザーエージェントは前記クリックプログラムにより伝達された前記事業者情報を対話相手ＤＢに自動に登録させるようになったことを特徴とする請求項１に記載のインターネット通話制御システム。
【請求項５】
前記発信機能を有するユーザーエージェントは、前記事業者情報に事業者が登録したアイコンウェブページアドレスを追加し、クリックされたアイコンウェブページ住所(ＵＲＬ)を検出、比較して、前記クリックされたアイコンのウェブページアドレスが事業者により登録されたウェブページアドレスと一致していない場合には発信機能が中止されるようにしたことを特徴とする請求項１に記載のインターネット通話制御システム。
【請求項６】
前記事業者情報に前記事業者のサービス有效期間を追加し、前記発信機能を有するユーザーエージェントが当日日付と比べてサービス有效期間が過ぎた場合には発信が中止されるようにしたことを特徴とする請求項１に記載のインターネット通話制御システム。
【請求項７】
前記クリックプログラムは、事業者情報を暗号化して解除する機能を有することを特徴とする請求項１乃至６のいずれかに記載のインターネット通話制御システム。
【請求項８】
前記顧客ＩＤまたは事業者ＩＤは各々前記顧客または事業者の電子メールアドレスであることを特徴とする請求項１に記載のインターネット通話制御システム。
【請求項９】
前記事業者ＰＣが通話中の場合、通話中信号を前記呼び処理サーバーに送り出す機能がさらに提供され、通話中メッセージ送り出し、メッセージ録音及び録音されたメッセージの電子メール送り出し機能をさらに有する前記呼び処理サーバーで構成されたことを特徴とする請求項１に記載のインターネット通話制御システム。
【請求項１０】
インターネットを利用したインターネット通話制御システムにおいて、
加入会員の情報を保存するＤＢサーバーと、
事業者の固有情報をアイコンがクリックされると、これを感知して発信機能を有するユーザーエージェントにこれを伝達するクリックプログラムを備えた会員管理サーバーと、
前記アイコンが表示された前記事業者の電子メールを保存する電子メールサーバーと、
前記アイコンがクリックされると前記クリックプログラムにより伝達された前記事業者の固有情報を顧客ＩＤと共に呼び出し信号として送り出すユーザーエージェントを有する顧客ＰＣと、
前記呼び出し信号を受信して前記ＤＢサーバーに保存された前記事業者ＰＣのＩＰ住所を照会するように構成された呼び処理サーバーと、
前記呼び出し信号を受信して顧客のＩＤを保存して前記顧客ＰＣと電話できる受信機能を有するユーザーエージェントを備えた事業者ＰＣと、
前記事業者の会員加入が認証されるとその事業者の固有情報を前記ＤＢサーバーで抽出して前記クリックプログラムを自動生成するアイコン生成部を含み、
前記事業者及び前記顧客は、前記ＤＢサーバーの加入会員であり、前記事業者ＰＣのユーザーエージェントの受信機能は、前記加入会員情報を用いて事業者ＰＣがログインされた状態で作動することを特徴するインターネット通話制御システム。
【請求項１１】
前記顧客ＰＣ及び事業者ＰＣのユーザーエージェントは、それぞれ受、発信機能が全て含んで構成されたことを特徴とする請求項１０に記載のインターネット通話制御システム。
【請求項１２】
前記発信機能を有するユーザーエージェントは、前記クリックプログラムにより伝達された前記事業者情報を対話相手ＤＢに自動に登録させるようになったことを特徴とする請求項１０に記載のインターネット通話制御システム。
【請求項１３】
前記発信機能を有するユーザーエージェントは、前記事業者情報に事業者が登録したアイコンウェブページアドレスを追加し、クリックされたアイコンウェブページ住所(ＵＲＬ)を検出、比較して、前記クリックされたアイコンのウェブページアドレスが事業者により登録されたウェブページアドレスと一致していない場合には発信機能が中止されるようにしたことを特徴とする請求項１０に記載のインターネット通話制御システム。
【請求項１４】
前記事業者情報に前記事業者のサービス有效期間を追加して、前記発信機能を有するユーザーエージェントが当日日付と比べて有效期間が過ぎた場合には発信が中止されるようにしたことを特徴とする請求項１０に記載のインターネット通話制御システム。
【請求項１５】
前記クリックプログラムは、事業者情報を暗号化して解除する機能を有することを特徴とする請求項１０乃至１４のいずれかに記載のインターネット通電話制御システム。
【請求項１６】
前記顧客ＩＤまたは事業者ＩＤは各々前記顧客または事業者の電子メールアドレスであることを特徴とする請求項１０に記載のインターネット通話制御システム。
【請求項１７】
前記事業者ＰＣが通話中の場合、通話中信号を前記呼び処理サーバーに送り出す機能がさらに提供されて通話中メッセージ送り出し、メッセージ録音及び録音されたメッセージの電子メール送り出し機能をさらに有する前記呼び処理サーバーで構成されたことを特徴とする請求項１０に記載のインターネット通話制御システム。
【請求項１８】
インターネットを利用したインターネット通話制御システムにおいて、
事業者情報を保存するＤＢサーバーと、
顧客ＰＣで入力された索引語に該当する前記事業者の情報を前記ＤＢサーバーで検索して、前記各事業者のＩＤを含んだ固有情報と連携されたアイコンがクリックされると発信機能を有するユーザーエージェントにこれを伝達するクリックプログラムを生成させるアイコン生成部に検索された事業者情報を提供する事業者情報処理部と、
前記事業者情報処理部で前記事業者情報及び前記クリックプログラムを伝達されてアイコンとそれぞれ連携させ所定の位置に備えたシステム運営者のウェブサーバーを有する会員管理サーバーと、
前記アイコンがクリックされると前記連携されたクリックプログラムにより伝達された前記事業者の固有情報を顧客ＩＤと共に呼び出し信号として送り出す発信機能を有するユーザーエージェントを備えた顧客ＰＣと、
前記呼び出し信号を受信して前記ＤＢサーバーに保存された前記事業者ＰＣのＩＰ住所を照会するように構成された呼び処理サーバーと、
前記呼び出し信号を受信して顧客のＩＤを保存して、前記顧客ＰＣと電話できる受信機能を有するユーザーエージェントを備えた事業者ＰＣを含み、
前記事業者及び前記顧客は、前記ＤＢサーバーの加入会員であり、前記顧客ＰＣのユーザーエージェントの発信機能は、前記加入会員情報を用いて顧客ＰＣがログインされた状態で作動し、前記事業者ＰＣのユーザーエージェントの受信機能は、前記加入会員情報を用いて事業者ＰＣがログインされた状態で作動することを特徴とするインターネット通話制御システム。
【請求項１９】
前記顧客ＰＣ及び事業者ＰＣのユーザーエージェントはそれぞれ受、発信機能が全て含んで構成されたことを特徴とする請求項１８に記載のインターネット通話制御システム。
【請求項２０】
前記発信機能を有するユーザーエージェントは前記クリックプログラムにより伝達された前記事業者情報を対話相手ＤＢに自動に登録させるようになったことを特徴とする請求項１８に記載のインターネット通話制御システム。
【請求項２１】
前記事業者情報に前記事業者のサービス有效期間を追加して前記発信機能を有するユーザーエージェントが当日日付と比べてサービス有效期間が過ぎた場合には発信が中止されるようにしたことを特徴とする請求項１８に記載のインターネット通話制御システム。
【請求項２２】
前記クリックプログラムは、事業者情報を暗号化して解除する機能を有することを特徴とする請求項１８乃至２１のいずれかに記載のインターネット通話制御システム。
【請求項２３】
前記顧客ＩＤまたは事業者ＩＤは、各々前記顧客または事業者の電子メールアドレスであることを特徴とする請求項１８に記載のインターネット通話制御システム。
【請求項２４】
前記事業者ＰＣが通話中の場合、通話中信号を前記呼び処理サーバーに送り出す機能がさらに提供されて、通話中メッセージ送り出し、メッセージ録音及び録音されたメッセージの電子メール送り出し機能をさらに有する前記呼び処理サーバーで構成されたことを特徴とする請求項１８に記載のインターネット通話制御システム。
【請求項２５】
インターネットを利用したインターネット電話制御方法において、
顧客が事業者ウェブサーバーに表示されたアイコンをクリックすると、前記事業者ウェブサーバーに備えられてクリックされたアイコンと連携されたクリックプログラムにより前記事業者のＩＤを含んだ情報を伝達する過程と、
顧客ＰＣに設置された発信機能を有するユーザーエージェントが前記事業者のIDを含んだ固有情報を伝達され顧客ＩＤと共に呼び出し信号として送り出す過程と、
前記呼び出し信号が受信されると前記呼び処理サーバーにより前記事業者の情報が保存されたＤＢサーバーで前記呼び出し信号に含まれた事業者のＩＤに対応する事業者ＰＣのＩＰ住所を照会し、照会された前記IP住所に前記顧客IDと共に前記呼び出し信号を送り出す過程と、
前記事業者ＰＣが前記呼び出し信号を受信すると受信機能を有するユーザーエージェントにより前記顧客ＰＣに応答メッセージを送り出す過程と、
前記事業者が会員管理サーバーで会員へ加入した後、クリックプログラム生成を要請すると、アイコン生成部で前記ＤＢサーバーに保存された前記事業者のＩＤを含んだ固有情報を抽出してアイコンがクリックされると、これと連携された前記事業者IDを含んだ固有情報を発信機能を有するユーザーエージェントに伝達する前記クリックプログラムを自動生成する過程を含み、
前記事業者及び前記顧客は、前記ＤＢサーバーの加入会員であり、前記顧客ＰＣのユーザーエージェントの発信機能は、前記加入会員情報を用いて顧客ＰＣがログインされた状態で作動し、前記事業者ＰＣのユーザーエージェントの受信機能は、前記加入会員情報を用いて事業者ＰＣがログインされた状態で作動することを特徴とするインターネット通話制御方法。
【請求項２６】
前記事業者が前記クリックプログラムをコピーして前記事業者のウェブページの所定の位置に備える過程をさらに有することを特徴とする請求項２５に記載のインターネット通話制御方法。
【請求項２７】
前記事業者が多数である場合前記クリックプログラムを各事業別でそれぞれ生成させて特定事業者のウェブサーバーにそれぞれ別途に備える過程を有することを特徴とする請求項２５に記載のインターネット通話制御方法。
【請求項２８】
前記受、発信機能を有する顧客ＰＣ及び事業者ＰＣのユーザーエージェントはそれぞれ受、発信機能を全て含んだことを特徴とする請求項２５に記載のインターネット通話制御方法。
【請求項２９】
前記発信機能を有するユーザーエージェントは、前記クリックプログラムにより伝達された前記事業者情報をチャットボックスＤＢに自動に登録させる過程を有することを特徴とする請求項２５に記載のインターネット通話制御方法。
【請求項３０】
前記事業者情報に事業者が登録したアイコンのウェブページアドレスを追加して、前記発信機能を有するユーザーエージェントがクリックされたアイコンのウェブページ住所(ＵＲＬ)を検出、比較して、前記クリックされたアイコンのウェブページアドレスが事業者により登録されたウェブページアドレスと一致していない場合には発信機能を行わないようにする過程を有することを特徴とする請求項２５に記載のインターネット通話制御方法。
【請求項３１】
前記事業者情報に前記事業者のサービス有效期間を追加して、前記発信機能を有するユーザーエージェントが当日日付と比べてサービス有效期間が過ぎた場合には発信機能を行わないようにする過程を有することを特徴とする請求項２５に記載のインターネット通話制御方法。
【請求項３２】
前記クリックプログラムは、事業者情報暗号化、解除機能をさらに有するようにしたことを特徴とする請求項２５乃至３１のいずれかに記載のインターネット通話制御方法。
【請求項３３】
前記顧客ＩＤまたは事業者ＩＤは各々前記顧客または事業者の電子メールアドレスであることを特徴とする請求項２５に記載のインターネット通話制御方法。
【請求項３４】
通話中の前記事業者ＰＣにさらに呼び出し信号が受信されると前記受、発信ユーザーエージェントが通話中メッセージを送り出し、これを受信した前記呼び処理サーバーは通話中案内メッセージを送り出して前記発信顧客ＰＣ側のメッセージを録音して電子メール形
態で発信者の電子メールサーバーに送る過程を有することを特徴とする請求項２５に記載のインターネット通話制御方法。
【請求項３５】
インターネットを利用したインターネット電話制御方法において、
事業者が会員管理サーバーで電子メール本文と顧客ＩＤを入力して送りボタンをクリックするとアイコン生成部で前記事業者のＩＤを含んだ固有情報をＤＢサーバーで抽出して、アイコンがクリックされると、これと連携された前記事業者のIDを含んだ固有情報を発信機能を有するユーザーエージェントに伝達するクリックプログラムを生成して前記電子メールに挿入して前記顧客の電子メールサーバーに送り出す過程と、
前記顧客ＰＣで前記電子メールサーバーから電子メールを伝達されて表示されたアイコンをクリックすると、受信機能を有するユーザーエージェントにより前記事業者のIDを含んだ固有情報を顧客ＰＣのＩＤとともに呼び出し信号として送り出す過程と、
前記呼び出し信号が受信されると前記呼び処理サーバーにより前記事業者情報が保存されたＤＢサーバーで前記呼び出し信号に含まれた前記事業者のＩＤに対応される事業者ＰＣのＩＰ住所を照会し、照会された前記IP住所に前記顧客IDと共に前記呼び出し信号を送り出す過程と、
前記事業者ＰＣが前記呼び出し信号を受信すると受信機能を有するユーザーエージェントにより前記顧客ＰＣに応答メッセージを送り出す過程を含み、
前記事業者及び前記顧客は、前記ＤＢサーバーの加入会員であり、前記事業者ＰＣのユーザーエージェントの受信機能は、前記加入会員情報を用いて事業者ＰＣがログインされた状態で作動することを特徴とするインターネット通話制御方法。
【請求項３６】
前記受、発信機能を有する顧客ＰＣ及び事業者ＰＣのユーザーエージェントはそれぞれ受、発信機能を全て含んだことを特徴とする請求項３５に記載のインターネット通話制御方法。
【請求項３７】
前記発信機能を有するユーザーエージェントは、前記クリックプログラムにより伝達された前記事業者情報をチャットボックスＤＢに自動に登録させる過程を有することを特徴とする請求項３５に記載のインターネット通話制御方法。
【請求項３８】
前記事業者情報に前記事業者のサービス有效期間を追加して前記発信機能を有するユーザーエージェントが当日日付と比べてサービス有效期間が過ぎた場合には発信機能を行わないようにする過程を有することを特徴とする請求項３５に記載のインターネット通話制御方法。
【請求項３９】
前記クリックプログラムは、事業者情報を暗号化し解除する機能をさらに有するようにしたことを特徴とする請求項３５乃至３８のいずれかに記載のインターネット通話制御方法。
【請求項４０】
前記受信機能を有するユーザーエージェントが、前記受信された顧客ＰＣのＩＤを含んだ受信情報を自動に記録する過程を有することを特徴とする請求項３５に記載のインターネット通話制御方法。
【請求項４１】
前記顧客ＩＤまたは事業者ＩＤは各々前記顧客または事業者の電子メールアドレスであることを特徴とする請求項３５に記載のインターネット通話制御方法。
【請求項４２】
通話中の前記事業者ＰＣにさらに呼び出し信号が受信されると前記受、発信ユーザーエージェントが通話中メッセージを送り出して、これを受信した前記呼び処理サーバーは通話中案内メッセージを送り出して前記発信顧客ＰＣ側のメッセージを録音して電子メール形態で発信者の電子メールサーバーに送る過程を有することを特徴とする請求項３５に記載のインターネット通話制御方法。
【請求項４３】
インターネットを利用したインターネット通話制御方法において、
顧客がシステム運営者のウェブサーバーに表示された多数のアイコン中の特定アイコンをクリックすると前記システム運営者のウェブサーバーに備えられて前記クリックされたアイコンと連携されたクリックプログラムにより前記事業者のＩＤを含んだ情報を伝達する過程と、
前記顧客ＰＣに設置された発信機能を有するユーザーエージェントが前記事業者の情報を伝達されて顧客ＩＤと共に呼び出し信号を送り出す過程と、
前記呼び出し信号が受信されると前記呼び処理サーバーにより前記事業者の情報が保存されたＤＢサーバーで前記呼び出し信号に含まれた事業者のＩＤに対応する事業者ＰＣのＩＰ住所を照会し、照会された前記IP住所に前記顧客IDと共に前記呼び出し信号を送り出す過程と、
前記事業者ＰＣが前記呼び出し信号を受信すると受信機能を有するユーザーエージェントにより前記顧客ＰＣに応答メッセージを送り出す過程と、
前記事業者が会員として加入すると、前記ＤＢサーバーに保存された前記事業者のＩＤを含んだ固有情報を抽出し、アイコンがクリックされると、これと連携された前記事業者ＩＤを含んだ固有情報を前記ユーザーエージェントに伝達するクリックプログラムをアイコン生成部で自動生成させ、前記システム運用者のウェブページに前記アイコンを表示する過程を含み、
前記事業者及び前記顧客は、前記ＤＢサーバーの加入会員であり、前記顧客ＰＣのユーザーエージェントの発信機能は、前記加入会員情報を用いて顧客ＰＣがログインされた状態で作動し、前記事業者ＰＣのユーザーエージェントの受信機能は、前記加入会員情報を用いて事業者ＰＣがログインされた状態で作動することを特徴とするインターネット通話制御方法。
【請求項４４】
前記受、発信機能を有する顧客ＰＣ及び事業者ＰＣのユーザーエージェントはそれぞれ受、発信機能を全て含んだことを特徴とする請求項４３に記載のインターネット通話制御方法。
【請求項４５】
前記発信機能を有するユーザーエージェントは、前記クリックプログラムにより伝達された前記事業者情報をチャットボックスＤＢに自動に登録させる過程を有することを特徴とする請求項４３に記載のインターネット通話制御方法。
【請求項４６】
前記事業者情報に前記事業者のサービス有效期間を追加して前記発信機能を有するユーザーエージェントが当日日付と比べてサービス有效期間が過ぎた場合には発信機能を行わないようにする過程を有することを特徴とする請求項４３に記載のインターネット通話制御方法。
【請求項４７】
前記クリックプログラムは、事業者情報暗号化、解除機能をさらに有するようにしたことを特徴とする請求項４３乃至４６のいずれかに記載のインターネット通話制御方法。
【請求項４８】
前記顧客ＩＤまたは事業者ＩＤは各々前記顧客または事業者の電子メールアドレスであることを特徴とする請求項４３に記載のインターネット通話制御方法。
【請求項４９】
通信中である前記事業者ＰＣにさらに呼び出し信号が受信されると、前記受、発信ユーザーエージェントが通話中メッセージを送り出し、これを受信した前記呼び出し処理サーバーは通話中案内メッセージを送り出し、前記発信顧客ＰＣ側のメッセージを録音してＥ−ｍａｉｌ形態で発信者のＥ−ｍａｉｌサーバーに送る過程を有することを特徴とする請求項４３に記載のインターネット通話制御方法。
【国際調査報告】
2008521329.tif 000046
2008521329.tif 000047